(57)【要約】      （修正有）【課題】使用者コンピュータがアクセスするウェブサイトに属さないで、その枠を越えたサービスを、本来のウェブサイトのウェブページのコンテンツと連動させて提供するようにして、インターネットサービスの効率を大きく増加させる方法を提供する。【解決手段】使用者コンピュータ（５０ａ，５０ｂ，．．．，５０ｎ）が、特定ウェブサイト（１０ａ，１０ｂ，．．．，１０ｎ）にアクセスすると、前記使用者コンピュータは、アクセスしたウェブサイトのＵＲＬをサーバー１００に送信する。これによって、前記サーバー１００は、前記ウェブサイト（１０ａ，１０ｂ，．．．，１０ｎ）の特定位置に対して掲示板、ヘルプ提供、要請事項、広告、電子商取引、ＡＳＰ、ゲーム、チャット、メッセージ送信などのサービスを提供する。【選択図】図１
2014053025.tif 000002
【特許請求の範囲】
【請求項１】
サーバーとウェブブラウザを内蔵した多数の使用者コンピュータがインターネットを通じてサーバークライアント関係で連結され、前記使用者コンピュータがアクセスしたウェブサイトに連動してインターネットサービスを提供する方法であって、
ここで、前記サーバーまたは前記サーバーが管理するサービスサーバーは、前記使用者コンピュータがアクセスするウェブサイトのＵＲＬと前記使用者コンピュータに表示される前記ウェブサイトのウェブページでの位置座標とによって、前記インターネットサービスによるサービスデータを保存するサービスデータ保存手段を有しているものとする、
（ａ）前記使用者コンピュータが、インターネットを通じてウェブサイトにアクセスする時、前記使用者コンピュータが前記ウェブサイトのＵＲＬを前記サーバーに送信するウェブサイトアドレス送信工程と；
（ｂ）前記サーバーまたは前記サーバーが管理するサービスサーバーが、前記送信されたウェブサイトのＵＲＬを読むウェブサイトアドレス認識工程と；
（ｃ）前記サーバーまたは前記サービスサーバーが、前記インターネットサービスによるサービスインターフェースを、前記使用者コンピュータに表示された前記ウェブサイトのウェブページに対して出力するサービスインターフェース出力工程と；
（ｄ）前記サーバーまたは前記サービスサーバーが、前記サービスデータを、前記サービスインターフェースによって、前記使用者コンピュータに表示された前記ウェブサイトのウェブページの前記位置座標に対して出力するサービスデータ出力工程と；
を含むことを特徴とする、前記アクセスウェブサイト連動インターネットサービス方法。
【請求項２】
（ａ）前記使用者コンピュータが、前記サーバーまたは前記サービスサーバーへ前記ウェブページの位置座標によるサービスデータを送信するサービスデータ送信工程と；
（ｂ）前記サーバーまたは前記サービスサーバーが、前記送信されたサービスデータを前記サービスデータ保存手段に保存するサービスデータ保存工程と；
をさらに含むことを特徴とする、請求項１に記載のアクセスウェブサイト連動インターネットサービス方法。
【請求項３】
前記サービスサーバーが、前記使用者コンピュータがアクセスするウェブサイトのサーバーであることを特徴とする、請求項１または２に記載のアクセスウェブサイト連動インターネットサービス方法。
【請求項４】
前記使用者コンピュータに表示された前記ウェブサイトのウェブページで、特定位置座標を、前記使用者コンピュータが前記サーバーまたはサービスサーバーに送信する、出力位置送信工程をさらに含み、そして、
前記サービスデータ出力工程は、指定位置出力工程を含み、前記指定位置出力工程は、前記サーバーまたはサービスサーバーが、前記出力位置送信工程によって送信されたウェブページの位置座標によって、前記サービスデータ保存手段でその位置座標に保存されているサービスデータを、前記使用者コンピュータに表示されたウェブページの前記位置座標に対して出力する工程であることを特徴とする、請求項１または２に記載のアクセスウェブサイト連動インターネットサービス方法。
【請求項５】
前記出力位置送信工程で前記位置は、使用者コンピュータに表示された前記ウェブページでポインティングデバイスがポインティングした位置座標によって決定されることを特徴とする、請求項４に記載のアクセスウェブサイト連動インターネットサービス方法。
【請求項６】
前記サービスデータ出力工程が、
（ａ）前記使用者コンピュータに表示される前記使用者コンピュータがアクセスしたウェブサイトのウェブページで、前記サービスデータが存在する位置座標にサービスデータがあることを表示する、位置によるサービスデータ表示工程と；
（ｂ）前記ウェブページ上でサービスデータがあることが表示された位置が指定されると、その位置に対するサービスデータが出力される、指定位置によるサービスデータ出力工程と；
を含むことを特徴とする、請求項１ないし３のいずれか一項に記載のアクセスウェブサイト連動インターネットサービス方法。
【請求項７】
前記位置によるサービスデータ表示工程が、前記ウェブページ上で、各々のサービスデータの位置に図形で表示されることを特徴とする、請求項６に記載のアクセスウェブサイト連動インターネットサービス方法。
【請求項８】
前記位置によるサービスデータ表示工程が、前記図形でその位置座標のサービスデータの個数を表示することを特徴とする、請求項７に記載のアクセスウェブサイト連動インターネットサービス方法。
【請求項９】
前記使用者コンピュータがアクセスするウェブサイトに連動して提供するインターネットサービスに対する管理権限は、前記サーバーの運営者または前記使用者コンピュータがアクセスするウェブサイト運営者のいずれかに与えられていることを特徴とする、請求項１または２に記載のアクセスウェブサイト連動インターネットサービス方法。
【請求項１０】
サービスデータは、データの性格によって分類して前記サービスデータ保存手段に保存され、前記分類によって前記サービスデータを前記使用者コンピュータに出力することを特徴とする、請求項１または２に記載のアクセスウェブサイト連動インターネットサービス方法。
【請求項１１】
（ａ）前記使用者コンピュータが、前記サーバーまたはサービスサーバーに前記ウェブページの指定位置座標に対してサービスデータを入力することを要請するサービスデータ入力要請工程と；
（ｂ）前記サーバーまたはサービスサーバーが、前記サービスデータ入力要請工程によって、前記使用者コンピュータに入力手段を出力する入力手段出力工程と;
をさらに含み、
（ｃ）前記サービスデータ送信工程は、前記入力手段に入力されたデータを前記サーバーまたは前記サービスサーバーに送信することであることを特徴とする、請求項１、２、７、及び８のいずれか一項に記載のアクセスウェブサイト連動インターネットサービス方法。
【請求項１２】
前記入力手段出力工程が、前記使用者コンピュータに入力フォームを出力することであることを特徴とする、請求項１１に記載のアクセスウェブサイト連動インターネットサービス方法。
【請求項１３】
前記サーバーが提供するインターネットサービスは掲示板サービスであり、そして、前記サービスデータ保存手段が掲示物保存手段であることを特徴とする、請求項１または２に記載のアクセスウェブサイト連動インターネットサービス方法。
【請求項１４】
前記サーバーが提供するインターネットサービスが、前記使用者コンピュータがアクセスするウェブサイトの使用に対するヘルプを提供するヘルプサービスであり、そして、前記サービスデータ保存手段が、ヘルプ保存手段であることを特徴とする、請求項１または２に記載のアクセスウェブサイト連動インターネットサービス方法。
【請求項１５】
前記サーバーが提供するインターネットサービスが、前記使用者コンピュータがアクセスするウェブサイトの使用に対する使用者の不便事項の改善を要請する要請サービスであり、そして、前記サービスデータ保存手段は前記要請事項を保存する要請事項保存手段であることを特徴とする、請求項２に記載のアクセスウェブサイト連動インターネットサービス方法。
【請求項１６】
前記サービスデータ出力工程による要請事項の出力が、前記サーバーの運営者コンピュータまたは前記使用者コンピュータがアクセスしたウェブサイトの運営者コンピュータに出力されることを特徴とする、請求項１５に記載のアクセスウェブサイト連動インターネットサービス方法。
【請求項１７】
前記サーバーが提供するインターネットサービスは電子商取引サービスであり、そして、前記サービスデータ保存手段は前記電子商取引関連情報を保存する電子商取引関連情報保存手段であることを特徴とする、請求項１または２に記載のアクセスウェブサイト連動インターネットサービス方法。
【請求項１８】
前記サーバーが提供するインターネットサービスは広告サービスであり、そして、前記サービスデータ保存手段は前記広告情報を保存する広告情報保存手段であることを特徴とする、請求項１または２に記載のアクセスウェブサイト連動インターネットサービス方法。
【請求項１９】
前記使用者コンピュータがアクセスしたウェブサイトのウェブページは、リンクされるウェブページのＵＲＬ及びリンクされたウェブページでの位置座標またはそれら値に対する識別情報を有するリンクコードを含み、前記リンクコードによって、ウェブページがリンクされたウェブページへ移動し、前記リンクされたウェブページの位置座標に標識されるか、または前記インターネットサービスが提供されることを特徴とする、請求項１または２に記載のアクセスウェブサイト連動インターネットサービス方法。
【請求項２０】
前記サーバーまたはサービスサーバーが前記使用者コンピュータに出力するサービスデータは、リンクされるウェブページのＵＲＬ及びリンクされたウェブページでの位置座標またはそれら値に対する識別情報を有するリンクコードを含み、前記リンクコードによってウェブページがリンクされたウェブページへ移動し、前記リンクされたウェブページの位置座標に標識されるか、または前記インターネットサービスが提供されることを特徴とする、請求項１または２に記載のアクセスウェブサイト連動インターネットサービス方法。
【請求項２１】
（ａ）前記使用者コンピュータが前記ウェブサイトのウェブページの位置に対して、その周辺の領域をキャプチャしてデータサイズを演算し、その値を前記位置座標とともに前記サーバーまたは前記サービスサーバーに送信する、領域データサイズ送信工程と；
（ｂ）前記サーバーまたは前記サービスサーバーが、前記サービスデータベースにそれを保存する領域データサイズ保存工程と；
（ｃ）前記サーバーまたは前記サービスサーバーが、前記保存された位置座標に対する設定領域のデータサイズの値を、以後に送信された値と比較して、前記ウェブページで前記位置に対して更新の有無を判断する、更新判断工程と；
をさらに有することを特徴とする、請求項１または２に記載のアクセスウェブサイト連動インターネットサービス方法。
【請求項２２】
前記領域が、前記特定位置の座標に対して、上下左右に一定長さ程度離れた領域により定義されることを特徴とする、請求項２１に記載のアクセスウェブサイト連動インターネットサービス方法。
【請求項２３】
サーバーとウェブブラウザを内蔵した多数の使用者コンピュータが、インターネットを通じてサーバークライアント関係で連結され、前記使用者コンピュータがアクセスしたウェブサイトに連動してインターネットサービスを提供する方法であって、
（ａ）前記使用者コンピュータがインターネットを通じてウェブサイトにアクセスする時、前記使用者コンピュータが前記ウェブサイトのＵＲＬを前記サーバーに送信するウェブサイトアドレス送信工程と；
（ｂ）前記サーバーまたは前記サーバーが管理するサービスサーバーが、前記送信されたウェブサイトのＵＲＬを読むウェブサイトアドレス認識工程と；
（ｃ）前記サーバーまたは前記サービスサーバーが、前記インターネットサービスによるサービスインターフェースを、前記使用者コンピュータに表示された前記ウェブサイトのウェブページに対して出力するサービスインターフェース出力工程と；
（ｄ）前記使用者コンピュータに表示された前記ウェブサイトのウェブページでの特定位置座標を、前記使用者コンピュータが、前記サーバーまたはサービスサーバーに送信する出力位置送信工程と；
（ｅ）前記サーバーまたはサービスサーバーが、前記出力位置送信工程によって送信されたウェブページの位置座標によって、前記インターネットサービスによるサービスデータを前記使用者コンピュータに表示されたウェブページの前記位置座標に対して出力する指定位置出力工程と；
を含むことを特徴とする、前記アクセスウェブサイト連動インターネットサービス方法。
【請求項２４】
サーバーとウェブブラウザを内蔵した多数の使用者コンピュータが、インターネットを通じてサーバークライアント関係で連結され、前記使用者コンピュータがアクセスしたウェブサイトに連動してインターネットサービスを提供する方法であって、
（ａ）前記使用者コンピュータがインターネットを通じてウェブサイトにアクセスする時、前記使用者コンピュータが前記ウェブサイトのＵＲＬを前記サーバーに送信するウェブサイトアドレス送信工程と；
（ｂ）前記サーバーまたは前記サーバーが管理するサービスサーバーが、前記送信されたウェブサイトのＵＲＬを読んで、現在前記ウェブサイトにアクセスしている使用者コンピュータのリストを前記使用者コンピュータに出力する、同一ウェブサイトアクセス者出力工程と；
（ｃ）前記使用者コンピュータが前記リストに出力された使用者コンピュータの中のいずれか一つを選択すると、前記サーバーまたはサービスサーバーが、前記使用者コンピュータと前記使用者コンピュータが選択した使用者コンピュータとを中継して、相互間に成り立つインターネットサービスを提供する、相互間連結サービス提供工程と；
を含むことを特徴とする、前記アクセスウェブサイト連動インターネットサービス方法。
【請求項２５】
前記サーバーまたはサービスサーバーによって提供されるインターネットサービスが、チャット、対戦ゲーム、メッセージ送信の中のいずれかひとつであることを特徴とする、請求項２４に記載のアクセスウェブサイト連動インターネットサービス方法。
【請求項２６】
前記使用者コンピュータがアクセスしたウェブサイトのウェブページが、リンクされるウェブページのＵＲＬ及びリンクされたウェブページでの位置座標またはそれら値に対する識別情報を有するリンクコードを含み、前記リンクコードによって、ウェブページがリンクされたウェブページへ移動し、前記リンクされたウェブページの位置座標に標識されるか、または前記インターネットサービスが提供されることを特徴とする、請求項２４または２５に記載のアクセスウェブサイト連動インターネットサービス方法。
【請求項２７】
前記サーバーまたはサービスサーバーが前記使用者コンピュータに出力するサービスデータが、リンクされるウェブページのＵＲＬ及びリンクされたウェブページでの位置座標またはそれら値に対する識別情報を有するリンクコードを含み、前記リンクコードによって、ウェブページがリンクされたウェブページへ移動し、前記リンクされたウェブページの位置座標に標識されるか、または前記インターネットサービスが提供されることを特徴とする、請求項２４または２５に記載のアクセスウェブサイト連動インターネットサービス方法。
【請求項２８】
ウェブブラウザを内蔵した多数の使用者コンピュータとインターネットを通じてサーバークライアント関係で連結されて、インターネットサービスを提供するサーバーシステムであって、
（ａ）前記インターネットサービスによるサービスデータを、前記使用者コンピュータがアクセスするウェブサイトのＵＲＬと、前記使用者コンピュータに表示される前記ウェブサイトのウェブページでの位置座標とによって保存するサービスデータ保存手段と；
（ｂ）前記使用者コンピュータがインターネットを通じてウェブサイトにアクセスする時、前記使用者コンピュータが送信した前記ウェブサイトのＵＲＬを読むウェブサイトアドレス認識手段と；
（ｃ）前記インターネットサービスによるサービスインターフェースを、前記ウェブサイトにアクセスした使用者コンピュータに出力するサービスインターフェース出力手段と；
（ｄ）前記サービスインターフェースによって前記サービスデータを前記使用者コンピュータに表示された前記ウェブサイトのウェブページの前記位置座標に対して出力するサービスデータ出力手段と；
を含むことを特徴とする、アクセスウェブサイト連動インターネットサービスを提供する前記サーバーシステム。
【請求項２９】
ウェブブラウザを内蔵した多数の使用者コンピュータとインターネットを通じてサーバークライアント関係で連結されて、インターネットサービスを提供するサーバーシステムであって、
（ａ）前記使用者コンピュータがインターネットを通じてウェブサイトにアクセスする時、前記使用者コンピュータが送信した前記ウェブサイトのＵＲＬを読むウェブサイトアドレス認識手段と；
（ｂ）前記インターネットサービスによるサービスインターフェースを、前記ウェブサイトにアクセスした使用者コンピュータに出力するサービスインターフェース出力手段と；
（ｃ）前記使用者コンピュータが前記サーバーに送信した前記ウェブサイトのウェブページでの出力位置座標によって、前記インターネットサービスによるサービスデータを前記使用者コンピュータに表示されたウェブページの前記出力位置座標に対して出力する指定位置出力手段と;
を含むことを特徴とする、アクセスウェブサイト連動インターネットサービスを提供する前記サーバーシステム。
【請求項３０】
ウェブブラウザを内蔵した多数の使用者コンピュータとインターネットを通じてサーバークライアント関係で連結されて、インターネットサービスを提供するサーバーシステムであって、
（ａ）前記使用者コンピュータがインターネットを通じてウェブサイトにアクセスする時、前記使用者コンピュータが送信した前記ウェブサイトのＵＲＬを読むウェブサイトアドレス認識手段と；
（ｂ）前記送信されたウェブサイトのＵＲＬによって現在前記ウェブサイトにアクセスしている使用者コンピュータのリストを前記使用者コンピュータに出力する、同一ウェブサイトアクセス者出力工程と；
（ｃ）前記使用者コンピュータが前記リストに出力された使用者コンピュータの中のいずれか一つを選択すると、前記使用者コンピュータと前記使用者コンピュータが選択した使用者コンピュータとを中継して、相互間に成り立つインターネットサービスを提供する、相互間連結サービス提供手段と；
を含むことを特徴とする、アクセスウェブサイト連動インターネットサービスを提供する前記サーバーシステム。
【請求項３１】
前記相互間連結サービス提供手段が提供するインターネットサービスが、チャット、メッセージ送信、ゲームの中のいずれかひとつであることを特徴とする、請求項３０に記載のアクセスウェブサイト連動インターネットサービスを提供するサーバーシステム。
【請求項３２】
サーバーがウェブブラウザを内蔵した多数の使用者コンピュータとインターネットを通じてサーバークライアント関係で連結されて、インターネットサービスを提供する方法であって、
ここで、前記サーバーまたは前記サーバーが管理するサービスサーバーは、前記使用者コンピュータがアクセスするウェブサイトのＵＲＬに対応して前記ウェブサイトが前記使用者コンピュータに出力するウェブページに、前記サーバーまたは前記サーバーが管理するサービスサーバーが出力するインターネットサービスの提供位置座標を保存しているものとし、前記使用者コンピュータは、自身がアクセスする前記ウェブサイトのＵＲＬを読んで前記サーバーに送信するアクセスウェブサイト連動インターネットサービス装置を有しているものとする、
（ａ）前記使用者コンピュータが前記ウェブサイトにアクセスする時、前記アクセスウェブサイト連動インターネットサービス装置が、前記ウェブサイトのＵＲＬを読んで前記サーバーに送信するアクセスウェブサイトアドレス送信工程と；
（ｂ）前記サーバーまたは前記サーバーが管理するサービスサーバーが、前記送信されたウェブサイトのＵＲＬを読んで、それに対応したインターネットサービス提供位置によって前記ウェブサイトから前記使用者コンピュータに表示されるウェブページに対してインターネットサービスを提供するインターネットサービス提供工程と；
を含むことを特徴とする、前記アクセスウェブサイト連動インターネットサービス方法。
【請求項３３】
前記使用者コンピュータがアクセスするウェブサイトのサーバーまたはサービスサーバーが、自身が提供するウェブページファイルに前記アクセスウェブサイト連動インターネットサービス装置を、前記サーバーまたはサービスサーバーからダウンロードを受けられるようにする呼び出しコードを含んでいることを特徴とする、請求項３２に記載のアクセスウェブサイト連動インターネットサービス方法。
【請求項３４】
前記呼び出しコードは、前記使用者コンピュータに表示される前記ウェブサイトのウェブページにおいて、前記サーバーまたはサービスサーバーが提供するインターネットサービスが提供される位置に表示されることを特徴とする、請求項３３に記載のアクセスウェブサイト連動インターネットサービス方法。
【請求項３５】
前記サーバーまたは前記サービスサーバーは、前記使用者コンピュータがアクセスするウェブサイトのＵＲＬに対応したキーワードを保存しており、
（ａ）前記サーバーまたは前記サーバーが管理するサービスサーバーが、前記使用者コンピュータのアクセスするウェブサイトが前記使用者コンピュータに出力して表示するウェブページに、前記キーワードを入力して検索することができる検索フォームを表示する検索フォーム表示工程と；
（ｂ）前記サーバーまたは前記サービスサーバーが、前記使用者コンピュータにキーワードが入力されると、それを前記ウェブサイトのＵＲＬに対応して保存されたキーワードと比較して対応するものがある場合、それを前記使用者コンピュータに出力して表示する検索結果表示工程と；
をさらに有することを特徴とする、請求項３２ないし３４のいずれか一項に記載のアクセスウェブサイト連動インターネットサービス方法。
【請求項３６】
前記サーバーまたは前記サービスサーバーは広告データを保存しており、
前記サーバーまたは前記サービスサーバーは、前記使用者コンピュータのアクセスするウェブサイトが前記使用者コンピュータに出力して表示するウェブページに広告データを出力して表示する広告工程をさらに有することを特徴とする、請求項３２ないし３４のいずれか一項に記載のアクセスウェブサイト連動インターネットサービス方法。
【請求項３７】
前記使用者コンピュータがアクセスしたウェブサイトのウェブページが、リンクされるウェブページのＵＲＬ及びリンクされたウェブページでの位置座標またはそれらの値に対する識別情報を有するリンクコードを含み、前記リンクコードによって、ウェブページがリンクされたウェブページへ移動し、前記リンクされたウェブページの位置座標に標識されたりまたは前記インターネットサービスが提供されることを特徴とする、請求項３２ないし請求項３４のいずれか一項に記載のアクセスウェブサイト連動インターネットサービス方法。
【請求項３８】
前記サーバーまたはサービスサーバーが前記使用者コンピュータに出力するサービスデータは、リンクされるウェブページのＵＲＬ及びリンクされたウェブページでの位置座標またはそれらの値に対する識別情報を有するリンクコードを含み、前記リンクコードによって、ウェブページがリンクされたウェブページへ移動し、前記リンクされたウェブページの位置座標に標識されるか、または前記インターネットサービスが提供されることを特徴とする、請求項３２ないし３４のいずれか一項に記載のアクセスウェブサイト連動インターネットサービス方法。
【請求項３９】
サーバーとウェブブラウザを内蔵した多数の使用者コンピュータがインターネットを通じてサーバークライアント関係で連結され、前記使用者コンピュータがアクセスしたウェブサイトに連動して前記使用者コンピュータに設置されたハードウェアを制御する方法であって、
ここで、前記サーバーまたは前記サーバーが管理するサービスサーバーは、前記使用者コンピュータがアクセスするウェブサイトの各々のＵＲＬに対応して個々の使用者コンピュータに連結設置されたハードウェアを認識することができる固有値を保存しているものとする、
（ａ）前記使用者コンピュータがインターネットを通じてウェブサイトにアクセスすると、前記ウェブサイトのＵＲＬを前記サーバーに送信するウェブサイトアドレス送信工程と；
（ｂ）前記使用者コンピュータが、前記サーバーまたはサービスサーバーにハードウェアの作動を制御する制御命令を要請する制御命令要請工程と；
（ｃ）前記サーバーまたはサービスサーバーが、前記ＵＲＬによるハードウェアの動作を定義する制御コードを前記使用者コンピュータに送信する制御命令工程と；
を含むことを特徴とする、前記アクセスウェブサイト連動ハードウェア制御方法。
【請求項４０】
前記個々の使用者コンピュータに連結設置された各々のハードウェアを認識することができる固有値が、個々の使用者コンピュータのＩＰアドレスと、Ｍａｃアドレスと、ハードウェアへ連結されたポート番号とであることを特徴とする、請求項３９に記載のアクセスウェブサイト連動ハードウェア制御方法。
【請求項４１】
前記アクセスするウェブサイトの各々のＵＲＬに対応して個々の使用者コンピュータに連結設置されたハードウェアを認識することができる固有値は、個々の会員に対して記録されていて、個々の会員情報によってアクセスするウェブサイトに連動してハードウェアを制御することを特徴とする、請求項３９または４０に記載のアクセスウェブサイト連動ハードウェア制御方法。
【請求項４２】
ウェブブラウザを内蔵した使用者コンピュータに設置されて作動するアクセスウェブサイト連動サービス装置が実施する方法であって、
ここで、前記アクセスウェブサイト連動サービス装置は、本人が提供するサービスによるサービスデータを前記使用者コンピュータがアクセスするウェブサイトのＵＲＬと前記使用者コンピュータに表示される前記ウェブサイトのウェブページでの位置座標とによって保存するサービスデータ保存手段を有しているものとする、
（ａ）前記使用者コンピュータがインターネットを通じてウェブサイトにアクセスする時、前記使用者コンピュータがアクセスする前記ウェブサイトのＵＲＬを認識する、アクセスウェブサイトアドレス認識工程と；
（ｂ）サービスインターフェースを前記使用者コンピュータに表示された前記ウェブサイトのウェブページに対して表示するサービスインターフェース表示工程と；
（ｃ）前記サービスインターフェースによって前記サービスデータを前記使用者コンピュータに表示された前記ウェブサイトのウェブページで相当する位置座標に対して表示するサービスデータ表示工程と；
を含むことを特徴とする、使用者コンピュータに設置されて作動するアクセスウェブサイト連動サービス装置の前記アクセスウェブサイト連動サービス方法。
【請求項４３】
前記ウェブサイトは、特定の１つのウェブサイトであって、前記インターネットサービス装置は、前記特定の１つのウェブサイトからダウンロードされて前記使用者コンピュータに設置されることを特徴とする、請求項４２に記載の使用者コンピュータに設置されて作動するアクセスウェブサイト連動サービス装置のアクセスウェブサイト連動サービス方法。
【請求項４４】
移動式メモリー装置に設置されて、前記移動式メモリー装置が前記使用者コンピュータに接続される場合に、前記インターネットサービス装置が実行されることを特徴とする、請求項４２に記載の使用者コンピュータに設置されて作動するアクセスウェブサイト連動サービス装置のアクセスウェブサイト連動サービス方法。
【請求項４５】
前記インターネットサービス装置の提供するサービスは、前記使用者コンピュータがアクセスするウェブサイトの使用に対するヘルプを提供するヘルプサービスであることを特徴とする、請求項４２ないし４４のいずれか一項に記載の使用者コンピュータに設置されて作動するアクセスウェブサイト連動サービス装置のアクセスウェブサイト連動サービス方法。
【請求項４６】
前記インターネットサービス装置の提供するサービスは広告サービスであることを特徴とする、請求項４２ないし４４のいずれか一項に記載の使用者コンピュータに設置されて作動するアクセスウェブサイト連動サービス装置のアクセスウェブサイト連動サービス方法。
【請求項４７】
サーバーとウェブブラウザを内蔵した多数の使用者コンピュータがインターネットを通じてサーバークライアント関係で連結され、遠隔コンピュータを通じて前記使用者コンピュータがアクセスしたウェブサイトに連動して前記使用者コンピュータに設置されたハードウェアを遠隔で制御する方法であって、
ここで、前記サーバーまたは前記サーバーが管理するサービスサーバーは、前記使用者コンピュータがアクセスするウェブサイトのＵＲＬに対応して個々の使用者コンピュータに連結設置されたハードウェアを認識することができる固有値を保存しているものとする、
（ａ）遠隔コンピュータが遠隔接続を通じて前記使用者コンピュータに接続する、遠隔コンピュータの使用者コンピュータへの遠隔接続工程と；
（ｂ）前記遠隔コンピュータの制御によって、前記使用者コンピュータがウェブサイトにアクセスすると、前記使用者コンピュータが前記ウェブサイトのＵＲＬを前記サーバーに送信するウェブサイトアドレス送信工程と；
（ｃ）前記遠隔コンピュータの制御によって、前記使用者コンピュータが、前記サーバーまたは前記サービスサーバーでハードウェアを指定して、その指定ハードウェアの作動を制御するための制御命令を要請する制御命令要請工程と；
（ｄ）前記サーバーまたはサービスサーバーが、前記使用者コンピュータに指定されたハードウェアの動作を定義する制御コードを送信する制御命令工程と；
を含むことを特徴とする、前記遠隔ハードウェア制御方法。
【請求項４８】
遠隔コンピュータを通じて、前記使用者コンピュータがアクセスしたウェブサイトに連動して前記使用者コンピュータに設置されたハードウェアを制御する方法であって、
前記サーバーまたはサービスサーバーが前記使用者コンピュータに連結設置されたハードウェアの指定を要請すると、前記遠隔コンピュータが前記使用者コンピュータを制御してハードウェアを指定して、前記サーバーまたはサービスサーバーに入力するハードウェア指定工程を、前記制御命令要請工程が含むことを特徴とする、請求項４７に記載の前記遠隔ハードウェア制御方法。
【請求項４９】
遠隔コンピュータを通じて前記使用者コンピュータがアクセスしたウェブサイトに連動して前記使用者コンピュータに設置されたハードウェアを制御する方法であって、
個々の使用者コンピュータに連結設置されたハードウェアを認識することができる前記固有値は、前記使用者コンピュータのＩＰアドレスと、Ｍａｃアドレスと、その下部階層の連結による固有値とを含むことを特徴とする、請求項４７または４８に記載の前記遠隔ハードウェア制御方法。
【請求項５０】
遠隔コンピュータを通じて前記使用者コンピュータがアクセスしたウェブサイトに連動して前記使用者コンピュータに設置されたハードウェアを制御する方法であって、
前記使用者コンピュータの下部階層の連結による固有値が、ハードウェアインターフェース装置のＭａｃアドレスとそのスロットＩＤとを含むことを特徴とする、請求項４９に記載の前記遠隔ハードウェア制御方法。
【請求項５１】
前記使用者コンピュータがアクセスするウェブサイトの各々のＵＲＬに対応して個々の使用者コンピュータに連結設置されたハードウェアを認識することができる前記固有値は、個々の会員に対して記録されていて、個々の会員情報によって遠隔コンピュータを通じて前記使用者コンピュータがアクセスしたウェブサイトに連動して、前記使用者コンピュータに設置されたハードウェアを制御する、請求項４７または４８に記載の遠隔ハードウェア制御方法。
【請求項５２】
前記遠隔コンピュータがアクセスしたウェブサイトに連動して前記使用者コンピュータに設置されたハードウェアを制御する方法であって、
前記使用者コンピュータが、前記サーバーまたはサービスサーバーとインターネットを通じて情報を送受信することができる通信端末機であることを特徴とする、請求項４７または４８に記載の前記遠隔ハードウェア制御方法。
【請求項５３】
前記遠隔コンピュータがアクセスしたウェブサイトに連動して前記使用者コンピュータに設置されたハードウェアを制御する方法であって、
前記サーバーまたはサービスサーバーが、前記使用者コンピュータに表示される前記ＵＲＬによるウェブページの位置に対して、個々の使用者コンピュータに連結設置されたハードウェアを認識することができる固有値を保存しており、そして、
前記サーバーまたは前記サービスサーバーが、前記使用者コンピュータに前記ＵＲＬによるウェブページの相当する位置に対してハードウェア制御インターフェースを出力するハードウェア制御インターフェース出力工程を更に含むことを特徴とする、請求項４７または４８に記載の前記遠隔ハードウェア制御方法。
【請求項５４】
前記遠隔コンピュータがアクセスしたウェブサイトに連動して前記使用者コンピュータに設置されたハードウェアを制御する方法であって、
前記ハードウェア制御インターフェースが、ＵＲＬと関連するハードウェアの設定、前記ハードウェアに対するモニタリング結果の表示、及び前記ハードウェアの制御命令に対するものであることを特徴とする、請求項５３に記載の前記遠隔ハードウェア制御方法。
【請求項５５】
サーバーとウェブブラウザを内蔵した多数の使用者コンピュータが、インターネットを通じてサーバークライアント関係で連結されて、遠隔コンピュータを通じて前記遠隔コンピュータがアクセスしたウェブサイトに連動して、前記使用者コンピュータに設置されたハードウェアを遠隔で制御する方法であって、
ここで、前記サーバーまたは前記サーバーが管理するサービスサーバーは、前記使用者コンピュータがアクセスするウェブサイトのＵＲＬに対応して個々の使用者コンピュータに連結設置されたハードウェアを認識することができる固有値を保存しているものとする、
（ａ）遠隔コンピュータがアクセスしたウェブサイトのＵＲＬを、前記サーバーに送信するウェブサイトアドレス送信工程と；
（ｂ）前記遠隔コンピュータが、前記サーバーまたはサービスサーバーに前記使用者コンピュータに対するハードウェアを指定して、その作動を制御するための制御命令を要請する制御命令要請工程と；
（ｃ）前記サーバーまたはサービスサーバーが、前記使用者コンピュータに指定されたハードウェアの動作を定義する制御コードを送信する制御命令工程と；
を含むことを特徴とする、前記遠隔ハードウェア制御方法。
【請求項５６】
遠隔コンピュータを通じて前記遠隔コンピュータがアクセスしたウェブサイトに連動して前記使用者コンピュータに設置されたハードウェアを制御する方法であって、
前記制御命令要請工程はハードウェア指定工程を含み、前記ハードウェア指定工程は、前記サーバーまたはサービスサーバーが前記使用者コンピュータに連結設置されたハードウェアの指定を要請すると、前記遠隔コンピュータが前記使用者コンピュータに連結されたハードウェアを指定する工程であることを特徴とする、請求項５５に記載の前記遠隔ハードウェア制御方法。
【請求項５７】
前記使用者コンピュータがアクセスするウェブサイトの各々のＵＲＬに対応して、個々の使用者コンピュータに連結設置されたハードウェアを認識することができる前記固有値は、個々の会員に対して記録されており、個々の会員情報によって遠隔コンピュータを通じて前記遠隔コンピュータがアクセスしたウェブサイトに連動して、前記使用者コンピュータに設置されたハードウェアを制御する、請求項５５または５６に記載の遠隔ハードウェア制御方法。
【請求項５８】
前記遠隔コンピュータがアクセスしたウェブサイトに連動して前記使用者コンピュータに設置されたハードウェアを制御する方法であって、
前記使用者コンピュータが、前記サーバーまたはサービスサーバーとインターネットとを通じて情報を送受信することができる通信端末機であることを特徴とする、請求項５５または５６に記載の前記遠隔ハードウェア制御方法。
【請求項５９】
前記遠隔コンピュータがアクセスしたウェブサイトに連動して前記使用者コンピュータに設置されたハードウェアを制御する方法であって、
前記サーバーまたはサービスサーバーが会員に対してハードウェアを制御する方式を保存した場合、前記遠隔コンピュータが異なる使用者コンピュータに連結設置された同一ハードウェアに対する制御方式を選択すると、その制御方式にしたがって前記サーバーまたはサービスサーバーが、前記使用者コンピュータを制御することを特徴とする、請求項５７に記載の前記遠隔ハードウェア制御方法。
【請求項６０】
遠隔コンピュータを通じて前記遠隔コンピュータがアクセスしたウェブサイトに連動して前記使用者コンピュータに設置されたハードウェアを制御する方法であって、
前記サーバーまたはサービスサーバーが、前記使用者コンピュータに表示される前記ＵＲＬによるウェブページの位置に対して、個々の使用者コンピュータに連結設置されたハードウェアを認識することができる固有値を保存しており、そして、
前記サーバーまたは前記サービスサーバーは、前記遠隔コンピュータに前記ＵＲＬによるウェブページの相当する位置に対してハードウェア制御インターフェースを出力することを特徴とする、請求項５５または５６に記載の前記遠隔ハードウェア制御方法。
【請求項６１】
遠隔コンピュータを通じて前記遠隔コンピュータがアクセスしたウェブサイトに連動して前記使用者コンピュータに設置されたハードウェアを制御する方法であって、
前記ハードウェア制御インターフェースが、ＵＲＬと関連するハードウェアの設定、前記ハードウェアに対するモニタリング結果の表示、及び前記ハードウェアの制御命令に対するものであることを特徴とする、請求項６０に記載の前記遠隔ハードウェア制御方法。
【請求項６２】
サーバーとウェブブラウザを内蔵した多数の使用者コンピュータがインターネットを通じてサーバークライアント関係で連結されて、前記サーバーまたは前記サーバーが管理するサービスサーバーが、前記使用者コンピュータがアクセスしたウェブサイトに連動して前記使用者コンピュータに設置されたハードウェアを制御する方法であって、
ここで、前記サーバーまたは前記サーバーが管理するサービスサーバーは、前記使用者コンピュータがアクセスするウェブサイトの各々のＵＲＬに対応して個々の使用者コンピュータに連結設置されたハードウェアを認識することができる固有値を保存しているものとする、
（ａ）前記使用者コンピュータがインターネットを通じてウェブサイトにアクセスする時、前記使用者コンピュータが送信した前記ウェブサイトのＵＲＬを読むウェブサイトアドレス認識工程と；
（ｂ）前記使用者コンピュータが要請したハードウェアの作動を制御する制御命令要請によって、前記サーバーまたはサービスサーバーが、前記ＵＲＬによるハードウェアの動作を定義する制御コードを前記使用者コンピュータに送信する制御命令工程と；
を含むことを特徴とする、前記アクセスウェブサイト連動ハードウェア制御方法。
【請求項６３】
サーバーとウェブブラウザを内蔵した多数の使用者コンピュータがインターネットを通じてサーバークライアント関係で連結され、前記サーバーまたは前記サーバーが管理するサービスサーバーが、前記使用者コンピュータがアクセスしたウェブサイトに連動して前記使用者コンピュータに設置されたハードウェアを遠隔で制御する方法であって、
ここで、前記サーバーまたは前記サーバーが管理するサービスサーバーは、前記使用者コンピュータがアクセスするウェブサイトのＵＲＬに対応して個々の使用者コンピュータに連結設置されたハードウェアを認識することができる固有値を保存しているものとする、
（ａ）前記使用者コンピュータに遠隔で接続した遠隔コンピュータの制御によって、前記使用者コンピュータがウェブサイトにアクセスする時、前記使用者コンピュータが送信した前記ウェブサイトのＵＲＬを読むウェブサイトアドレス認識工程と；
（ｂ）前記遠隔コンピュータの制御によって前記使用者コンピュータがハードウェアを指定して、そのハードウェアの作動を制御する制御命令を要請すると、前記サーバーまたはサービスサーバーが、前記使用者コンピュータに指定されたハードウェアの動作を定義する制御コードを送信する制御命令工程と；
を含むことを特徴とする、前記アクセスウェブサイト連動ハードウェア遠隔制御方法。
【請求項６４】
前記サーバーまたはサービスサーバーが、前記使用者コンピュータに表示される前記ＵＲＬによるウェブページの位置に対して、個々の使用者コンピュータに連結設置されたハードウェアを認識することができる固有値を保存しており、そして、
前記サーバーまたは前記サービスサーバーは、前記使用者コンピュータに前記ＵＲＬによるウェブページの相当する位置に対してハードウェア制御インターフェースを出力するハードウェア制御インターフェース出力工程を更に含むことを特徴とする、請求項６３に記載のアクセスウェブサイト連動ハードウェア遠隔制御方法。
【請求項６５】
サーバーとウェブブラウザを内蔵した多数の使用者コンピュータがインターネットを通じてサーバークライアント関係で連結され、前記サーバーまたは前記サーバーが管理するサービスサーバーが、遠隔コンピュータを通じて前記遠隔コンピュータがアクセスしたウェブサイトに連動して、前記使用者コンピュータに設置されたハードウェアを遠隔で制御する方法であって、
ここで、前記サーバーまたは前記サーバーが管理するサービスサーバーは、前記使用者コンピュータがアクセスするウェブサイトのＵＲＬに対応して個々の使用者コンピュータに連結設置されたハードウェアを認識することができる固有値を保存しているものとする、
（ａ）遠隔コンピュータがウェブサイトにアクセスする時、前記遠隔コンピュータが送信した前記ウェブサイトのＵＲＬを読むウェブサイトアドレス認識工程と；
（ｂ）前記遠隔コンピュータが前記使用者コンピュータに対するハードウェアを指定して、その作動を制御する制御命令を要請すると、前記サーバーまたはサービスサーバーが、前記使用者コンピュータに指定されたハードウェアの動作を定義する制御コードを送信する制御命令工程と；
を含む、前記遠隔ハードウェア制御方法。
【請求項６６】
遠隔コンピュータを通じて前記遠隔コンピュータがアクセスしたウェブサイトに連動して前記使用者コンピュータに設置されたハードウェアを制御する方法であって、
前記サーバーまたはサービスサーバーは、前記使用者コンピュータに表示される前記ＵＲＬによるウェブページの位置に対して、個々の使用者コンピュータに連結設置されたハードウェアを認識することができる固有値を保存しており、そして、
前記サーバーまたは前記サービスサーバーは、前記遠隔コンピュータに前記ＵＲＬによるウェブページの相当する位置に対してハードウェア制御インターフェースを出力するハードウェア制御インターフェース出力工程を更に含むことを特徴とする、請求項６５に記載の前記遠隔ハードウェア制御方法。
【発明の詳細な説明】
【発明の詳細な説明】
【０００１】
《技術分野》
本発明は、アクセスするウェブサイトに連動したインターネットサービスシステム及びその方法に関するものである。本発明は、特定ウェブサイトにアクセスした使用者たちに対して、前記ウェブサイトのウェブページの必要な位置に対して、前記アクセスしたウェブサイトが提供するサービスの枠を越えたインターネットサービスを提供する。
【背景技術】
【０００２】
現在のウェブサイトを利用する場合、その使用は、使用者のアクセスしたウェブサイトが提供するサービスに従属するだけであり、その枠を越えた使用は不可能である。しかし、ウェブサイトにアクセスした使用者たちには、そのウェブサイトが提供するサービスの枠を越えたサービスが必要となることがある。
【０００３】
例えば、ショッピングモールのような電子商取引ウェブサイトで、その販売物品と関連する情報を提供したり使用者が情報をアップロードしたりすることができ、そして、交換することができたら好ましいと思われる。たとえ、電子商取引を提供するウェブサイトで、このようなサービスを提供しなくても、そのサイトに接続した使用者たちが能動的に関連情報をアップロードすることができ、また、このような情報を相互間で交換することができれば好ましい。その場合、前記電子商取引サイトが、このようなサービスを提供するとしても、それとは別に前記サイトにアクセスした使用者たちにこのようなサービスが提供されれば、使用者の立場でもう少し客観的な情報の確保ができるため好ましい。
【０００４】
特に、特定ウェブサイトにアクセスした使用者たちに情報を提供して、使用者が情報をアップロードして、このような情報を共有することができる前記サービスを、前記ウェブサイトのウェブページの特定位置で提供することができる場合には、さらに好ましいと言える。例えば、上述したショッピングモールのようなウェブサイトの場合、ウェブページで特定物品が配置された位置に、このような情報が提供され、アップロードされれば、まさにその位置の物品に対する情報であることを即時に使用者は認知することができるからである。
【０００５】
また、この場合、このような意見は、年齢、趣味、性格、性別、職業、所得、言語、国籍などと、管理個人の特性によって異なり得るが、本人が属している集団と同一に設定されている使用者とメッセージ伝達などのコミュニケーションができれば好ましい。
【０００６】
また、このように特定ウェブサイトにアクセスした使用者に対して、そのウェブサイトが直接的に提供するサービスと、独立的に提供されるサービスとして、そのサイトの利用に対して必要なヘルプが提供され得るなら、サイト利用に対する便宜性が増大されて好ましい。
【０００７】
さらに、前記ウェブサイトの使用に対して不便さを感じた使用者が、その不便さに対する改善を要請するようにすると、その要請事項によって後で改善され得るので好ましい。
【０００８】
他の観点で、特定ウェブサイトの提供するサービスは、制限されるしかないが、そのウェブサイトに接続した使用者の立場では、追加的な多様なサービスを楽しみたいという要望が存在し得るので、そのような要望を満たすことができれば好ましい。
【０００９】
例えば、インターネット書店サイトの場合、該当の本に対して他人とリアルタイムで意見を求めるためにそのサイトにアクセスした他人とチャットをしたいという要望があり、そのサイトにアクセスした他人に文字メッセージを送りたいということがある。この場合、たとえ前記インターネット書店サイトが、チャットまたは文字メッセージ送信サービスを提供していなくても、そのサイトに接続した使用者にそのようなサービスが可能になり得たら好ましい。
【００１０】
また他の観点で、現在インターネットでウェブサイトを通じて提供されるサービスは、基本的に会員管理及び掲示板のようなものから、チャット、ゲーム、メッセージ送信など多様だが、個々のウェブサイトがそれぞれ、自身が提供するサービスプログラムを製作して、そのサーバーに設置して提供することは非効率的なことがある。すなわち、基本的な部分のみを自身のウェブサイトで提供して、他の部分は自身のウェブサイトと連動して自身のウェブサイトにアクセスする使用者に提供することができれば好ましい。このような場合また、自身のウェブサイトのウェブページの特定位置と関連して自身のウェブサイトと連動して、自身のウェブサイトにアクセスする使用者に提供されれば、さらに好ましい。
【００１１】
特に、基本的なコンテンツ（ｃｏｎｔｅｎｔｓ）部分のみを自身のウェブサイトで提供し、他のサービス部分は、自身のウェブサイトと連動させて自身のウェブサイトにアクセスする使用者に使用者の取捨選択による情報として提供すことがさらに好ましい。このような場合もまた、自身のウェブサイトのウェブページの特定位置と関連して自身のウェブサイトと連動させて自身のウェブサイトにアクセスする使用者に提供された方が良い。
【００１２】
例えば、一般的に公開される広告などの場合、使用者コンピュータがアクセスするウェブサイトでは提供しないが、前記ウェブサイトにアクセスした使用者へ、特定位置と関連して広告を行なうことができる。ここで、広告に不便さを感じる使用者のために、使用者が広告とともにコンテンツを見るのか、コンテンツのみを活用するのかを使用者自身が決められるようにすると好ましい。
【００１３】
また、使用者コンピュータに設置されるハードウェア装置を、前記使用者コンピュータがアクセスするサイトによって、使用者が所望する設定形態で動作させて使用することができれば好ましい。特に、このようなサービスは、個々の使用者コンピュータごとにカスタマイズされ、自身だけが有しているハードウェア装置（例えば、照明、震動装置、発香装置、扇風機）などを、自身が好んで訪問するサイトで、自身が所望する設定形態（強度、動作有無）で使用することができれば好ましい。
【００１４】
このようにアクセスするサイトによってハードウェアを制御する場合、使用者がログイン後、ハードウェア動作に対するプロフィールを作成しておいた特定ウェブサイトに訪問するだけで、遠隔地から家庭のハードウェアをモニタリングまたは制御して、遠隔制御またはホームオートメーションシステムを管理することができれば、さらに好ましい。
【００１５】
このように特定ウェブサイトにアクセスした使用者に対して、そのウェブサイトが提供するサービスの枠を越えて、情報を提供し、使用者が情報をアップロードし、またそれを交換して、さらには追加的なインターネットサービスを提供することができれば好ましい。ここで、前記ウェブサイトのウェブページの特定位置と関連してこのようなサービスができれば、さらに好ましい。さらには、このようなサービスは、使用者の趣向によってカスタマイズして提供することができればさらに好ましい。本発明は、このような要望を満たすものである。
【発明の内容】
【００１６】
《解決しようとする課題》
本発明は、使用者コンピュータがアクセスするウェブサイトのウェブページの特定位置に対して、使用者が必要とするインターネットサービスを提供し、便利で自由にインターネットサービスを使用できるようにするものである。特に、本発明は、使用者コンピュータがアクセスするウェブサイトに属さないで、その枠を越えたサービスを、本来のウェブサイトのウェブページのコンテンツと連動させて提供するようにして、インターネットサービスの効率を大きく増加させることを目的とする。
【００１７】
さらに本発明は、使用者コンピュータがアクセスしたウェブサイトによって、外部から電子機器などの装置を制御することができる遠隔制御またはホームオートメーションを可能にすることを目的とする。
【００１８】
《課題を解決するための手段》
本発明は、サーバーとウェブブラウザを内蔵した多数の使用者コンピュータが、インターネットを通じてサーバークライアント関係で連結されて、前記使用者コンピュータがアクセスしたウェブサイトに連動してインターネットサービスを提供する方法であって、
ここで、前記サーバーまたは前記サーバーが管理するサービスサーバーは、前記使用者コンピュータがアクセスするウェブサイトのＵＲＬと前記使用者コンピュータに表示される前記ウェブサイトのウェブページでの位置座標とによって、前記インターネットサービスによるサービスデータを保存するサービスデータ保存手段を有しているものとする、
前記使用者コンピュータがインターネットを通じて特定ウェブサイトにアクセスする時、前記使用者コンピュータが前記ウェブサイトのＵＲＬを前記サーバーに送信するウェブサイトアドレス送信工程と；
前記サーバーまたは前記サーバーが管理するサービスサーバーが、前記送信されたウェブサイトのＵＲＬを読むウェブサイトアドレス認識工程と；
前記サーバーまたは前記サービスサーバーが、前記インターネットサービスによるサービスインターフェースを、前記使用者コンピュータに表示された前記ウェブサイトのウェブページに対して出力するサービスインターフェース出力工程と；
前記サーバーまたは前記サービスサーバーが前記サービスデータを、前記サービスインターフェースによって、前記使用者コンピュータに表示された前記ウェブサイトのウェブページの該当位置座標に対して出力する、サービスデータ出力工程と；
を含むことを特徴とする、前記アクセスウェブサイト連動インターネットサービス方法を提供する。
【００１９】
本発明によるアクセスウェブサイト連動インターネットサービス方法は、前記使用者コンピュータが前記サーバーまたは前記サービスサーバーに前記ウェブページの位置座標によるサービスデータを送信するサービスデータ送信工程と；
前記サーバーまたは前記サービスサーバーが前記送信されたサービスデータを前記サービスデータ保存手段に保存するサービスデータ保存工程と；
をさらに含むことができる。
【００２０】
本発明の場合、前記サービスサーバーは、前記使用者コンピュータがアクセスするウェブサイトのサーバーであることができる。
【００２１】
本発明によるアクセスウェブサイト連動インターネットサービス方法は、前記使用者コンピュータに表示された前記ウェブサイトのウェブページで、特定位置座標を前記使用者コンピュータが前記サーバーまたはサービスサーバーに送信する出力位置送信工程をさらに含み、
この場合、前記サービスデータ出力工程は、指定位置出力工程を含み、前記指定位置出力工程は、前記サーバーまたはサービスサーバーが前記出力位置送信工程によって送信されたウェブページの位置座標によって、前記サービスデータ保存手段からその位置座標に保存されているサービスデータを、前記使用者コンピュータに表示されたウェブページの該当位置に対して出力する工程である。
【００２２】
この場合、前記出力位置送信工程で前記特定位置は、使用者コンピュータに表示された前記ウェブページでポインティングデバイスがポインティングした位置によって決定され得る。
【００２３】
本発明の場合、前記サービスデータ出力工程は、前記使用者コンピュータに表示される前記使用者コンピュータがアクセスしたウェブサイトのウェブページで、前記サービスデータが存在する位置座標にサービスデータがあることを表示する、位置によるサービスデータ表示工程と；
前記ウェブページ上でサービスデータがあることが表示された位置が指定されれば、その位置に対するサービスデータが出力される、指定位置によるサービスデータ出力工程と；
を含むことができる。
【００２４】
この場合、前記位置によるサービスデータ表示工程は、前記ウェブページ上で各々のサービスデータ位置に図形で表示されることが好ましく、特に、前記図形にその位置座標のサービスデータの個数を表示することが好ましい。
【００２５】
本発明の場合、前記使用者コンピュータがアクセスするウェブサイトに連動して提供するインターネットサービスに対する管理権限は、前記サーバーの運営者または前記使用者コンピュータがアクセスするウェブサイト運営者のいずれか一方に与えられることができる。
【００２６】
本発明の場合、サービスデータは、データの性格によって分類して前記サービスデータ保存手段に保存され、前記分類によって前記サービスデータを前記使用者コンピュータに出力するものであることができる。
【００２７】
本発明によるアクセスウェブサイト連動インターネットサービス方法は、前記使用者コンピュータが前記サーバーまたはサービスサーバーに、前記ウェブページの特定位置座標に対してサービスデータを入力するものであることを要請するサービスデータ入力要請工程と；
前記サーバーまたはサービスサーバーが前記サービスデータ入力要請工程によって前記使用者コンピュータに入力手段を出力する入力手段出力工程と；
をさらに含むことができ、
この場合、前記サービスデータ送信工程は、前記入力手段で入力されたデータを前記サーバーまたは前記サービスサーバーに送信することができる。
【００２８】
ここで、前記入力手段出力工程は、前記使用者コンピュータに入力フォームを出力することが好ましい。
【００２９】
本発明の場合、前記サーバーが提供するインターネットサービスは掲示板サービスであり、そして、前記サービスデータ保存手段は掲示物保存手段であることができる。
【００３０】
本発明の場合、前記サーバーが提供するインターネットサービスは、前記使用者コンピュータがアクセスするウェブサイトの使用に対するヘルプを提供するヘルプサービスであり、そして、前記サービスデータ保存手段は、ヘルプ保存手段であることができる。
【００３１】
本発明の場合、前記サーバーが提供するインターネットサービスは、前記使用者コンピュータがアクセスするウェブサイトの使用に対する使用者の不便事項の改善を要請する要請サービスであり、そして、前記サービスデータ保存手段は、前記要請事項を保存する要請事項保存手段であることができる。
【００３２】
本発明の場合、前記サービスデータ出力工程による要請事項の出力は、前記サーバーの運営者コンピュータまたは前記使用者コンピュータがアクセスしたウェブサイトの運営者コンピュータに出力されることが好ましい。
【００３３】
本発明の場合、前記サーバーが提供するインターネットサービスは電子商取引サービスであり、そして、前記サービスデータ保存手段は、前記電子商取引関連情報を保存する電子商取引関連情報保存手段であり得る。
【００３４】
本発明の場合、前記サーバーが提供するインターネットサービスは広告サービスであり、そして、前記サービスデータ保存手段は、前記広告情報を保存する広告情報保存手段であり得る。
【００３５】
本発明の場合、前記使用者コンピュータがアクセスしたウェブサイトのウェブページは、リンクされるウェブページのＵＲＬ及びリンクされたウェブページでの位置座標またはこれら値に対する識別情報を有するリンクコードを含み、前記リンクコードによってウェブページがリンクされたウェブページへ移動し、前記リンクされたウェブページの位置座標で標識されたりまたは前記インターネットサービスが提供されることが好ましい。
【００３６】
本発明の場合、前記サーバーまたはサービスサーバーが、前記使用者コンピュータに出力するサービスデータは、リンクされるウェブページのＵＲＬ及びリンクされたウェブページでの位置座標またはこれら値に対する識別情報を有するリンクコードを含み、前記リンクコードによってウェブページがリンクされたウェブページへ移動し、前記リンクされたウェブページの位置座標で標識されたりまたは前記インターネットサービスが提供されることが好ましい。
【００３７】
本発明によるアクセスウェブサイト連動インターネットサービス方法は、前記使用者コンピュータが前記ウェブサイトのウェブページの特定位置に対して、その周辺の特定領域をキャプチャしてデータサイズを演算し、その値を前記位置座標とともに前記サーバーまたは前記サービスサーバーに送信する領域データサイズ送信工程と；
前記サーバーまたは前記サービスサーバーが前記サービスデータベースにそれを保存する領域データサイズ保存工程と；
前記サーバーまたは前記サービスサーバーが前記保存された特定位置座標に対する設定領域の大きさの値を以後に送信された値と比較して、前記ウェブページで前記位置に対して更新可否を判断する更新判断工程と；
をさらに有することができる。
【００３８】
この場合、前記特定領域は、前記特定位置の座標に対して上下左右に特定長さ程度離れた領域により定義することができる。
【００３９】
本発明はまた、サーバーとウェブブラウザを内蔵した多数の使用者コンピュータがインターネットを通じてサーバークライアント関係で連結されて、前記使用者コンピュータがアクセスしたウェブサイトに連動してインターネットサービスを提供する方法であって、
前記使用者コンピュータがインターネットを通じて特定ウェブサイトにアクセスする時、前記使用者コンピュータが前記ウェブサイトのＵＲＬを前記サーバーに送信するウェブサイトアドレス送信工程と；
前記サーバーまたは前記サーバーが管理するサービスサーバーが、前記送信されたウェブサイトのＵＲＬを読むウェブサイトアドレス認識工程と；前記サーバーまたは前記サービスサーバーが前記インターネットサービスによるサービスインターフェースを前記使用者コンピュータに表示された前記ウェブサイトのウェブページに対して出力するサービスインターフェース出力工程と；
前記使用者コンピュータに表示された前記ウェブサイトのウェブページで特定位置の座標を前記使用者コンピュータが前記サーバーまたはサービスサーバーに送信する出力位置送信工程と；
前記サーバーまたはサービスサーバーが前記出力位置送信工程によって送信されたウェブページの位置座標によって、前記インターネットサービスによるサービスデータを前記使用者コンピュータに表示されたウェブページの該当位置座標に対して出力する指定位置出力工程と；
を含む前記アクセスウェブサイト連動インターネットサービス方法を提供する。
【００４０】
さらに本発明は、サーバーとウェブブラウザを内蔵した多数の使用者コンピュータが、インターネットを通じてサーバークライアント関係で連結されて前記使用者コンピュータがアクセスしたウェブサイトに連動してインターネットサービスを提供する方法であって、
前記使用者コンピュータがインターネットを通じて特定ウェブサイトにアクセスする時、前記使用者コンピュータが前記ウェブサイトのＵＲＬを前記サーバーに送信するウェブサイトアドレス送信工程と；
前記サーバーまたは前記サーバーが管理するサービスサーバーが、前記送信されたウェブサイトのＵＲＬを読んで現在前記ウェブサイトにアクセスした使用者コンピュータのリストを前記使用者コンピュータに出力する同一ウェブサイトアクセス者出力工程と；
前記使用者コンピュータが前記リストに出力された使用者コンピュータの中のいずれか一つを選択すると、前記サーバーまたはサービスサーバーが、前記使用者コンピュータと前記使用者コンピュータが選択した使用者コンピュータとを中継して相互間に成り立つインターネットサービスを提供する、相互間連結サービス提供工程と；
を含むことを特徴とする、前記アクセスウェブサイト連動インターネットサービス方法を提供する。
【００４１】
本発明の場合、前記サーバーまたはサービスサーバーによって提供されるインターネットサービスは、チャット、対戦ゲーム、メッセージ送信のいずれか一つであることができる。
【００４２】
本発明の場合、前記使用者コンピュータがアクセスしたウェブサイトのウェブページは、リンクされるウェブページのＵＲＬ及びリンクされたウェブページでの位置座標、またはこれらの値に対する識別情報を有するリンクコードを含み、前記リンクコードによって、ウェブページがリンクされたウェブページへ移動し、前記リンクされたウェブページの位置座標に標識が成されたりまたは前記インターネットサービスが提供されることが好ましい。
【００４３】
本発明の場合、前記サーバーまたはサービスサーバーが前記使用者コンピュータに出力するサービスデータは、リンクされるウェブページのＵＲＬ及びリンクされたウェブページでの位置座標またはこれら値に対する識別情報を有するリンクコードを含み、前記リンクコードによって、ウェブページがリンクされたウェブページへ移動し、前記リンクされたウェブページの位置座標に標識が成されたり、または前記インターネットサービスが提供されたりすることが好ましい。
【００４４】
本発明は、他の側面で、ウェブブラウザを内蔵した多数の使用者コンピュータとインターネットを通じてサーバークライアント関係で連結されて、インターネットサービスを提供するサーバーシステムであって、
前記インターネットサービスによるサービスデータを前記使用者コンピュータがアクセスするウェブサイトのＵＲＬと、前記使用者コンピュータに表示される前記ウェブサイトのウェブページでの位置座標とによって保存するサービスデータ保存手段と；
前記使用者コンピュータがインターネットを通じて特定ウェブサイトにアクセスする時、前記使用者コンピュータが前記ウェブサイトのＵＲＬを読んで送信した前記ウェブサイトのＵＲＬを読むウェブサイトアドレス認識手段と；
前記インターネットサービスによるサービスインターフェースを前記ウェブサイトにアクセスした使用者コンピュータに出力するサービスインターフェース出力手段と；
前記サービスインターフェースによって前記サービスデータを前記使用者コンピュータに表示された前記ウェブサイトのウェブページの該当位置座標に対して出力するサービスデータ出力手段と；
を含むことを特徴とする、アクセスウェブサイト連動インターネットサービスを提供する前記サーバーシステムを提供する。
【００４５】
本発明は、また他の側面で、ウェブブラウザを内蔵した多数の使用者コンピュータとインターネットを通じてサーバークライアント関係で連結されて、インターネットサービスを提供するサーバーシステムであって、
前記使用者コンピュータがインターネットを通じて特定ウェブサイトにアクセスする時、前記使用者コンピュータが前記ウェブサイトのＵＲＬを読んで送信した前記ウェブサイトのＵＲＬを読むウェブサイトアドレス認識手段と；
前記インターネットサービスによるサービスインターフェースを前記ウェブサイトにアクセスした使用者コンピュータに出力するサービスインターフェース出力手段と；
前記使用者コンピュータが前記サーバーに送信した前記ウェブサイトのウェブページでの特定位置の座標によって、前記インターネットサービスによるサービスデータを前記使用者コンピュータに表示されたウェブページの該当位置に対して出力する指定位置出力手段と；
を含むことを特徴とする、アクセスウェブサイト連動インターネットサービスを提供する前記サーバーシステムを提供する。
【００４６】
本発明は、また他の側面で、ウェブブラウザを内蔵した多数の使用者コンピュータとインターネットを通じてサーバークライアント関係で連結されて、インターネットサービスを提供するサーバーシステムであって、
前記使用者コンピュータがインターネットを通じて特定ウェブサイトにアクセスする時、前記使用者コンピュータが前記ウェブサイトのＵＲＬを読んで送信した前記ウェブサイトのＵＲＬを読むウェブサイトアドレス認識手段と；
前記送信されたウェブサイトのＵＲＬによって現在前記ウェブサイトにアクセスした使用者コンピュータのリストを前記使用者コンピュータに出力する同一ウェブサイトアクセス者出力手段と；
前記使用者コンピュータが前記リストに出力された使用者コンピュータの中のいずれか一つを選択すると、前記使用者コンピュータと前記使用者コンピュータが選択した使用者コンピュータとを中継して相互間に成り立つインターネットサービスを提供する相互間連結サービス提供手段と；
を含むことを特徴とする、アクセスウェブサイト連動インターネットサービスを提供する前記サーバーシステムを提供する。
【００４７】
本発明の場合、前記相互間連結サービス提供手段が提供するインターネットサービスは、チャット、メッセージ送信、ゲームの中でいずれか一つであることができる。
【００４８】
本発明は、また他の側面で、サーバーがウェブブラウザを内蔵した多数の使用者コンピュータとインターネットを通じてサーバークライアント関係で連結されて、インターネットサービスを提供する方法であって、
ここで前記サーバーまたは前記サーバーが管理するサービスサーバーは、前記使用者コンピュータがアクセスするウェブサイトのＵＲＬに対応して前記ウェブサイトが前記使用者コンピュータに出力するウェブページに、前記サーバーまたは前記サーバーが管理するサービスサーバーが出力するインターネットサービスの提供位置座標を保存しているものとし、
前記使用者コンピュータは、自身がアクセスする前記ウェブサイトのＵＲＬを読んで前記サーバーに送信するアクセスウェブサイト連動インターネットサービス装置を有しているものとする、
前記使用者コンピュータが前記ウェブサイトにアクセスする時、前記アクセスウェブサイト連動インターネットサービス装置が前記ウェブサイトのＵＲＬを読んで前記サーバーに送信するアクセスするウェブサイトアドレス送信工程と；
前記サーバーまたは前記サーバーが管理するサービスサーバーが前記送信されたウェブサイトのＵＲＬを読んでそれに対応したインターネットサービス提供位置によって前記ウェブサイトから前記使用者コンピュータに表示されるウェブページに対してインターネットサービスを提供するインターネットサービス提供工程と；
を含むことを特徴とする、前記アクセスウェブサイト連動インターネットサービス方法を提供する。
【００４９】
本発明の場合、前記使用者コンピュータがアクセスするウェブサイトのサーバーまたはサービスサーバーは、自身が提供するウェブページファイルに前記アクセスウェブサイト連動インターネットサービス装置を、前記サーバーまたはサービスサーバーからダウンロード受けるようにする呼び出しコードを含むことができる。
【００５０】
本発明の場合、前記呼び出しコードは、前記使用者コンピュータに表示される前記ウェブサイトのウェブページにおいて、前記サーバーまたはサービスサーバーが提供するインターネットサービスが提供される位置に表示されることが好ましい。
【００５１】
本発明の場合、前記サーバーまたは前記サービスサーバーは、前記使用者コンピュータがアクセスするウェブサイトのＵＲＬに対応したキーワードを保存していて、
前記サーバーまたは前記サーバーが管理するサービスサーバーが、前記使用者コンピュータのアクセスするウェブサイトが前記使用者コンピュータに出力して表示するウェブページに前記キーワードを入力して検索することができる検索フォームを表示する検索フォーム表示工程と；
前記サーバーまたは前記サービスサーバーが前記使用者コンピュータに特定キーワードが入力されると、それを前記ウェブサイトのＵＲＬに対応して保存されたキーワードと比較して対応することが必要な場合、それを前記使用者コンピュータに出力して表示する検索結果表示工程と；
をさらに有することができる。
【００５２】
本発明の場合、前記サーバーまたは前記サービスサーバーは、広告データを保存していて、前記サーバーまたは前記サービスサーバーは、前記使用者コンピュータのアクセスするウェブサイトが前記使用者コンピュータに出力して表示するウェブページに広告データを出力して表示する広告工程をさらに有することができる。
【００５３】
本発明の場合、前記使用者コンピュータがアクセスしたウェブサイトのウェブページは、リンクされるウェブページのＵＲＬ及びリンクされたウェブページでの位置座標またはそれら値に対する識別情報を有するリンクコードを含み、前記リンクコードによって、ウェブページがリンクされたウェブページへ移動し、前記リンクされたウェブページの位置座標に標識されたりまたは前記インターネットサービスが提供されることが好ましい。
【００５４】
本発明の場合、前記サーバーまたはサービスサーバーが前記使用者コンピュータに出力するサービスデータは、リンクされるウェブページのＵＲＬ及びリンクされたウェブページでの位置座標またはそれら値に対する識別情報を有するリンクコードを含み、前記リンクコードによって、ウェブページがリンクされたウェブページへ移動し、前記リンクされたウェブページの位置座標に標識されたりまたは前記インターネットサービスが提供されることが好ましい。
【００５５】
また他の側面で、本発明は、サーバーとウェブブラウザを内蔵した多数の使用者コンピュータが、インターネットを通じてサーバークライアント関係で連結されて前記使用者コンピュータがアクセスしたウェブサイトに連動して前記使用者コンピュータに設置されたハードウェアを制御する方法であって、
ここで、前記サーバーまたは前記サーバーが管理するサービスサーバーは、アクセスするウェブサイトの各々のＵＲＬに対応して個々の使用者コンピュータに連結設置された各々のハードウェアを認識することができる固有値を保存しているものとする、
前記使用者コンピュータがインターネットを通じて特定ウェブサイトにアクセスすると、前記ウェブサイトのＵＲＬを前記サーバーに送信するウェブサイトアドレス送信工程と；
前記使用者コンピュータが前記サーバーまたはサービスサーバーでハードウェアの作動を制御する制御命令を要請するウェブサイトアドレス送信及び制御命令要請工程と；
前記サーバーまたはサービスサーバーが前記ＵＲＬによるハードウェアの動作を定義する制御コードを前記使用者コンピュータに送信する制御命令工程と；
を含むことを特徴とする、前記アクセスウェブサイト連動ハードウェア制御方法を提供する。
【００５６】
この場合、前記個々の使用者コンピュータに連結設置された各々のハードウェアを認識することができる固有値は、個々の使用者コンピュータのＩＰアドレスと、Ｍａｃアドレスと、前記ハードウェアへ連結されたポート番号とであることができる。
【００５７】
また、この場合、前記アクセスするウェブサイトの各々のＵＲＬに対応して個々の使用者コンピュータに連結設置されたハードウェアを認識することができる固有値は、個々の会員に対して記録されていて、個々の会員によってアクセスするウェブサイトに連動してハードウェアを制御できることが好ましい。
【００５８】
また他の側面で、本発明は、ウェブブラウザを内蔵した使用者コンピュータに設置されて作動するアクセスウェブサイト連動サービス装置が行なう方法であって、
ここで、前記アクセスウェブサイト連動サービス装置は、本人が提供するサービスによるサービスデータを前記使用者コンピュータがアクセスするウェブサイトのＵＲＬと前記使用者コンピュータに表示される前記ウェブサイトのウェブページでの位置座標によって保存するサービスデータ保存手段を有しているものとする、
前記使用者コンピュータがインターネットを通じて特定ウェブサイトにアクセスする時、前記使用者コンピュータがアクセスする前記ウェブサイトのＵＲＬを認識するアクセスウェブサイトアドレス認識工程と；
サービスインターフェースを前記使用者コンピュータに表示された前記ウェブサイトのウェブページに対して表示するサービスインターフェース表示工程と；
前記サービスインターフェースによって前記サービスデータを前記使用者コンピュータに表示された前記ウェブサイトのウェブページで該当位置座標に対して表示するサービスデータ表示工程と；
を含むことを特徴とする、使用者コンピュータに設置されて作動するアクセスウェブサイト連動サービス装置の前記アクセスウェブサイト連動サービス方法を提供する。
【００５９】
本発明の場合、前記ウェブサイトは、特定の１つのウェブサイトであって、前記インターネットサービス装置は、前記特定の１つのウェブサイトからダウンロードされて前記使用者コンピュータに設置することができる。
【００６０】
本発明の場合、移動式メモリー装置に設置されて、前記移動式メモリー装置が前記使用者コンピュータに接続される場合には、前記インターネットサービス装置が実行されることができる。
【００６１】
本発明の場合、前記インターネットサービス装置の提供するサービスは、前記使用者コンピュータがアクセスするウェブサイトの使用に対するヘルプを提供するヘルプサービスであることができる。
【００６２】
本発明の場合、前記インターネットサービス装置の提供するサービスは、広告サービスであることができる。
【００６３】
また他の側面で、本発明は、サーバーとウェブブラウザを内蔵した多数の使用者コンピュータが、インターネットを通じてサーバークライアント関係で連結され、遠隔コンピュータを通じて前記使用者コンピュータがアクセスしたウェブサイトに連動して前記使用者コンピュータに設置されたハードウェアを遠隔で制御する方法であって、
ここで、前記サーバーまたは前記サーバーが管理するサービスサーバーは、前記使用者コンピュータがアクセスするウェブサイトのＵＲＬに対応して個々の使用者コンピュータに連結設置されたハードウェアを認識することができる固有値を保存しているものとする、
遠隔コンピュータが遠隔接続を通じて前記使用者コンピュータに接続する遠隔コンピュータの使用者コンピュータへの遠隔接続工程と；
前記遠隔コンピュータの制御によって前記使用者コンピュータが特定ウェブサイトにアクセスすると、前記使用者コンピュータが前記ウェブサイトのＵＲＬを前記サーバーに送信するウェブサイトアドレス送信工程と；
前記遠隔コンピュータの制御によって前記使用者コンピュータが前記サーバーまたは前記サービスサーバーで特定ハードウェアを指定してそのハードウェアの作動を制御する制御命令を要請するための制御命令要請工程と；
前記サーバーまたはサービスサーバーが前記使用者コンピュータに指定されたハードウェアの動作を定義する制御コードを送信する制御命令工程と；
を含むことを特徴とする、前記遠隔ハードウェア制御方法を提供する。
【００６４】
この場合、前記制御命令要請工程は、前記サーバーまたはサービスサーバーが前記使用者コンピュータに連結設置された特定ハードウェアの指定を要請すると、前記遠隔コンピュータが前記使用者コンピュータを制御して特定ハードウェアを指定して、前記サーバーまたはサービスサーバーに入力するハードウェア指定工程を含むことが好ましい。
【００６５】
また、この場合、前記個々の使用者コンピュータに連結設置されたハードウェアを認識することができる固有値は、前記使用者コンピュータのＩＰアドレスと、Ｍａｃアドレスと、その下部階層の連結による固有値とを含むが、このような前記使用者コンピュータの下部階層の連結による固有値は、ハードウェアインターフェース装置のＭａｃアドレス及びそのスロットＩＤを含むことができる。
【００６６】
この場合、前記使用者コンピュータがアクセスするウェブサイトの各々のＵＲＬに対応して個々の使用者コンピュータに連結設置されたハードウェアを認識することができる固有値は、個々の会員に対して記録されていて個々の会員情報によって遠隔コンピュータを通じて前記使用者コンピュータがアクセスしたウェブサイトに連動して、前記使用者コンピュータに設置されたハードウェアを制御することができるようになる。
【００６７】
本発明の場合、前記使用者コンピュータは、前記サーバーまたはサービスサーバーとインターネットを通じて情報を送受信することができる通信端末機であれば充分である。
【００６８】
特に、本発明の場合、前記サーバーまたはサービスサーバーは、前記使用者コンピュータに表示される前記ＵＲＬによるウェブページの特定位置に対して個々の使用者コンピュータに連結設置されたハードウェアを認識することができる固有値を保存していて、そして、前記サーバーまたは前記サービスサーバーは、前記使用者コンピュータに前記ＵＲＬによるウェブページの特定位置に対してハードウェア制御インターフェースを出力するハードウェア制御インターフェース出力工程を更に含むことが好ましい。
【００６９】
この場合、前記ハードウェア制御インターフェースは、特定ＵＲＬと関連するハードウェアの設定、前記ハードウェアに対するモニタリング結果の表示及び前記ハードウェアの制御命令に対するものであることができる。
【００７０】
本発明のまた他の側面で、本発明は、サーバーとウェブブラウザを内蔵した多数の使用者コンピュータがインターネットを通じてサーバークライアント関係で連結されて、遠隔コンピュータを通じて前記遠隔コンピュータがアクセスしたウェブサイトに連動して、前記使用者コンピュータに設置されたハードウェアを遠隔で制御する方法であって、
ここで、前記サーバーまたは前記サーバーが管理するサービスサーバーは、前記使用者コンピュータがアクセスするウェブサイトのＵＲＬに対応して個々の使用者コンピュータに連結設置されたハードウェアを認識することができる固有値を保存しているものとする、
遠隔コンピュータがアクセスした特定ウェブサイトのＵＲＬを前記サーバーに送信するウェブサイトアドレス送信工程と；
前記遠隔コンピュータが前記サーバーまたはサービスサーバーで前記使用者コンピュータに対するハードウェアを指定して、その作動を制御する制御命令を要請する制御命令要請工程と；
前記サーバーまたはサービスサーバーが前記使用者コンピュータに指定されたハードウェアの動作を定義する制御コードを送信する制御命令工程と；
を含むことを特徴とする、前記遠隔ハードウェア制御方法を提供する。
【００７１】
この場合、前記制御命令要請工程は、前記サーバーまたはサービスサーバーが前記使用者コンピュータに連結設置された特定ハードウェアの指定を要請すると、前記遠隔コンピュータが前記使用者コンピュータに連結された特定ハードウェアを指定するハードウェア指定工程を含むことが好ましい。
【００７２】
この場合、前記使用者コンピュータがアクセスするウェブサイトの各々のＵＲＬに対応して個々の使用者コンピュータに連結設置されたハードウェアを認識することができる固有値は、個々の会員に対して記録されていて、個々の会員情報によって遠隔コンピュータを通じて前記遠隔コンピュータがアクセスしたウェブサイトに連動して前記使用者コンピュータに設置されたハードウェアを制御することができる。ここで、前記使用者コンピュータが、前記サーバーまたはサービスサーバーとインターネットとを通じて情報を送受信することができる通信端末機であることが好ましい。
【００７３】
この場合、前記サーバーまたはサービスサーバーが会員に対して特定ハードウェアの制御方式を保存した場合、前記遠隔コンピュータが他の使用者コンピュータに連結設置された同一なハードウェアに対して保存された制御方式を選択すると、その制御方式に従って前記サーバーまたはサービスサーバーが前記使用者コンピュータを制御することができる。
【００７４】
この場合、前記サーバーまたはサービスサーバーは、前記使用者コンピュータに表示される前記ＵＲＬによるウェブページの特定位置に対して、個々の使用者コンピュータに連結設置されたハードウェアを認識することができる固有値を保存していて、そして、前記サーバーまたは前記サービスサーバーは、前記遠隔コンピュータに前記ＵＲＬによるウェブページの特定位置に対してハードウェア制御インターフェースを出力することが好ましい。
【００７５】
ここで、前記ハードウェア制御インターフェースは、特定ＵＲＬと関連するハードウェアの設定、前記ハードウェアに対するモニタリング結果の表示及び前記ハードウェアの制御命令に対するものであることができる。
【００７６】
さらに、本発明は、サーバーとウェブブラウザを内蔵した多数の使用者コンピュータがインターネットを通じてサーバークライアント関係で連結されて、前記サーバーまたは前記サーバーが管理するサービスサーバーが、前記使用者コンピュータがアクセスしたウェブサイトに連動して前記使用者コンピュータに設置されたハードウェアを制御する方法であって、
ここで、前記サーバーまたは前記サーバーが管理するサービスサーバーは、前記使用者コンピュータがアクセスするウェブサイトの各々のＵＲＬに対応して個々の使用者コンピュータに連結設置されたハードウェアを認識することができる固有値を保存しているものとする、
前記使用者コンピュータがインターネットを通じて特定ウェブサイトにアクセスする時、前記使用者コンピュータが送信した前記ウェブサイトのＵＲＬを読むウェブサイトアドレス認識工程と；
前記使用者コンピュータが要請したハードウェアの作動を制御する制御命令要請によって、前記サーバーまたはサービスサーバーが、前記ＵＲＬによるハードウェアの動作を定義する制御コードを前記使用者コンピュータに送信する制御命令工程と；
を含むことを特徴とする、前記アクセスウェブサイト連動ハードウェア制御方法を提供する。
【００７７】
さらに、本発明は、サーバーとウェブブラウザを内蔵した多数の使用者コンピュータがインターネットを通じてサーバークライアント関係で連結されて、前記サーバーまたは前記サーバーが管理するサービスサーバーが、前記使用者コンピュータがアクセスしたウェブサイトに連動して前記使用者コンピュータに設置されたハードウェアを遠隔で制御する方法であって、
ここで、前記サーバーまたは前記サーバーが管理するサービスサーバーは、前記使用者コンピュータがアクセスするウェブサイトのＵＲＬに対応して個々の使用者コンピュータに連結設置されたハードウェアを認識することができる固有値を保存しているものとする、
前記使用者コンピュータに遠隔で接続した遠隔コンピュータの制御によって前記使用者コンピュータが特定ウェブサイトにアクセスする時、前記使用者コンピュータが送信した前記ウェブサイトのＵＲＬを読むウェブサイトアドレス認識工程と；
前記遠隔コンピュータの制御によって前記使用者コンピュータが特定ハードウェアを指定してそのハードウェアの作動を制御する制御命令を要請すると、前記サーバーまたはサービスサーバーが、前記使用者コンピュータに指定されたハードウェアの動作を定義する制御コードを送信する制御命令工程と；
を含むことを特徴とする、前記アクセスウェブサイト連動ハードウェア遠隔制御方法を提供する。
【００７８】
この場合、前記サーバーまたはサービスサーバーは、前記使用者コンピュータに表示される前記ＵＲＬによるウェブページの特定位置に対して個々の使用者コンピュータに連結設置されたハードウェアを認識することができる固有値を保存していて、そして、前記サーバーまたは前記サービスサーバーは、前記使用者コンピュータに前記ＵＲＬによるウェブページの特定位置に対してハードウェア制御インターフェースを出力するハードウェア制御インターフェース出力工程を更に含むことが好ましい。
【００７９】
さらに、本発明は、サーバーとウェブブラウザを内蔵した多数の使用者コンピュータがインターネットを通じてサーバークライアント関係で連結されて、前記サーバーまたは前記サーバーが管理するサービスサーバーが遠隔コンピュータを通じて前記遠隔コンピュータがアクセスしたウェブサイトに連動して、前記使用者コンピュータに設置されたハードウェアを遠隔で制御する方法であって、
ここで、前記サーバーまたは前記サーバーが管理するサービスサーバーは、前記使用者コンピュータがアクセスするウェブサイトのＵＲＬに対応して個々の使用者コンピュータに連結設置されたハードウェアを認識することができる固有値を保存しているものとする、
遠隔コンピュータが特定ウェブサイトにアクセスする時、前記遠隔コンピュータが送信した前記ウェブサイトのＵＲＬを読むウェブサイトアドレス認識工程と；
前記遠隔コンピュータが前記使用者コンピュータに対するハードウェアを指定して、その作動を制御する制御命令を要請すると、前記サーバーまたはサービスサーバーが前記使用者コンピュータに指定されたハードウェアの動作を定義する制御コードを送信する制御命令工程と；
を含むことを特徴とする、前記遠隔ハードウェア制御方法を提供する。
【００８０】
この場合、前記サーバーまたはサービスサーバーは、前記使用者コンピュータに表示される前記ＵＲＬによるウェブページの特定位置に対して個々の使用者コンピュータに連結設置されたハードウェアを認識することができる固有値を保存していて、前記サーバーまたは前記サービスサーバーは、前記遠隔コンピュータに前記ＵＲＬによるウェブページの特定位置に対してハードウェア制御インターフェースを出力することが好ましい。
【００８１】
ここで、前記ハードウェア制御インターフェースは、特定ＵＲＬと関連するハードウェアの設定、前記ハードウェアに対するモニタリング結果の表示または前記ハードウェアの制御命令に対するものである。
【００８２】
《発明の効果》
本発明は、アクセスするウェブサイトに連動して使用者コンピュータに表示される前記ウェブサイトのウェブページの特定位置に対して、多様なインターネットサービスを提供するアクセスウェブサイト連動インターネットサービスシステム及びその方法を示す。
【００８３】
本発明は、使用者コンピュータがアクセスするウェブサイトのサービスの枠を越えて、前記ウェブサイトが提供するウェブページの関連位置で、掲示板、ヘルプ、要請事項、広告、電子商取引、ゲーム、メッセージ送信、チャット、メール送信と一種のＡＳＰなどのインターネットサービスを提供する。
【００８４】
これらサービスによって使用者は、前記ウェブサイトのサービスにのみ従属しないで、必要なウェブページの位置で便利かつ自由に相互間に情報を共有することができ、該当ウェブサイトのウェブページの必要な位置で使用に対してヘルプを得ることができ、該当のウェブサイトのウェブページの必要な位置で、不便な事項の改善を要請することができ（これによって該当のウェブサイトの運営者は、必要な位置で改善事項をすぐ得ることができるようになる。）、該当ウェブサイトのウェブページの必要な位置で広告を行なって広告の効果を最大化することができ、該当ウェブサイトのウェブページの必要な位置で相互に連結されてインターネットサービスを楽しむことができるようになる。さらに、本来ウェブサイトが提供することができないインターネットサービスを該当のウェブページの必要な位置で楽しむことができるようになる。
【００８５】
特に本発明は、該当ウェブサイトのウェブページの必要な位置に対して関連インターネットサービスが進行され、本来のウェブページの位置の内容と関連することを、使用者は直接認識することができ、そのインターネットサービスの効率が大きく増加する。
【００８６】
さらに、本発明の場合、使用者コンピュータがアクセスしたウェブサイトによって前記使用者コンピュータに設置されたハードウェアをモニタリングまたは制御することができる。これを確張して、遠隔で使用者コンピュータを制御して、それと連結された電子機器などを制御する遠隔制御またはホームオートメーションを具現することができる。
【００８７】
特に本発明による遠隔制御またはホームオートメーションは、使用者コンピュータまたは遠隔コンピュータがアクセスしたウェブサイトに連動して成り立つもので、外部から特定サイトにアクセスするだけで手軽に遠隔制御またはホームオートメーションを行なうことができる長所を有する。さらには、このような遠隔制御またはホームオートメーションは、アクセスするＵＲＬによって表示されるウェブページの特定位置を基盤に成り立つので、使用者は、外部のコンピュータで特定ウェブページにアクセスして特定位置で関連ハードウェアを直感的に認識し、便利に制御することができる。
【図面の簡単な説明】
【００８８】
【図１】本発明の実施態様によるアクセスウェブサイト連動インターネットサービスシステムの全体的な構成を示す図である。
【図２】本発明の実施態様によるデータベースのテーブルを例示的に示す図である。
【図３】本発明の実施態様によるアクセスウェブサイト連動インターネットサービスシステムの処理手順を示す図である。
【図４】本発明によるアクセスウェブサイト連動インターネットサービスサーバーの提供するサービスが、掲示板サービスの場合の処理手順を示す図である。
【図５】本発明によるアクセスウェブサイト連動インターネットサービスサーバーの提供するサービスが、ヘルプ及び要請事項サービスである場合の処理手順を示す図である。
【図６】本発明によって使用者コンピュータがアクセスするウェブサイトに連動して、広告サービスを提供する場合の処理手順を示す図である。
【図７】本発明によって使用者コンピュータがアクセスするウェブサイトに連動して、電子商取引サービスを提供する場合の処理手順を示す図である。
【図８】本発明の実施態様で、サービスサーバーが、使用者コンピュータがアクセスしたウェブサイトである場合の処理手順を示す図である。
【図９】本発明によって使用者コンピュータがアクセスしたウェブサイトのウェブページの特定位置に対して、インターネットサービスが提供される場合の処理手続きの例を示す図である。
【図１０】本発明による使用者コンピュータがアクセスしたウェブサイトに連動したインターネットサービスの使用者コンピュータでの画面出力例を示す図である。
【図１１】本発明による使用者コンピュータがアクセスしたウェブサイトに連動したインターネットサービスの使用者コンピュータでの画面出力例を示す図である。
【図１２】本発明による使用者コンピュータがアクセスしたウェブサイトに連動したインターネットサービスの使用者コンピュータでの画面出力例を示す図である。
【図１３】本発明の実施態様で、使用者コンピュータがアクセスしたウェブサイトのアドレスに連動して、前記使用者コンピュータ相互間に成り立つインターネットサービスを提供する場合の処理手順を示す図である。
【図１４】本発明の実施態様で、本発明による使用者コンピュータがアクセスしたウェブサイトに連動して、使用者コンピュータ間に連結されたインターネットサービスを提供する時、使用者コンピュータでの画面出力例を示す図である。
【図１５】本発明の実施態様で、使用者コンピュータがアクセスしたウェブサイトに連動して、使用者コンピュータに前記ウェブサイトが提供することができないインターネットサービスを提供する場合、使用者コンピュータでの画面出力例を示す図である。
【図１６】本発明の実施態様で、アクセスウェブサイト連動インターネットサービス装置が、ダウンロードされて設置された時の使用者コンピュータでの画面例を示す図である。
【図１７】本発明の実施態様で、電子商取引サービスを提供する場合の画面出力例を示す図である。
【図１８】本発明の実施態様で、使用者コンピュータに表示された前記使用者コンピュータがアクセスしたウェブサイトのウェブページでリンクされたウェブページから特定位置まで移動する場合の画面出力例を示す図である。
【図１９】本発明の実施態様で、リンクされたウェブページの前記位置に対してインターネットサービスを提供する例を示す図である。
【図２０】本発明の実施態様によるアクセスウェブサイト連動インターネットサービス提供サーバーが、使用者コンピュータに出力するインターネットサービスと関連して、リンクされたウェブページの前記位置に移動してインターネットサービスを提供する例を示す図である。
【図２１】本発明によって使用者コンピュータがアクセスしたウェブサイトに連動して、前記使用者コンピュータのハードウェアを制御する場合の処理手続きを示す図。
【図２２】本発明によって使用者コンピュータに設置されて作動するアクセスウェブサイト連動サービス装置が、前記使用者コンピュータがアクセスしたウェブサイトに連動してサービスを提供する場合の概略的な構成を示す図である。
【図２３】本発明の実施態様で前記アクセスウェブサイト連動サービス装置が行なう処理動作を示すフローチャート図である。
【図２４】アクセスするウェブサイトに連動して、遠隔制御またはホームオートメーションを行なう場合のデータベースの例を示す図である。
【図２５】本発明による使用者コンピュータに連結設置されたハードウェアを制御する処理動作を示す図である。
【図２６】本発明による使用者コンピュータに連結設置されたハードウェアを制御する処理動作を示す図である。
【図２７】遠隔制御の場合の環境設定画面の例を示す図である。
【図２８】本発明によって遠隔制御を行なう場合の画面例を示す図である。
【図２９】遠隔制御またはホームオートメーションにおいて、位置座標と連動してハードウェア制御方式を設定する場合の画面例を示す図である。
【図３０】位置と関連して遠隔制御を行なう画面の例を示す図である。
【発明を実施するための形態】
【００８９】
下記では、添付した図面を参照しながら本発明の好ましい実施態様を説明する。
図１は、本実施例によるアクセスウェブサイト連動インターネットサービスシステム１０００の全体的な構成を示す図である。
【００９０】
本実施態様による前記アクセスウェブサイト連動インターネットサービスシステム１０００は、本発明によるアクセスウェブサイト連動インターネットサービス提供サーバー１００を有し、前記サーバー１００にインターネット８００を通じて使用者コンピュータ（５０ａ，５０ｂ，．．．，５０ｎ）らが、サーバークライアント関係で連結されている。
【００９１】
本実施態様の場合、前記個々の使用者コンピュータ（５０ａ，５０ｂ，．．．，５０ｎ）には、ウェブブラウザ（未図示）が設置されていて、また、本発明によるアクセスウェブサイト連動インターネットサービス装置（５００ａ，５００ｂ，．．．，５００ｎ）が設置されている。
【００９２】
前記ウェブサイト連動インターネットサービス装置（５００ａ，５００ｂ，．．．，５００ｎ）は、前記サーバー１００に前記使用者コンピュータ（５０ａ，５０ｂ，．．．，５０ｎ）がインターネット８００を通じてアクセスしてダウンロードして設置することができ、他の場合として、ＣＤまたはＵＳＢメモリーなどの保存装置に保存して前記使用者コンピュータ（５０ａ，５０ｂ，．．．，５０ｎ）に設置することができる。
【００９３】
本発明の場合、ウェブサイト（１０ａ，１０ｂ，１０ｃ，．．．，１０ｎ）が提供され、これらは、前記使用者コンピュータ（５０ａ，５０ｂ，．．．，５０ｎ）がインターネット８００を通じてアクセスするウェブサイトのサーバーである。
【００９４】
本実施態様の場合、前記特定ウェブサイト（１０ａ，１０ｂ，１０ｃ，．．．，１０ｎ）に使用者コンピュータ（５０ａ，５０ｂ，．．．，５０ｎ）がアクセスすると、前記アクセスウェブサイト連動インターネットサービス装置（５００ａ，５００ｂ，．．．，５００ｎ）が前記サーバー１００に前記使用者コンピュータ（５０ａ，５０ｂ，．．．，５０ｎ）がアクセスしたウェブサイトのＵＲＬを送り、それによって前記サーバー１００は、前記使用者コンピュータ（５０ａ，５０ｂ，．．．，５０ｎ）から送信されたウェブサイトのＵＲＬに連動したサービスを提供する。
【００９５】
ここで、前記アクセスウェブサイト連動インターネットサービス提供サーバー１００は、前記サーバー１００が管理するサービスサーバー（１００Ｓ１，１００Ｓ２，１００Ｓ３，．．．，１００ＳＮ）を有することができ、前記サービスサーバー（１００Ｓ１，１００Ｓ２，１００Ｓ３，．．．，１００ＳＮ）を通じて前記使用者コンピュータ（５０ａ，５０ｂ，．．．，５０ｎ）に前記使用者コンピュータがアクセスしたウェブサイトのＵＲＬに連動したサービスを提供する。
【００９６】
本明細書全体にわたって、前記使用者コンピュータ（５０ａ，５０ｂ，．．．，５０ｎ）は、個人用コンピュータ（Ｐｅｒｓｏｎａｌ  Ｃｏｍｐｕｔｅｒ）に限定されず、ポータブル電話機またはＰＤＡのように、前記サーバー１００（１００Ｓ１，１００Ｓ２，１００Ｓ３，．．．，１００ＳＮ）にインターネット８００を通じて接続されて情報を送受信する通信端末機を含む。また、ＩＰＴＶ（Ｉｎｔｅｒｎｅｔ  Ｐｒｏｔｏｃｏｌ  Ｔｅｌｅｖｉｓｉｏｎ）のようにインターネットを通じてサーバーと接続することができるすべての種類のものを含む。
【００９７】
図２は、本実施態様によるデータベースのテーブルを例示的に示す図である。
【００９８】
本実施態様の場合、前記サーバー１００は、ウェブサイトアドレスデータベース１１０を有している。前記ウェブサイトアドレスデータベース１１０は、前記使用者コンピュータ（５０ａ，５０ｂ，．．．，５０ｎ）がアクセスするウェブサイト（１０ａ，１０ｂ，１０ｃ，．．．，１０ｎ）のドメインアドレスを記憶していて、その他に、さらにウェブサイトアドレスの活性化有無を記録することができる。
【００９９】
ここで、活性化の有無は、対応するウェブサイトのドメインアドレスと連動して本発明によるインターネットサービスを提供するかどうかを記録するもので、非活性化と記録された場合、たとえそのウェブサイトのアドレスが記録されていても、そのウェブサイトに対しては、本発明によってそのウェブサイトに連動するインターネットサービスが提供されない。
【０１００】
また、前記サーバー１００は、サービス権限データベース１２０を有することができるが、これは、前記ウェブサイトにアクセスした使用者コンピュータ（５０ａ，５０ｂ，．．．，５０ｎ）に対して提供されるサービスに対して、その管理権限者を記録するものである。この場合、同一なウェブサイトのドメインアドレスに対してサービスを分割してその活性化有無と管理権限を異なるように分配することができる。
【０１０１】
また、本実施態様の場合、前記サーバー１００は、サービスサーバー情報データベース１２５を有することができる。前記サービスサーバー情報データベース１２５は、サービスサーバー（１００Ｓ１，１００Ｓ２，．．．，１００ＳＮ）の実際接続アドレス（例えば、ＩＰ  アドレス）及びサービス提供のためのＵＲＬそしてサービスのための駆動プログラム情報などを記録している。前記ＵＲＬは、使用者コンピュータ（５０ａ，５０ｂ，．．．，５０ｎ）に設置されたアクセスウェブサイト連動インターネットサービス装置（５００ａ，５００ｂ，．．．，５００ｎ）から受けた特定情報またはサーバー１００にある情報を変数形態でサービスサーバー（１００Ｓ１，１００Ｓ２，．．．，１００ＳＮ）に伝達する形式などを保存することができる。また、前記アクセスサイト連動インターネットサービス装置（５００ａ，５００ｂ，．．．，５００ｎ）は、ソケット通信などを通じてリアルタイムでサービスサーバー（１００Ｓ１，１００Ｓ２，．．．，１００ＳＮ）と連結することができる。このような場合、前記サービスサーバー情報データベース１２５には、ソケット通信などに必要な情報及び保安などによる追加情報などを保存することができる。
【０１０２】
本実施態様の場合、前記サーバー１００は、掲示板データベース１３０を有することができる。前記掲示板データベース１３０は、使用者コンピュータ（５０ａ，５０ｂ，．．．，５０ｎ）がアクセスするウェブサイトのドメインアドレス及びサブページに対応して掲示物を保存していて、本発明の場合、使用者コンピュータ（５０ａ，５０ｂ，．．．，５０ｎ）が特定ウェブサイトにアクセスする場合、前記使用者コンピュータに設置されたアクセスウェブサイト連動インターネットサービス装置（５００ａ，５００ｂ，．．．，５００ｎ）が、そのウェブサイトのＵＲＬを前記サーバー１００に送信して、前記サーバー１００は、送信されたＵＲＬに対応した掲示物を前記使用者コンピュータ（５０ａ，５０ｂ，．．．，５０ｎ）に出力する。
【０１０３】
特に、この場合、ウェブサイトのドメインアドレス及びサブページに対するウェブページの位置座標に対して掲示物を保存することができる。これによって、前記サーバー１００は、使用者コンピュータがアクセスしたウェブサイトに対して、該当のウェブページの位置座標に対して掲示物を出力することができる。
【０１０４】
本実施態様の場合、前記サーバー１００は、ヘルプデータベース１４０を有することができる。これは、使用者コンピュータがアクセスするウェブサイトの使用に対するヘルプを個々のウェブサイトのＵＲＬに対応して保存するものである。
【０１０５】
このようなヘルプは、使用者がアップロードするもの、または使用者コンピュータがアクセスしたウェブサイトの運営者がアップロードしたものを分類して保存することができる。このようなヘルプもウェブサイトのドメインアドレス及びサブページに対するウェブページの位置座標に対して保存することができ、したがって、前記サーバー１００は、使用者コンピュータがアクセスしたウェブサイトに対して、該当のウェブページの位置座標に対してヘルプを出力することができる。
【０１０６】
本実施態様の場合、前記サーバー１００は、要請事項データベース１５０を有することができる。これは、使用者が特定ウェブサイトを使いながら感じた不便事項に対して、その改善を要請したものを保存するものである。この要請または提案から、ウェブサイトの運営者は、使用者が何を望んでいるか知ることができる。
【０１０７】
このような要請事項は、ウェブサイトのドメインアドレス及びサブページに対するウェブページの位置座標に対して保存され得るので、前記サーバー１００は、使用者コンピュータがアクセスしたウェブサイトに対して、該当のウェブページの位置座標に対して要請事項を出力することができる。
【０１０８】
本実施態様の場合、前記サーバー１００は、広告データベース１６０を有することができる。これは、特定ウェブサイトにアクセスした使用者コンピュータに出力される広告を保存するものである。従って、前記サーバー１００から、ウェブサイトにアクセスした使用者コンピュータに広告を行う。
【０１０９】
本実施態様で、このような広告は、ウェブサイトのドメインアドレス及びサブページに対するに対してウェブページの位置座標に対して保存され得る。それによって、広告は、特定ウェブサイトにアクセスした使用者に対して、該当のウェブページの位置座標に対して出力され得る。
【０１１０】
本実施態様の場合、前記データベース１３０、１４０、１５０、１６０に保存される内容は、テキストだけではなく、音声、動画、３Ｄ、ＰＤＦファイルなど多様な形態のものが可能である。したがって、本発明によって使用者コンピュータ（５０ａ，５０ｂ，．．．，５０ｎ）に出力される形態も、音声、動画、３Ｄ、ＰＤＦファイルなど多様な形態のものになり得る。
【０１１１】
また、本実施態様による前記サーバー１００は、会員データベース１７０を有することができる。この場合、個々の使用者が、前記サーバー１００に接続して本発明によるアクセスウェブサイト連動インターネットサービス装置（５００ａ，５００ｂ，．．．，５００ｎ）をダウンロードする時、ＩＤとパスワードなど会員情報を入力して会員加入をすると、それによって記録することもできる。
【０１１２】
他の場合、図面の図示符号１７０に見られるように、前記サーバー１００が前記アクセスウェブサイト連動インターネットサービス装置（５００ａ，５００ｂ，．．．，５００ｎ）を個々の使用者コンピュータ（５０ａ，５０ｂ，．．．，５０ｎ）にダウンロードする時、設置ＩＤを付与してそれによって個々の会員を区別して管理することもできる。
【０１１３】
このような会員データベース１７０は、会員の趣向によって特定サービスの使用有無を記録することができる。また、会員個人の特徴を示すことができる。例えば、年齢、言語、趣味、性格、職業、所得、国籍などの情報を保存していて、それによって、全体または一部特徴を共有する会員間でのみ、本発明によるサービスが行うことができる。
【０１１４】
本実施態様の場合、前記サーバー１００が、前記データベースを有することができ、また他の場合、前記サーバー１００が管理するサービスサーバー（１００Ｓ１，１００Ｓ２，．．．，１００ＳＮ）も、前記データベースを有することができる。このような場合、前述したサービスサーバー情報データベース１２５が、使用されるのである。
【０１１５】
例えば、前記掲示板データベース１３０と関連して、前記サーバー１００が管理する掲示板サーバーが提供され、前記掲示板サーバーが前記掲示板データベース１３０を有していて、前記使用者コンピュータがアクセスしたウェブサイトのＵＲＬに対応して掲示物を保存し、保存された掲示物を前記ウェブサイトにアクセスした使用者コンピュータに出力することができる。
【０１１６】
その他、本実施態様によるサーバー１００または前記サーバー１００が管理するサービスサーバー（１００Ｓ１，１００Ｓ２，．．．，１００ＳＮ）は、これらが提供するサービスによる多様なデータベースを有することができる。例えば、電子商取引、チャット、メッセージ送信（ここでメッセージ送信というのは、文字メッセージ、メモなどの送信、または電子メール送信、音声、写真、動画、文書ファイル等の送信をすべて含む。以下、メッセージ送信の意味は、本明細書全体を通して、同じである。）、ゲームなどのサービスを提供して、それと関連した必要なデータベースを有することができる。この場合、それらデータベースは、図２にみられるように、ウェブサイトのドメインアドレスに対してウェブページの位置座標に対して内容物を保存することができ、それによって、これら内容物は、該当のサービスによって該当のウェブページの位置座標に対して出力される。
【０１１７】
図３は、本発明の実施態様によるアクセスウェブサイト連動インターネットサービスシステム１０００の処理手順を示す図である。
【０１１８】
まず、図３の（ａ）を参照すると、前記サーバー１００がウェブサイト１０にアクセスした使用者コンピュータ５０に対して、前記アクセスするウェブサイト１０に連動したインターネットサービスを提供することを示している。
【０１１９】
まず、使用者コンピュータ５０が、特定ウェブサイト１０にアクセスする（工程Ｓ１）。
【０１２０】
そうすると、前記使用者コンピュータ５０に設置されたアクセスウェブサイト連動インターネットサービス装置５００が、そのウェブサイトのＵＲＬを読んで前記サーバー１００に送る（工程Ｓ２）。
【０１２１】
前記サーバー１００は、前記送信されたウェブサイトのＵＲＬを読んで、前記サーバー１００が提供するサービスによるサービスインターフェースを前記使用者コンピュータ５０に表示された前記ウェブサイトのウェブページに対して表示する（工程Ｓ３）。
【０１２２】
本発明で、サービスインターフェース（ｓｅｒｖｉｃｅ  ｉｎｔｅｒｆａｃｅ）というのは、前記サーバー１００または前記サーバーが管理するサービスサーバー（１００Ｓ１，１００Ｓ２，１００Ｓ３，．．．，１００ＳＮ）が提供するサービスによって、前記使用者コンピュータ（５０ａ，５０ｂ，．．．，５０ｎ）に表示して使用者に入力や動作を要求したり案内し、また出力したりするように案内する使用者インターフェース（ＵＩ）をいう。このようなサービスインターフェースは、入力フォームや出力フォームのようなフォーム（ｆｏｒｍｓ）、ボタン、ダイアログボックス（ｄｉａｌｏｇ  ｂｏｘ）、掲示板、ツールバーなどと、それら各々のものに対して下位に順次に表示されて使用者との関係で意思疎通を成すようにするすべてのものを含む。このようなサービスインターフェースの例は、後述する本発明による各々のサービスの例から各々例示的に見ることができる。
【０１２３】
このように、前記サーバー１００が、使用者コンピュータ５０に前述のサービスインターフェースを出力して、使用者コンピュータに前記サービスインターフェースを表示することは、多様な方式で具現することができる。例えば、Ｊａｖａスクリプト、ＶＢスクリプトまたはＪａｖａアプレットで具現され、前記サーバー１００のサービスインターフェース表示コードの出力によって、使用者コンピュータ（５０ａ，５０ｂ，．．．，５０ｎ）で実行されて表示される。他の場合、ＡＳＰ、ＪＳＰ、ＰＨＰなどで具現されて、前記サーバー１００で実行されて、そして、前記使用者コンピュータ５０に表示することができる。もちろん、Ａｃｔｉｖｅ  Ｘなどによりウィンドウのコンポーネントを活用して表示することもできる。
【０１２４】
例えば、前記アクセスウェブサイト連動インターネットサービス装置（５００ａ，５００ｂ，．．．，５００ｎ）は、サービスインターフェースを表示するアプレットを含み、それによって、前記サーバー１００が出力するｈｔｍｌコードによって呼び出されてサービスインターフェースを構成し、使用者コンピュータ（５０ａ，５０ｂ，．．．，５０ｎ）に表示することができる。このようなアプレットが前記アクセスウェブサイト連動インターネットサービス装置（５００ａ，５００ｂ，．．．，５００ｎ）に含まれない場合は、これをダウンロードなどを通じて設置することができる。
【０１２５】
前記サーバー１００側で、前記送信されたウェブサイトのＵＲＬによるドメインアドレスが前記ウェブサイトアドレスデータベース１１０に記録されていない場合、それを前記サーバー１００は、前記ウェブサイトアドレスデータベース１１０に記録することができる。
【０１２６】
ここで、前記使用者コンピュータ５０は、使用者によって入力される前記サービスと関連するサービスデータを該当のウェブページの位置座標とともに前記サーバー１００に送信することができる。
【０１２７】
例えば、使用者がポインティングデバイスで前記ウェブページの特定位置をポインティングすると、入力フォームが出力されて前記入力フォームに前記使用者がデータを入力する。この場合、前記使用者コンピュータがその位置座標を読んで前記入力フォームに入力されたデータとともに前記サーバー１００に送る。この場合、入力されるデータの形式は、テキスト、音声、動画などすべての形態のものを含む。また、これによって、前記サーバー１００から出力されるデータは、テキスト、音声、動画などすべての形態のものになり得る。この場合、例えば、音声データを入力して出力する場合、入力する使用者コンピュータではマイクまたはスピーカーが設置されていなければならない。その他のものに対しても、適切なインターフェース装置が設置されていなければならない。
【０１２８】
前記ポインティングデバイスには、代表的にマウスが挙げられ、その他にトラックボール（Ｔｒａｃｋ  ｂａｌｌ）、タッチパッド、ライトペンまたはタブレット（Ｔａｂｌｅｔ）を含む。
【０１２９】
次に、前記サーバー１００は、送信されたサービスデータを前記ウェブサイトのＵＲＬと該当ウェブページの位置座標に連動して、図２にみられるように、データベースに保存する（工程Ｓ４）。
【０１３０】
次に、前記サーバー１００は、前記サービスインターフェースによって、前記使用者コンピュータ５０に表示された前記ウェブサイトのウェブページの該当位置座標に対して出力する（工程Ｓ５）。
【０１３１】
この場合、データは、テキスト、音声、動画など多くの形態で出力されることができる。
【０１３２】
このように前記サーバー１００は、前記使用者コンピュータ５０がアクセスするウェブサイトのＵＲＬを読んで、前記ウェブサイトのＵＲＬ及びそのウェブページの位置座標に連動したサービスデータベースに保存されたサービスデータを、前記ウェブサイト１０にアクセスした使用者コンピュータ（５０ａ，５０ｂ，．．．，５０ｎ）の該当のウェブページの位置座標に対して出力する。ここで、前記サーバー１００は、前記サービスデータベースに前記使用者コンピュータ（５０ａ，５０ｂ，．．．，５０ｎ）から入力されたデータを保存することができるのである。
【０１３３】
図３の（ｂ）は、前記サーバー１００が管理するサービスサーバー１００ｓによってアクセスウェブサイト連動インターネットサービスが提供される場合の処理手順を示す。
【０１３４】
まず、使用者コンピュータ５０が、特定ウェブサイト１０にアクセスする（工程Ｓ１）。
【０１３５】
そうすると、前記使用者コンピュータ５０に設置されたアクセスウェブサイト連動インターネットサービス装置５００が、そのウェブサイト１０のＵＲＬを読んで前記サーバー１００に送る（工程Ｓ２）。
【０１３６】
前記サーバー１００は、使用者コンピュータ５０のアクセスウェブサイト連動インターネットサービス装置５００から実行要請されたサービスに対するサービスサーバー情報データベース１２５を参照して、使用者コンピュータとの通信接続情報及び会員ＤＢの条件などを含んだ情報のそれらの値をサービスサーバー１００ｓに送信する（工程Ｓ３）。
【０１３７】
そうすると、前記サービスサーバー１００ｓは、前記使用者コンピュータ５０に前記サービスサーバー１００ｓが提供するサービスによるサービスインターフェースを前記使用者コンピュータ５０に表示された前記ウェブサイト１０のウェブページに表示する（工程Ｓ４）。
【０１３８】
ここで、前記使用者コンピュータ５０は、使用者によって入力された前記サービスと関連するデータを、該当のウェブページの位置座標とともに前記サービスサーバー１００ｓに送ることができる。
【０１３９】
そうすると、前記サービスサーバー１００ｓは、送信されたサービス関連データを前記ウェブサイトのＵＲＬと連動したデータベースに該当のウェブページの位置座標とともに保存する（工程Ｓ５）。
【０１４０】
次に、前記サービスサーバー１００ｓは、前記ウェブサイト１０にアクセスした使用者コンピュータ（５０ａ，５０ｂ，．．．，５０ｎ）に、前記使用者コンピュータがアクセスしたウェブサイト１０のＵＲＬと連動したサービスデータベースに保存されたサービスデータを、前記サービスインターフェースによって、該当のウェブページの位置座標に対して出力する（工程Ｓ６）。
【０１４１】
図４は、本発明によるアクセスウェブサイト連動インターネットサービスサーバー１００の提供するサービスが、掲示板サービスである場合を示す。
【０１４２】
まず、使用者コンピュータ５０が、特定ウェブサイト１０にアクセスする（工程Ｓ１）。
【０１４３】
そうすると、前記使用者コンピュータ５０に設置されたアクセスウェブサイト連動インターネットサービス装置５００が、前記アクセスしたウェブサイトのＵＲＬを読んで前記サーバー１００に送る（工程Ｓ２）。
【０１４４】
前記サーバー１００は、前記送信されたウェブサイトのＵＲＬを読んで、前記使用者コンピュータ５０に、掲示板サービスによるサービスインターフェースを出力する（工程Ｓ３）。
【０１４５】
このような掲示板サービスインターフェースは、例えば、前記使用者コンピュータ５０に前記ウェブページ画面にツールバーで出力され（図１０及び１１のＷ２参照）、ツールバーのメニューの中で掲示板を選択すると掲示板フォームが開く形態にすることができる。
【０１４６】
ここで、前記使用者コンピュータ５０は、使用者によって入力される掲示物データを前記サーバー１００に送ることができる。そうすると、前記サーバー１００は、送信された掲示物データを前記ウェブサイトのＵＲＬと連動して掲示板データベース１３０に保存する（工程Ｓ４）。
【０１４７】
その後、前記サーバー１００は、前記使用者コンピュータ５０の要請によって、前記使用者コンピュータがアクセスしたウェブサイトのＵＲＬと連動した掲示板データベース１３０に保存された掲示物を、前記ウェブサイト１０にアクセスした使用者コンピュータ（５０ａ，５０ｂ，．．．，５０ｎ）に出力する（工程Ｓ５）。
【０１４８】
この場合、前記掲示板フォームの出力は、前記ウェブサイト１０の特定ウェブページの特定位置に対して行われ、そのサービスデータの入力と出力は、前記ウェブページの特定位置座標に対して行なうことができる。
【０１４９】
ここで、前記サーバー１００Ｓは、前記サーバー１００が管理する掲示板サービスサーバーを通じて前記使用者コンピュータ（５０ａ，５０ｂ，．．．，５０ｎ）がアクセスしたウェブサイト１０のＵＲＬに連動した掲示板サービスを提供することができ。この場合の処理手続きは、図３の（ｂ）の場合に相当する。
【０１５０】
以下に記載する他のインターネットサービスは、前記サーバー１００が直接的に提供することを示しているが、前記サーバー１００Ｓが管理するサービスサーバーを通じて行うこともでき、その場合の処理手続きも、図３の（ｂ）の場合に相当する。
【０１５１】
図５は、本発明によって前記サーバー１００が、使用者コンピュータ５０がアクセスするウェブサイト１０に連動してヘルプ及び要請事項サービスを提供する場合を示す。
【０１５２】
ここで、ヘルプサービスというのは、特定ウェブサイトの使用に対するヘルプを提供するサービスであり、要請事項サービスというのは、特定ウェブサイトの使用に対して使用者が感じた不便事項の改善を要請するサービスである。
【０１５３】
まず、使用者コンピュータ５０が、特定ウェブサイト１０にアクセスする（工程Ｓ１）。
【０１５４】
そうすると、前記使用者コンピュータ５０に設置されたアクセスウェブサイト連動インターネットサービス装置５００が、そのウェブサイトのＵＲＬを読んで前記サーバー１００に送る（工程Ｓ２）。
【０１５５】
前記サーバー１００は、前記送信されたウェブサイト１０のＵＲＬを読んで、前記使用者コンピュータ５０に前記サーバー１００が提供するヘルプサービスによるサービスインターフェースを、前記使用者コンピュータ５０に表示された前記ウェブサイト１０のウェブページに表示する。要請事項サービスを提供する場合は、要請事項サービスによるサービスインターフェースを表示する（工程Ｓ３）。
【０１５６】
このようなヘルプサービスインターフェースまたは要請事項サービスインターフェースは、例えば、使用者コンピュータ５０の前記ウェブページ画面にツールバーで出力され（図１０及び１１のＷ２参照）、ツールバーのメニューの中でヘルプまたは要請事項を選択すると、ヘルプフォームまたは要請事項フォームが開く形態にすることができる。
【０１５７】
この場合、前記使用者コンピュータ５０は、前記サーバー１００にヘルプを入力することを知らせるヘルプ入力要請を該当のウェブページの特定位置と関連して行うことができる。要請事項サービスを提供する場合は、要請事項を入力することを知らせる要請事項入力要請を該当のウェブページの特定位置と関連して行うことができる（工程Ｓ４）。
【０１５８】
このようなヘルプ入力要請または要請事項入力要請は、例えば、前記使用者コンピュータ５０に表示される該当のウェブページに表示されるツールバーのメニューの中でヘルプアップロードまたは要請事項アップロードをクリックして、次に、該当の位置をポインティングデバイスでポインティングして行なうことができる（図１１のＲ−Ｉ及びＲ−ＩＩ参照）。
【０１５９】
そうすると、前記サーバー１００は、前記使用者コンピュータにヘルプまたは要請事項を入力する入力手段を前記ウェブページの該当位置座標に対して出力する（工程Ｓ５）。（図１１のＲ−ＩＩＩ参照）
【０１６０】
このような入力手段は、例えば、入力フォームにすることができる。例えば、別途のウィンドウ形態にして出力させることができる（図１１参照）。
【０１６１】
前記使用者コンピュータ５０は、前記入力手段に入力される入力データを前記サーバー１００に送信して、前記サーバー１００はヘルプデータを前記ウェブサイトのＵＲＬと該当のウェブページの位置座標に連動してヘルプデータベース１４０に保存する。要請事項サービスと関連して、前記使用者コンピュータ５０は、前記入力手段に入力された要請事項データを前記サーバー１００に送信し、そして、前記サーバー１００は要請事項データを前記ウェブサイトのＵＲＬと該当のウェブページの位置座標に連動して要請事項データベース１５０に保存する（工程Ｓ６）。
【０１６２】
次に、前記サーバー１００は、前記ヘルプデータベース１４０または要請事項データベース１５０に保存されたヘルプデータまたは要請事項データを、該当のウェブページの位置座標に対して出力する（工程Ｓ７）。この場合、前記使用者コンピュータが前記ウェブサイトの該当ウェブページの位置を指定して出力を要請した場合に、出力することができる。
【０１６３】
ここで、特に、前記要請事項データは、使用者コンピュータ５０がアクセスしたウェブサイト１０の運営者コンピュータまたは前記サーバー１００の運営者コンピュータに出力するようにするか、あるいは、前記サーバー１００は、これら運営者がアクセスすることができる管理者ページを提供することが好ましい。それによって、これらの運営者が、要請事項を認知して前記アクセスするウェブサイト１０の改善に反映することができる。
【０１６４】
図６は、本発明によって使用者コンピュータがアクセスするウェブサイトに連動して広告サービスを提供する場合を示す。
【０１６５】
まず、使用者コンピュータ５０が、特定ウェブサイト１０にアクセスする（工程Ｓ１）。
【０１６６】
そうすると、前記使用者コンピュータ５０に設置されたアクセスウェブサイト連動インターネットサービス装置５００が、そのウェブサイトのＵＲＬを読んで前記サーバー１００に送る（工程Ｓ２）。
【０１６７】
前記サーバー１００は、前記送信されたウェブサイトのＵＲＬを読んで、前記使用者コンピュータ５０に広告サービスによる広告サービスインターフェースを出力する（工程Ｓ３）。
【０１６８】
このような広告サービスインターフェースは、例えば、前記使用者コンピュータ５０の前記ウェブページ画面にツールバーで出力され（図１２のＷ２参照）、ツールバーのメニューの中で広告を選択すると、そのサブメニューで広告申請及び広告表示の形態に進行することができる。
【０１６９】
ここで、前記使用者コンピュータ５０は、広告主である使用者によって入力される広告データを該当のウェブページの特定位置と関連して、前記サーバー１００に送ることができる（図１２のＡ−ＩからＡ−ＩＶ参照）。
【０１７０】
この場合、後述するように、前記使用者は、広告の領域を設定することができる（図１２のＡ−ＩＩＩ参照）。この場合、使用者コンピュータ５０は、広告領域を特定することができる位置座標を読んでそれを前記サーバー１００に送る。例えば、広告領域が四角の場合、四つの角の座標を読んでそれら値を送ることができる。
【０１７１】
そうすると、前記サーバー１００は、送信した広告データを、前記ウェブサイトのＵＲＬ及び該当ウェブページの位置座標と連動した広告データベース１６０に保存する（工程Ｓ４）。ここで、必要な場合、前記サーバー１００は、広告と関連する費用の決済を受けることができる。
【０１７２】
次に、前記サーバー１００は、前記使用者コンピュータ５０がアクセスしたウェブサイト１０のＵＲＬと該当のウェブページの位置座標と連動して広告データベース１６０に保存された広告を、前記ウェブサイト１０にアクセスした前記使用者コンピュータ（５０ａ，５０ｂ，．．．，５０ｎ）の該当ウェブページの位置座標に対して出力する（工程Ｓ５）。この場合、使用者コンピュータから広告出力要請を受けて出力することができる。（図１２のＡ−ＩＩ、Ａ−ＩＩＩ’及びＡ−ＩＩＩ”参照）この場合、会員データベース１７０を参考して広告を閲覧することを希望するように設定した人にのみ、見せることができる。
【０１７３】
特に、本発明の場合、前記広告の出力は、前記ウェブサイトのドメインアドレスに対応してすべてのウェブページに対して行なうことができる。
【０１７４】
例えば、前記使用者コンピュータのアクセスしたウェブサイトが、www.sechnag.comの場合、そのサブページ各々に対して個別的な広告を出力することもできるが、ドメインアドレスであるwww.sechnag.comまたはその下位サブページ、例えば、http://www.sechnag.com/shopのすべての下位ディレクトリのページに対して該当位置に広告が出力されるようにできる。
【０１７５】
図７は、本発明によって使用者コンピュータがアクセスするウェブサイトに連動して、電子商取引サービスを提供する場合を示す。
【０１７６】
まず、使用者コンピュータ５０が、特定ウェブサイト１０にアクセスする（工程Ｓ１）。
【０１７７】
そうすると、前記使用者コンピュータ５０に設置されたアクセスウェブサイト連動インターネットサービス装置５００が、そのウェブサイトのＵＲＬを読んで前記サーバー１００に送る（工程Ｓ２）。
【０１７８】
前記サーバー１００は、前記送信されたウェブサイトのＵＲＬを読んで、電子商取引サービスによる電子商取引インターフェースを前記使用者コンピュータ５０に表示された前記ウェブサイトのウェブページに表示する（工程Ｓ３）。
【０１７９】
このような電子商取引インターフェースは、例えば、前記使用者コンピュータ５０の前記ウェブページ画面にツールバーで出力され（図１７のＷ２参照）、ツールバーのメニューの中でショッピングを選択すると、そのサブメニューで販売物品掲載及び販売物品表示などの形態で進行することができる。
【０１８０】
このような電子商取引は、一般的なショッピングモールの形態から競売などの形態まで、多様に成り立つことができる。
【０１８１】
ここで、前記使用者コンピュータ５０は、販売者である使用者によって入力される販売物品に対するデータを、前記サーバー１００に送信することができる。ここで、前記使用者コンピュータ５０に表示された前記アクセスするウェブサイト１０のウェブページで、前記販売物品が展示される位置座標とともに送信することができる。もちろん、販売物品は、無形のサービス提供を含む。
【０１８２】
例えば、使用者は、ポインティングデバイスで前記ウェブページの特定位置をポインティングして、販売物品が陳列する位置を指定することができる。そうすると、前記使用者コンピュータは、その位置座標を読んでそれを入力した販売物品データとともに前記サーバー１００に送る（図１７のＴ−ＩからＴ−ＩＶ参照）。
【０１８３】
そうすると、前記サーバー１００は、送信受けた販売物品に対するデータを前記ウェブサイトのＵＲＬと該当のウェブページの位置座標に連動して電子商取引データベース（未図示）に保存する（工程Ｓ４）。ここで必要な場合、前記サーバー１００は、販売と関連する費用決済を受けることができる。
【０１８４】
次に、前記使用者コンピュータがアクセスしたウェブサイト１０のＵＲＬと該当のウェブページの位置座標とに連動して、前記電子商取引データベースに保存された販売物品の情報を、前記ウェブサイト１０にアクセスした前記使用者コンピュータ（５０ａ，５０ｂ，．．．，５０ｎ）の該当ウェブページの位置座標に対して出力する（図１７のＴ−ＩからＴ−ＩＩＩ’参照）（工程Ｓ５）。
【０１８５】
以後、購買者である使用者コンピュータ（５０ａ，５０ｂ，．．．，５０ｎ）が、前記出力された販売物品情報によって電子商取引を進行して、そのような手続きを前記サーバー１００は遂行し、電子商取引が成立する（工程Ｓ６）。
【０１８６】
図８は、本発明によって前記サーバー１００が、使用者コンピュータにアクセスするウェブサイト１０のＵＲＬに連動してインターネットサービスを提供することにおいて、前記サーバー１００が管理するサービスサーバー１００ｓによって前記インターネットサービスが実行される時、前記使用者コンピュータがアクセスしたウェブサイトサーバー１０が、前記サーバー１００によって管理されるサービスサーバー１００ｓである場合を示す。
【０１８７】
この場合、まず、使用者コンピュータ５０が、特定ウェブサイト１０にアクセスする（工程Ｓ１）。
【０１８８】
そうすると、前記使用者コンピュータ５０に設置されたアクセスウェブサイト連動インターネットサービス装置５００が、そのウェブサイト１０のＵＲＬを読んで前記サーバー１００に送る（工程Ｓ２）。
【０１８９】
前記サーバー１００は、前記使用者コンピュータ５０でのインターネットサービス装置から要請されたサービスのためのサービスサーバー情報データベース１２５を意味し、前記送信されたウェブサイトのＵＲＬを読んで前記使用者コンピュータのインターネットアドレスとともに、前記サービスサーバー１００ｓである前記ウェブサイトサーバー１０にこれら値を送る（工程Ｓ３）。
【０１９０】
そうすると、前記サービスサーバー１００ｓである前記ウェブサイトサーバー１０は、前記ウェブサイト１０にアクセスした使用者コンピュータ（５０ａ，５０ｂ，．．．，５０ｎ）に前述のような掲示板、ヘルプ、要請事項、広告、電子商取引などのサービスを提供する（工程Ｓ４）。
【０１９１】
前述のように、本発明は、使用者コンピュータがアクセスしたウェブサイトのＵＲＬに対応して、前記使用者コンピュータに表示された前記ウェブサイトのウェブページの特定位置に対して、インターネットサービスを提供する。
【０１９２】
例えば、前記ウェブサイト１０のウェブページの特定位置のメニューに対して、そのメニューに対する上述したヘルプサービス、要請事項サービスが成立し得る。
【０１９３】
他の場合、前記ウェブサイト１０がショッピングモールサイトの場合、販売物品が表示される位置と関連して、掲示板またはヘルプサービスなどを行なうことができる。また他の場合として、電子製品に対する情報が出力されるウェブページ（例えば、ブログなど）において、特定位置に対して広告サービスが提供されるかまたは電子商取引サービスが提供されることができる。また他の場合として、記事のウェブページと関連して特定文句の位置に対してそれと関連する広告、電子商取引などのサービスを提供することができる。例えば、記事としてインプラントに対する文句がある場合、インプラントに関連する歯科病院または用品などの広告または電子商取引サービスを提供することができる。
【０１９４】
図９は、このように使用者コンピュータがアクセスしたウェブサイトのウェブページの特定位置に対して、インターネットサービスが提供される場合の処理手続きの例を示す。
【０１９５】
まず、前記使用者コンピュータ（５０ａ，５０ｂ，．．．，５０ｎ）は、特定ウェブサイト１０にアクセスして、それによってこれら使用者コンピュータ（５０ａ，５０ｂ，．．．，５０ｎ）には、アクセスしたウェブサイト１０のウェブページが表示されている。
【０１９６】
この場合、これら使用者コンピュータ（５０ａ，５０ｂ，．．．，５０ｎ）のアクセスウェブサイト連動インターネットサービス装置（５００ａ，５００ｂ，．．．，５００ｎ）は、前記アクセスするウェブサイト１０のＵＲＬを読んで前記サーバー１００に送信する。それによって、前記使用者コンピュータ（５０ａ，５０ｂ，．．．，５０ｎ）は、前記サーバー１００からデータを受信することができるようになる。
【０１９７】
この状態で、使用者は、使用者コンピュータ（５０ａ，５０ｂ，．．．，５０ｎ）に表示されたウェブページの特定位置を指定して、その位置と関連してサービスデータを入力する。そうすると、前記位置座標と入力されたサービスデータは、前記サーバー１００に送信される。（工程Ｃ１）
【０１９８】
例えば、使用者がウェブページの特定位置をポインティングデバイスでポインティングして特定位置を指定することができる。例えば、前記ウェブページの特定位置にマウスカーソルを位置させてマウスボタンをクリックすることで特定位置が指定される。
【０１９９】
このような場合、前記アクセスウェブサイト連動インターネットサービス装置（５００ａ，５００ｂ，．．．，５００ｎ）は、その位置による座標を読んで入力されたデータとともに前記サーバー１００に送信する。
【０２００】
例えば、前記サーバー１００は、前記使用者コンピュータ（５０ａ，５０ｂ，．．．，５０ｎ）に表示された前記ウェブサイト１０のウェブページで特定位置が指定されると、それをサービスデータの入力要請と認識することができ、それによって、サービスデータ入力フォームを出力することができる。そうすると、そこに使用者がサービスデータを入力する。そうすると、前記アクセスウェブサイト連動インターネットサービス装置（５００ａ，５００ｂ，．．．，５００ｎ）は、その位置座標と入力されたデータを前記サーバー１００に送信する。
【０２０１】
そうすると、前記サーバー１００は、前記使用者コンピュータ（５０ａ，５０ｂ，．．．，５０ｎ）がアクセスしたウェブサイト１０のＵＲＬに連動したサービスデータベースに入力されたサービスデータとその位置座標とを保存する（工程Ｓ１）。
【０２０２】
前記ウェブサイトにアクセスした使用者コンピュータ（５０ａ，５０ｂ，．．．，５０ｎ）でそのウェブページの特定位置を指定して出力を要請すると（工程Ｃ２）、前記サーバー１００は、前記ウェブサイトアドレスと連動して前記位置座標に対応して保存されたサービスデータを前記使用者コンピュータ（５０ａ，５０ｂ，．．．，５０ｎ）の該当位置に出力する（工程Ｓ２）。
【０２０３】
前述の工程Ｃ１と工程Ｓ１は、必ずしも必要ではないことがある。すなわち、前記サーバー１００は、サービスデータを前記ウェブサイトのＵＲＬ及びウェブページの位置座標によって保存していて、これを前記使用者コンピュータに出力して該当ウェブページの位置座標に対して出力することができるのである。また、工程Ｃ２と関係なく、該当のウェブページの位置座標にサービスデータを出力することもできる。
【０２０４】
前記サーバー１００が、前記サービスデータを使用者コンピュータに表示された前記ウェブサイトのウェブページにその位置座標によって出力する場合、前記サーバー１００は、前記使用者コンピュータ（５０ａ，５０ｂ，．．．，５０ｎ）に表示された前記ウェブサイト１０のウェブページでサービスデータが出力される位置に、サービスデータがあることをあらかじめ示すことができる。
【０２０５】
すなわち、前記サーバー１００に保存されたウェブページでの位置座標とその位置に対応したサービスデータとによって、前記使用者コンピュータに表示された前記ウェブサイト１０のウェブページでサービスデータがある位置にサービスデータがあることを表示して、同時にサービスデータの個数を一緒に表示するのが好ましい。
【０２０６】
このようなサービスデータの存在表示は、特定図形形態で出力した方が良く、例えば、ふきだし、円、または星印などの形態を挙げられる。
【０２０７】
例えば、図１０の（ｂ）の場合、使用者コンピュータがアクセスしたwww.sechnag.comが提供するウェブページで計測機、流量計、値下がり式競売で購入するための各々の位置（Ｈ−ＩＩ、Ｈ−ＩＩ’及びＨ−ＩＩ”）に対して、ヘルプが各々７個、３０個及び１０個あることをふきだしで表示している（Ｈ−ＩＩＩ、Ｈ−ＩＩＩ’及びＨ−ＩＩＩ”参照）。
【０２０８】
これら位置（Ｈ−ＩＩ、Ｈ−ＩＩ’及びＨ−ＩＩ”）に対して、使用者コンピュータの要請があれば、その位置に保存されたサービスデータが出力されて表示される（図１０の（ｃ）のＨ−ＩＶ参照）。
【０２０９】
本発明の場合、使用者コンピュータに表示されるウェブサイトのウェブページで特定位置の座標は、該当の画面で絶対的に求められる座標値に加えて上下または左右にスクロールされた値を補正して求めることができる。
【０２１０】
また他の場合、使用者コンピュータに表示されるウェブページのｈｔｍｌコードで特定の文字列や標識のような個体を認識して、それを基準にして位置座標を演算することができる。この場合、前記サーバー１００が前記使用者コンピュータに表示されたウェブサイトのウェブページにサービスデータを出力する時、前記個体を基準にして位置を決めて出力する。
【０２１１】
また本発明の実施態様の場合、前記サーバー１００は、インターネットサービス装置５００から使用者コンピュータの解像度を感知して、使用者コンピュータの解像度が基準解像度と異なる場合には、基準になる解像度に対する比率値に位置座標を変換して出力する。
【０２１２】
図１０及び１１は、本発明による使用者コンピュータがアクセスしたウェブサイトに連動したインターネットサービスの使用者コンピュータでの画面出力例を示す。
【０２１３】
まず、図１０の（ａ）は、前記使用者コンピュータ（５０ａ，５０ｂ，．．．，５０ｎ）に出力された初期画面の例である。
【０２１４】
図示のように、一番上段にウェブブラウザによるツールバー（Ｗ１）が出力され、その下部に本発明によるサービスインターフェースとしてツールバー（Ｗ２）が出力される。前記ツールバー（Ｗ２）の下部にウェブページ（Ｗ３）が出力されている。
【０２１５】
この場合、前記使用者コンピュータのアクセスしたウェブサイトは、前記ツールバー（Ｗ１）のアドレス窓で見られるようにwww.sechnag.comで、それに対して本発明によって前記www.sechnag.comにアクセスした使用者コンピュータには、前記ツールバー（Ｗ２）が、前記サーバー１００によって出力されるのである。
【０２１６】
前記ツールバー（Ｗ２）には、前記サーバー１００が提供するサービスメニューとして掲示板、ヘルプアップロード、ヘルプ表示、要請事項アップロード、広告が表示されている。またスキン隠しも提供されている。ここでスキン（ｓｋｉｎ）というのは、サービスデータがある位置に対してサービスデータがあることを図形の形態で示すものをいい、前記スキン隠しは、これをクリックして動作させた場合、このようなサービスデータの位置によってサービスデータがあることを図形で表示するスキンが出力されないことを意味する。
【０２１７】
例えば、図１０の（ａ）で、Ｔ−Ｉで示されるように掲示板をクリックする場合、図１０の（ｂ）のＴ−ＩＩで示されるように掲示板が開かれて前記www.sechnag.comに対して保存された掲示物が浮かび出る。
【０２１８】
また、図１０の（ａ）で、Ｈ−Ｉで示されるようにヘルプ表示をクリックする場合、図１０の（ｂ）のＨ−ＩＩで示されるようにヘルプが保存された位置に対して、ヘルプの個数がＨ−ＩＩＩのように表示されるが、この場合、ふきだし形態で表示されている。
【０２１９】
この状態で前記Ｈ−ＩＩＩのヘルプ個数をクリックすると、図１０の（ｃ）のＨ−ＩＶで示されるように、掲示板形式で該当メニューに対するヘルプが出力される。
【０２２０】
他の場合、図１１に見られるように、まず、図１１の（ａ）と同じように、使用者が前記ツールバー（Ｗ２）で要請事項アップロードをクリックして（Ｒ−Ｉ）、そして、図１１の（ｂ）と同じように、水質計測機メニューをクリックすると、（Ｒ−ＩＩ）、図１１の（ｃ）と同じように、その位置に対してポップアップ形態で入力フォームが出力される（Ｒ−ＩＩＩ）。
【０２２１】
そうすると、使用者は、前記入力フォームに対して要請事項を入力すると、入力されたデータとその位置座標が前記サーバー１００に送信されて、前記www.sechnag.comと連動して保存される。
【０２２２】
このようなサービスは、もちろん、前述のウェブページスキンなしにすぐに表示することができ（スキン隠しを使用する場合など）、例えば、マウスカーソルを特定位置において右側ボタンをクリックするとか、またはマウスを特定地点に留める場合、サービスデータ入力とサービスデータ出力メニューとがポップアップされる。サービスデータ入力をクリックすると入力手段が出力され、その入力手段にデータを入力すると、その位置の座標値とともに入力されたデータが、サーバー１００の使用者コンピュータがアクセスしたウェブサイトのアドレスに連動するデータベースに保存され、そして、サービスデータ出力をクリックすると、前記位置座標と連動して保存されたサービスデータが出力されるようにできる。
【０２２３】
図１２は、本発明による使用者コンピュータがアクセスしたウェブサイトに連動したインターネットサービスの使用者コンピュータでの画面出力例として特別に広告を示す。
【０２２４】
図示されたように、一番上段にウェブブラウザによるツールバー（Ｗ１）が出力され、その下部に本発明によるサービスインターフェースとしてツールバー（Ｗ２）が出力される。前記ツールバー（Ｗ２）の下部にウェブページ（Ｗ３）が出力されている。
【０２２５】
前記ツールバー（Ｗ２）のメニューの中で広告をクリックすると、（図１２の（ａ）のＡ−Ｉ）、そのサブメニューとして広告申請と広告表示が各々表示される（図１２の（ｂ））。
【０２２６】
ここで広告申請をクリックして広告申請を要請する（図１２の（ｂ）のＡ−ＩＩ）。
【０２２７】
次に、広告が表示される位置を指定する。例えば、図１２の（ｃ）のＡ−ＩＩＩに見られるようにマウスをドラッグアンドドロップして、広告が表示される領域を設定することができる。この場合、使用者コンピュータは、設定された領域を表示する位置座標を読む。図示されたように四角の領域が設定される場合、その四つの角の座標を読む。
【０２２８】
そうすると、前記サーバー１００は、広告データを入力する入力インターフェースを前記ウェブページに対して出力する。例えば、図１２の（ｄ）のＡ−ＩＶにみられるように入力フォームの形態が出力され、ここに広告データを入力して送信ボタンを押せば、入力されたデータは、前記サーバー１００に送信される。
【０２２９】
他の場合、図１２の（ｂ）の広告のサブメニューの中で広告表示Ａ−ＩＩ’をクリックすると、図１２の（ｃ’）にみられるように該当位置に対して広告が出力される（Ａ−ＩＩＩ’及びＡ−ＩＩＩ”）。
【０２３０】
図１３は、本発明によって使用者コンピュータ５０ａ、５０ｂが、アクセスしたウェブサイト１０のアドレスに連動して、前記使用者コンピュータ５０ａ、５０ｂ相互間に成り立つインターネットサービスを提供する場合の処理手順を示す。
【０２３１】
まず、前記使用者コンピュータ５０ａ、５０ｂが、前記ウェブサイト１０にアクセスする（工程Ｓ１ａ及びＳ１ｂ）。
【０２３２】
そうすると、前記使用者コンピュータ５０ａ、５０ｂに設置された本発明によるアクセスウェブサイト連動イントネッサービス装置５００ａ、５００ｂは、前記使用者コンピュータ５０ａ、５０ｂがアクセスしたウェブサイトのＵＲＬを前記サーバー１００に送る（工程Ｓ２ａ及びＳ２ｂ）。
【０２３３】
次に、前記サーバー１００は、前記サーバー１００が管理するサービスサーバー１００ｓに前記送信されたウェブサイトのＵＲＬ及び前記使用者コンピュータ５０ａ、５０ｂの接続情報（ソケット通信などの情報）を送る（工程Ｓ３ａ及びＳ３ｂ）。
【０２３４】
次に、前記サービスサーバー１００ｓは、現在前記ウェブサイト１０にアクセスした使用者コンピュータのリストを前記使用者コンピュータに出力する（工程Ｓ４ａ及びＳ４ｂ）。
【０２３５】
この場合、使用者コンピュータ５０ａに対しては、使用者コンピュータ５０ｂが出力され、使用者コンピュータ５０ｂに対しては、使用者コンピュータ５０ａが出力される。
【０２３６】
そのために、例えば、前記会員データベース１７０は、個々の会員に対して現在の接続位置と接続時間に対する情報をリアルタイムで記録して、それを通じて現在前記ウェブサイトにアクセスした使用者コンピュータを捜して出力することができる。他の場合、前記サービスサーバー１００ｓは、接続ログを記録しながらそれを通じて現在前記ウェブサイトにアクセスした使用者コンピュータを捜して出力することができる。また、リアルタイムでソケット通信などを通じて接続情報などを受けて、それを表示することもできる。
【０２３７】
次に、前記使用者コンピュータ５０ａ、５０ｂが、出力された現在の前記ウェブサイトにアクセスした使用者コンピュータの中でいずれか一つを選択すると、前記サービスサーバー１００ｓは、前記使用者コンピュータと前記使用者が選択したコンピュータを中継して、この二者を相互に連結したインターネットサービスを提供する（工程Ｓ５）。
【０２３８】
このように、使用者コンピュータ相互間に成り立つサービスは、例えば、チャット、ゲーム、電子メール送信またはメッセージ送信などができる。
【０２３９】
特に、文字メッセージ送信サービスと関連して、前記現在ウェブサイトにアクセスした使用者コンピュータを出力する時、そのコンピュータの使用者の携帯電話番号を一緒に出力することができ、前記相手コンピュータの選択は、そのコンピュータの携帯電話番号を前記サービスサーバー１００ｓに入力することが含まれ得る。また、文字メッセージ発送者である使用者コンピュータの携帯電話番号も一緒に入力することが好ましい。
【０２４０】
ここで、会員データベース１７０は、個々の使用者の携帯電話番号を記録していて、したがって、単に相手コンピュータだけの選択で自動的に差出人コンピュータの携帯電話番号及び受信者コンピュータの携帯電話番号が、前記文字メッセージ送信サーバーであるサービスサーバー１００ｓに送信されるようにできる。同じように、電子メール送信サービスの場合も、会員データベース１７０は、個々の使用者の電子メールアドレスを記録していて、したがって、単に相手コンピュータを選択するだけで、自動で差出人コンピュータの電子メールアドレス及び受信者コンピュータの電子メールアドレスが、前記電子メールサーバーであるサービスサーバー１００ｓに送信されるようにできる。
【０２４１】
図１３と関連する例示は、前記サーバー１００が管理するサービスサーバー１００ｓによって、使用者コンピュータ相互間に連結されたサービスが提供されることを示しているが、他の場合、前記サービスサーバー１００ｓを介在しないで前記サーバー１００が、相互間連結サービスを提供することもできる。
【０２４２】
図１４は、本発明による使用者コンピュータがアクセスしたウェブサイトに連動して使用者コンピュータ間に連結されたインターネットサービスを提供する時の、使用者コンピュータでの画面出力例を示す。
【０２４３】
まず、図１４の（ａ）にみられるように、一番上段にウェブブラウザによるツールバー（Ｗ１）が出力され、その下部に本発明によるサービスインターフェースとしてツールバー（Ｗ２）が出力される。前記サービスフォーム（Ｗ２）の下部に使用者コンピュータがアクセスしたウェブサイト（www.sechnag.com）のウェブページ（Ｗ３）が表示されている。
【０２４４】
この場合、前記ツールバー（Ｗ２）のメニューでゲームを選択すると（図１４の（ａ）のＧ−Ｉ）、ゲームの種類が表示されて（図１４の（ｂ）のＧ−ＩＩ）、ゲームの種類を選択すると、現在前記サイト（www.sechnag.com）にアクセスしている使用者コンピュータのリストが出力される（図１４の（ｃ）のＧ−ＩＩＩ）。
【０２４５】
この中でいずれか一つを選択し、選択された相手の対戦許諾を受ける。そうすると、ゲーム画面が出力されてゲームが進行される（図１４の（ｄ）のＧ−ＩＶ）。
【０２４６】
本発明の場合、図２の権限データベース１２０と同様に使用者がアクセスしたウェブサイトによって、または、サービス種類によって、その管理権限が異なるようにできる。また、ヘルプの場合、使用者がアップロードしたもの、または、使用者コンピュータがアクセスしたウェブサイトの運営者がアップロードしたものに分類して保存し、使用者コンピュータに出力することができる。
【０２４７】
また本発明の場合、前記ウェブサイトのＵＲＬと連動したサービスデータベースに保存されたサービス関連データは、データの性格によって分類して保存することができる。この場合、前記サービスデータの前記使用者コンピュータ（５０ａ，５０ｂ，．．．，５０ｎ）への出力は、前記分類によって前記サーバー１００またはサービスサーバー（１００Ｓ１，１００Ｓ２，．．．，１００ＳＮ）が、前記サービスデータを前記使用者コンピュータ（５０ａ，５０ｂ，．．．，５０ｎ）に出力することができる。
【０２４８】
このように本発明は、使用者コンピュータ（５０ａ，５０ｂ，．．．，５０ｎ）がアクセスするウェブサイト１０のＵＲＬを、前記アクセスウェブサイト連動インターネットサービス装置（５００ａ，５００ｂ，．．．，５００ｎ）が、前記アクセスウェブサイト連動インターネットサービスサーバー１００に送り、そうすると、前記アクセスウェブサイト連動インターネットサービスサーバー１００が、前記使用者コンピュータ（５０ａ，５０ｂ，．．．，５０ｎ）に表示される前記アクセスするウェブサイト１０のウェブページに対してインターネットサービスを提供し、特に、前記ウェブページの位置に対してインターネットサービスを提供する。
【０２４９】
本発明の場合、使用者コンピュータ（５０ａ，５０ｂ，．．．，５０ｎ）がアクセスするウェブサイトサーバー（１０ａ，１０ｂ，１０ｃ，．．．，１０ｎ）が提供することができないサービスを、前記アクセスウェブサイト連動インターネットサービスサーバー１００で提供するようにできる。この場合、前記アクセスウェブサイト連動インターネットサービスサーバー１００は、一種のＡＳＰ（Ａｐｐｌｉｃａｔｉｏｎ  Ｓｅｒｖｉｃｅ  Ｐｒｏｖｉｄｅｒ）としての役割をする。
【０２５０】
ここで、前記サーバー１００または前記サーバーが管理するサービスサーバー１００ｓは、個々のウェブサイトのＵＲＬに対応して前記インターネットサービスの提供位置を保存している。例えば、前述のサービスサーバー情報データベース１２５は、前記インターネットサービスの提供位置を保存することができる。
【０２５１】
この場合、前記使用者コンピュータ５０がアクセスするウェブサイト１０のサーバーは、自身が提供するウェブページファイルに、本発明によるアクセスウェブサイト連動インターネットサービス装置５００を、前記サーバー１００またはサービスサーバー１００ｓからダウンロードされるようにする呼び出しプログラムコードを含んでいることが好ましく、特に、前記サーバー１００が提供するインターネットサービスが、提供されるウェブページの位置と関連して前記呼び出しプログラムコードを含むことがさらに好ましい。
【０２５２】
そうすると、前記ウェブサイト（１０ａ，１０ｂ，．．，，１０ｎ）のサーバーにアクセスした使用者コンピュータ５０の使用者は、そのウェブページに表示された呼び出しプログラムを操作させて前記サーバー１００またはサービスサーバー１００ｓから本発明によるアクセスウェブサイト連動インターネットサービス装置５００をダウンロードして自身のコンピュータ５０に設置することができる。他の場合、ＵＳＢなど移動式メモリー装置を通じて設置することもできる。
【０２５３】
それによって、使用者コンピュータが特定ウェブサイトにアクセスすると、前記使用者コンピュータに設置されたアクセスウェブサイト連動インターネットサービス装置５００は、アクセスしたウェブサイトのＵＲＬを読んで前記サーバー１００に送信する。
【０２５４】
そうすると、前記サーバー１００またはサービスサーバー１００ｓは、送信されたＵＲＬを読んでそれに対応して保存されたインターネットサービスと該当ウェブページと提供位置とを把握して、それによって、前記使用者コンピュータ５０に表示される前記ウェブサイトのウェブページの該当位置にインターネットサービスを提供する。
【０２５５】
このような場合、前記サーバー１００またはサービスサーバー１００ｓが前記アクセスするウェブサイト１０にアクセスした使用者コンピュータ５０に提供するインターネットサービスは、様々なものがあり得るが、基本的な会員管理から始めて掲示板、ゲーム、競売、チャット、メッセージ送信などがあり得る。
【０２５６】
図１５は、本発明による使用者コンピュータがアクセスしたウェブサイトに連動して使用者コンピュータに前記ウェブサイトが提供することができないインターネットサービスを提供する場合の、使用者コンピュータでの画面出力例を示す。
【０２５７】
まず、図１５の（ａ）は、前記使用者コンピュータ５０に本発明によるアクセスウェブサイト連動インターネットサービス装置５００が設置されていない場合を示す。この場合、前記ウェブページで前記サーバー１００またはサービスサーバー１００ｓからサービスが提供される位置４０、８０には、本発明によるアクセスするウェブサイトインターネットサービス装置５００をダウンロードするように表示されている。
【０２５８】
これによって、使用者コンピュータ５０の使用者は、前記位置４０、８０をクリックして呼び出しプログラムを駆動させて、前記サーバー１００またはサービスサーバー１００ｓから前記アクセスウェブサイト連動インターネットサービス装置５００をダウンロードし、自身のコンピュータ５０に設置することができる。
【０２５９】
このように設置された場合、図１５の（ｂ）にみられるように、使用者コンピュータ５０に表示されるウェブページの該当位置４０、８０に、前記サーバー１００またはサービスサーバー１００ｓから提供されるインターネットサービスのインターフェース画面が表示され、その後、前記サーバー１００またはサービスサーバー１００ｓは、前記使用者コンピュータ５０に該当のインターネットサービスを該当位置に提供する。
【０２６０】
ここで、前記インターネットサービス提供位置４０と８０の中いずれか一つをクリックして、前記アクセスウェブサイト連動インターネットサービス装置５００をダウンロードして設置すると、図１５の（ｂ）のように前記サーバー１００またはサービスサーバー１００ｓから提供されるインターネットサービスのインターフェース画面が表示される。
【０２６１】
他の場合、各々のインターネットサービスに対してそのアクセスウェブサイト連動インターネットサービス装置５００が異なり、各々のサービスに対してダウンロードされるようにすることもできる。
【０２６２】
本図面の場合、前記サーバー１００またはサービスサーバー１００ｓは、値下がり式競売と文字メッセージサービスを、そのアドレスをwww.sechnag.comにしてウェブサイトにアクセスした使用者コンピュータ５０に対して、その該当位置４０、８０に提供する。
【０２６３】
特に、図１５の（ｂ）で、その下端には、前記www.sechnag.comに接続した使用者を表示している。これは、前記www.sechnag.comに接続した使用者コンピュータ５０として、前記アクセスウェブサイト連動インターネットサービス装置５００を通じて前記サーバー１００に接続した使用者コンピュータ５０を表示するものである。
【０２６４】
また、前記www.sechnag.com以外に他の様々なサイトに接続する使用者コンピュータであって、前記アクセスウェブサイト連動インターネットサービス装置５００を通じて前記サーバー１００に接続された使用者コンピュータ５０も表示している。この場合、前記サーバー１００のアドレスは、www.webcoor.comになっている。
【０２６５】
したがって、本発明の場合、前記アクセスウェブサイト連動インターネットサービス装置５００が設置された使用者コンピュータが、ウェブサイト（１０ａ，１０ｂ，．．．，１０ｎ）にアクセスする場合、前記サーバー１００は、これら使用者コンピュータを把握することができ、それによってこれらの間を仲介してインターネットサービスを提供することが可能になる。
【０２６６】
例えば、現在特定ウェブサイトに接続した使用者コンピュータを前記サーバー１００が把握し、そのリストを前記使用者コンピュータ５０に表示する。そうすると、前記使用者コンピュータ５０を通じて使用者がリストの中でいずれか一つまたは多数を選択して、それらの間でインターネットサービスを提供することができる。このようなサービスは、多様であることができ、例えば、チャット、ゲーム、メッセージ送信のようなものがある。
【０２６７】
本発明の場合、前記サーバー１００は、前記使用者コンピュータ（５０ａ，５０ｂ，５０ｃ，．．．，５０ｎ）に検索機能を提供することができる。すなわち、前記サーバー１００は、個々のウェブサイトのＵＲＬに対応して関連キーワードを保存していて、それを前記アクセスウェブサイト連動インターネットサービス装置５００を通じて前記サーバー１００に接続された使用者コンピュータ５０が検索することができるようにする。
【０２６８】
例えば、図２のサイトＤＢ１１０、広告ＤＢ１６０、または、掲示板データベース１３０などに各々別途のフィールド（未図示）を追加して、個々のウェブサイトに対して関連キーワードを保存するようにでき、前記サーバー１００は、前記使用者コンピュータ（５０ａ，５０ｂ，５０ｃ，．．．，５０ｎ）がアクセスするウェブサイト１０が、前記使用者コンピュータ（５０ａ，５０ｂ，５０ｃ，．．．，５０ｎ）に出力して表示されるウェブページに、前記キーワードを入力して検索することができる検索フォームを表示する。
【０２６９】
これによって、使用者は、前記使用者コンピュータ（５０ａ，５０ｂ，５０ｃ，．．．，５０ｎ）に特定キーワードを入力すると、前記サーバー１００は、それを該当のフィールド値のキーワードと比較して対応するものがある場合、そのＵＲＬを前記使用者コンピュータ（５０ａ，５０ｂ，５０ｃ，．．．，５０ｎ）に出力する。この場合、使用者コンピュータ（５０ａ，５０ｂ，５０ｃ，．．．，５０ｎ）が、関連キーワード検索の結果として現われたウェブサイトアドレスを出力する時、ハイパーリンクなどを活用して、すぐに該当のサイトに接続できるようにしたり、関連するサイトが別のウィンドウで開くようにしたりすることが好ましい。
【０２７０】
また、前記サーバー１００は、図２の広告ＤＢ１６０のように広告データを保存していて、前記サーバーは、前記使用者コンピュータ（５０ａ，５０ｂ，５０ｃ，．．．，５０ｎ）がアクセスするウェブサイト１０が、前記使用者コンピュータ（５０ａ，５０ｂ，５０ｃ，．．．，５０ｎ）に出力して表示されるウェブページに、広告データを出力して表示するようにすることが好ましい。
【０２７１】
このような場合、広告主は、該当の広告に対して広告費用を決済して、そのような広告収益を前記サーバー１００の運営者と、前記使用者コンピュータ（５０ａ，５０ｂ，５０ｃ，．．．，５０ｎ）がアクセスするウェブサイト１０の運営者と、一般使用者（広告閲覧者）とに配分するようにすることが好ましい。
【０２７２】
そのために、前記アドバタイザーの広告費決済に対する決済データベースを備えており、そして、前記サーバー１００の運営者、前記ウェブサイト１０運営者、及び一般広告閲覧者間の収益配分を保存する収益配分データベースを備えていることが好ましい。
【０２７３】
この場合、収益の配分は、例えば、特定ウェブサイトに使用者がアクセスした回数、及び特定ページなどのヒット数などを因子にして決定することができる。
【０２７４】
図１６は、前記使用者コンピュータ（５０ａ，５０ｂ，５０ｃ，．．．，５０ｎ）が、前記アクセスウェブサイト連動インターネットサービス装置５００をダウンロードして設置した時の画面であり、前述の検索と広告が成立する場合の画面の例を示す。
【０２７５】
まず、図１６の（ａ）のように使用者コンピュータ（５０ａ，５０ｂ，５０ｃ，．．．，５０ｎ）に表示されるウェブページの該当位置４０、８０に対して、前記サーバー１００が提供するインターネットサービスのインターフェースが表示されている。ここで、前記サーバー１００は、前記使用者コンピュータ（５０ａ，５０ｂ，５０ｃ，．．．，５０ｎ）のウェブページに検索ウィンドウ９０が表示されるようにしている。
【０２７６】
また、図示符号６３及び６６で表示されているように、広告が表示されるようにしている。本図面で広告は、ふきだし形態の図形の内部に広告文句が表示される形態にしているが、これに限定されず、これと異なる色々多様な形態があり得る。
【０２７７】
前記サービスフォームである検索窓９０に検索語を入力した場合、図１５の（ｂ）のように検索語に対応するサイトが表示される。本図面では「命名」というキーワードに対して、これに対応して保存された多くのサイトが表示されている。
【０２７８】
図１７は、本発明によって使用者コンピュータがアクセスするウェブサイトに連動して、電子商取引サービスを提供する場合の例示的な画面出力を示す。
【０２７９】
図示のように、一番上段にウェブブラウザによるツールバー（Ｗ１）が出力され、その下部に本発明によるサービスインターフェースとしてツールバー（Ｗ２）が出力される。前記ツールバー（Ｗ２）の下部に、ウェブページ（Ｗ３）が出力されている。
【０２８０】
この場合、前記使用者コンピュータのアクセスしたウェブサイトは、前記ツールバー（Ｗ１）のアドレス窓に見られるようにwww.kipo.go.krであり、これに対して本発明によって前記www.kipo.go.krにアクセスした使用者コンピュータには、前記ツールバー（Ｗ２）が前記サーバー１００によって出力されるのである。
【０２８１】
前記ツールバー（Ｗ２）には、前記サーバー１００が提供する多様なサービスメニューが見えているが、その中で、ショッピングが見えている。
【０２８２】
図１７の（ａ）を参照して、前記ショッピングをクリックすると、（Ｔ−Ｉ）そのサブメニューとして販売物品掲載及び販売物品表示などが見える。
【０２８３】
前記販売物品掲載をクリックして（Ｔ−ＩＩ）、前記物品を陳列する位置をポインティングすると、（図１７の（ｂ）のＴ−ＩＩＩ）、前記位置に対して販売物品データを入力することができる入力フォームが出力される。（図１７の（ｂ）のＴ−ＩＶ）これによって前記販売主である使用者は、販売物品データを入力して送信ボタンをクリックすると、前記サーバー１００は、入力された販売物品データを前記サーバー１００に送る。
【０２８４】
前記ツールバーのショッピングで販売物品表示をクリックした場合（図１７の（ａ）のＴ−ＩＩ’）、図１７の（ｂ’）にみられるようにウェブページの該当位置にショッピング製品が表示される。
【０２８５】
本発明の場合、使用者コンピュータに表示された前記使用者コンピュータがアクセスしたウェブサイトのウェブページのリンクされたウェブページから特定位置に移動することが可能である。言い換えると、前記アクセスするウェブサイトのウェブページにリンクされたウェブページに移動することに加え、その移動したウェブページの特定位置まで移動するのである。
【０２８６】
この場合、前記使用者コンピュータがアクセスしたウェブサイトのウェブページのリンクコードは、そのリンクするウェブページのＵＲＬに加えてリンクしたウェブページでの位置座標を含んでいる。例えば、そのｈｔｍｌコードが他のウェブページへのリンクコードとリンクしたウェブページで関連位置座標を含んでいる。
【０２８７】
これによって使用者がリンクされるウェブページのＵＲＬ及び座標位置に対する定義が含まれた前記ウェブページのリンクコードをクリックすると、前記使用者コンピュータに設置されたアクセスウェブサイト連動インターネットサービス装置５００は、前記リンクコードを読み込んでその文字列を解釈して位置座標を認識する。例えば、フックキング（ｈｏｏｋｉｎｇ）を通じて読み込むことができる。
【０２８８】
次に、前記使用者コンピュータに設置されたアクセスウェブサイト連動インターネットサービス装置５００は、ウェブブラウザを制御してリンクしたＵＲＬにアクセスするようにして、前記認識された位置座標に標識を行なう。
【０２８９】
これによって、前記使用者コンピュータには、リンクされたＵＲＬによるウェブページが表示され、アクセスウェブサイト連動インターネットサービス装置５００によって、該当位置座標に標識が成り立つのである。このような標識は、例えばカーソルーを該当の位置座標に位置させるか、その部分を陰影で標識するとか、または矢印表示などができる。
【０２９０】
このようなサービスは、引用などの場合に非常に便利である。すなわち、引用において単に引用ウェブページのみ表示するのではなく、引用される情報の位置まですぐ標識するのである。
【０２９１】
図１８は、使用者コンピュータに表示された前記使用者コンピュータがアクセスしたウェブサイトのウェブページでリンクされたウェブページから特定位置まで移動する場合の出力画面の例を示す。
【０２９２】
まず、図１８の（ａ）を参照すると、使用者コンピュータが、www.hani.co.krにアクセスし、それによって前記使用者コンピュータにwww.hani.co.krのウェブページが見えている。前記ウェブページでは、水質計測機に対する記事を載せているが、その中で「最適の水質測定装置」部分（Ｌ−Ｉ）は、内部的にそのｈｔｍｌコードが他のウェブページへのリンクコードと、リンクされたウェブページでの関連位置座標を含んでいる。
【０２９３】
例えば、前記Ｌ−Ｉ部分のソースコードは、“<a href=“http://www.sechnag.com pos=200_400”>最適の水質測定装置</a>”のように成り立つことができるが、この部分をクリックした時、前記アクセスウェブサイト連動インターネットサービス装置５００は、前記ソースコードをフックキングしてこれを解釈してウェブページを前記www.sechnag.comに移動させ、その位置座標である２００と４００に標識（Ｌ−ＩＩ）をする。すなわち図１８の（ｂ）にみられるように、水質測定装置に対して矢印で標識（Ｌ−ＩＩ）をするのである。
【０２９４】
また他の場合、前記Ｌ−Ｉ部分のソースコードは、<a href=“http://webcoor.com/go.php?website=sechnag.com&pos=200_400”>最適の水質測定装置</a>”のように成り立つことができる。
【０２９５】
これによって使用者が前記「最適の水質測定装置」部分（Ｌ−Ｉ）をクリックすると、アクセスウェブサイト連動インターネットサービス装置５００は、フッキングをして以下のコードであるsechnag.com&pos=200_400を解釈して、ウェブページはsechnag.comに移動させて、その位置座標である２００と４００に標識（Ｌ−ＩＩ）をするのである。
【０２９６】
このようにする場合、使用者コンピュータに本発明によるアクセスウェブサイト連動インターネットサービス装置５００が設置されていない場合、フックキングは成り立たないで、http://webcoor.com/go.phpにウェブページは移動する。このウェブページには、前記アクセスウェブサイト連動インターネットサービス装置５００のダウンロードを受けられるようにできる。
【０２９７】
このようにして、初めにwww.hani.co.krにアクセスして水質測定機の記事を読んだ使用者は、該当の記事による製品がwww.sechnag.comのウェブページで該当位置に表示（Ｌ−ＩＩ）された製品であることを直感的に分かるようになる。
【０２９８】
本発明の場合、単純にリンクされたウェブページの該当位置に標識することを超えて、前記リンクされたウェブページの該当位置に対して、標識以外の他のインターネットサービスを提供することができる。
【０２９９】
この場合、前記ウェブページのｈｔｍｌコードは、他のウェブページへのリンクコードとリンクしたウェブページの関連位置座標と該当のインターネットサービス情報とを含んでいる。
【０３００】
使用者が前記リンクコードをクリックすると、前記アクセスウェブサイト連動インターネットサービス装置（５００ａ，５００ｂ，．．．，５００ｎ）は、前記リンクされたＵＲＬ及びその位置座標と該当のインターネットサービスを、フックキングなどを通じて読んで、その値を前記アクセスウェブサイト連動インターネットサービス提供サーバー１００に送信する。
【０３０１】
前記アクセスウェブサイト連動インターネットサービス装置（５００ａ，５００ｂ，．．．，５００ｎ）の制御によってウェブブラウザは、リンクされたＵＲＬにアクセスしてそれによって前記使用者コンピュータにはリンクされたＵＲＬのウェブページが表示される。前記サーバー１００は、前記使用者コンピュータに表示されたリンクされたウェブページの該当位置に対してインターネットサービスを提供する。
【０３０２】
このようなインターネットサービスは、前述の掲示板、ヘルプ、要請事項、広告、電子商取引などをすべて含み、その処理手続きは前述の手続きに相当する。
【０３０３】
また、他の場合、前記ウェブページのｈｔｍｌコードは、他のウェブページへのリンクコードと、リンクされたウェブページと関連する識別情報を含むことができる。ここで、前記サーバー１００は、前記識別情報に対応して該当のウェブサイトに対する関連位置座標と該当のインターネットサービス情報を含んでいる。
【０３０４】
使用者がリンクコードをクリックすると、前記アクセスウェブサイト連動インターネットサービス装置（５００ａ，５００ｂ，．．．，５００ｎ）は、前記リンクされたＵＲＬ及び識別情報をフックキングなどを通じて読んで、その値を前記アクセスウェブサイト連動インターネットサービス提供サーバー１００に送信する。
【０３０５】
前記アクセスウェブサイト連動インターネットサービス装置（５００ａ，５００ｂ，．．．，５００ｎ）の制御によってウェブブラウザは、リンクされたＵＲＬにアクセスして、前記サーバー１００は、識別情報によって前記リンクされたＵＲＬによる位置座標及び特定インターネットサービスを認識する。
【０３０６】
これによって、前記使用者コンピュータにはリンクされたＵＲＬのウェブページが表示されるが、前記サーバー１００は、認識した前記リンクされたＵＲＬによる位置座標及びインターネットサービスによって、前記使用者コンピュータに表示されたリンクされたウェブページの該当位置に対して、インターネットサービスを提供する。
【０３０７】
図１９は、リンクされたウェブページの該当位置に対してインターネットサービスを提供する例を示す。
【０３０８】
まず、図１９の（ａ）を参照して、使用者コンピュータが、www.hani.co.krにアクセスして、それによって前記使用者コンピュータにwww.hani.co.krのウェブページが見えている。前記ウェブページでは、水質計測機に対する記事を載せているが、その中で「最適の水質測定装置」部分（Ｌ−Ｉ）は、内部的にそのｈｔｍｌコードが他のウェブページへのリンクコードとリンクされたウェブページでの関連位置座標と該当のインターネットサービス情報を含んでいる。
【０３０９】
例えば、図１９の（ａ）で、前記Ｌ−Ｉ部分のソースコードは、“<a href=“http://www.water.com pos=200_400&id=1_1234”>最適の水質測定装置</a>”のように成り立つことができるが、この部分をクリックした時、前記アクセスウェブサイト連動インターネットサービス装置５００は、前記ソースコードをフックキングしてこれを解釈し、ウェブページを前記www.water.comに移動させ、その位置座標である２００と４００の情報と該当のインターネットサービス情報であるid=1_1234データを前記サーバー１００に送信する。
【０３１０】
そうすると、前記サーバー１００は、前記使用者コンピュータに表示されたwww.water.comのウェブページで２００と４００の位置に、ｉｄは１の電子商取引サービスに対して製品番号が１２３４のインターネットサービスを出力する。
【０３１１】
図１９の（ｂ）を参照すると、使用者コンピュータには、www.water.comのウェブページが表示され、２００と４００の位置座標（Ｌ−ＩＩ）に製品番号が１２３４の水質測定装置を販売物品として陳列していることが見える。その後、該当の部分（Ｌ−ＩＩ）をクリックし、電子商取引を進行して陳列された水質計測機を購入することができる。
【０３１２】
また他の場合、図１９の（ａ）で、前記Ｌ−Ｉ部分のソースコードは、”<a href=“http://www.water.com id=1_p2_1234”>最適の水質測定装置</a>“のように成り立つことができるが、この部分をクリックした時、前記アクセスウェブサイト連動インターネットサービス装置５００は、前記ソースコードをフックキングしてそれを解釈し、ウェブページを前記www.water.comに移動させて、リンクされたＵＲＬであるwww.water.comと識別情報であるid=1_p2_1234の情報を前記サーバー１００に送る。
【０３１３】
そうすると、前記サーバー１００は、www.water.comのＵＲＬに対応して１に該当するインターネットサービスと該当の位置座標を指示するｐ２の情報及び関連製品を指示する１２３４の情報によって、該当のインターネットサービスと位置座標及び関連製品を認識して、前記使用者コンピュータに表示されたwww.water.comのウェブページで１に該当する電子商取引サービスを、ｐ２に該当する位置である２００と４００へ製品番号１２３４に対して出力する。
【０３１４】
図１９の（ｂ）を参照すると、使用者コンピュータには、www.water.comのウェブページが表示され、２００と４００の位置座標（Ｌ−ＩＩ）に製品番号が１２３４の水質測定装置を販売物品として陳列していることが見える。その後、該当の部分（Ｌ−ＩＩ）をクリックして、電子商取引を進行して陳列された水質計測機を購入することができる。
【０３１５】
この場合、前記リンクされたwww.water.comは、水質測定装置に対する専門的な記事を載せる所であって、その中で最適の水質測定のコンテンツの位置に、該当の水質測定装置製品を陳列し、使用者は関連製品をすぐに認識して、希望する場合、すぐにそれを購買することができるのである。
【０３１６】
さらに、また他の場合、図１９の（ａ）で、前記Ｌ−Ｉ部分のソースコードは、”<a href=“http://webcoor.com/go.php?website=www.water.com&pos=200_400&id=1_1234”>最適の水質測定装置</a>“または”<a href=“http://webcoor.com/go.php?website=www.water.com&id=1_p2_1234”>最適の水質測定装置</a>“のように成り立ち、万一、使用者コンピュータに前記アクセスウェブサイト連動インターネットサービス装置５００が、設置されていない場合、webcoor.com/go.phpに連結して前記アクセスウェブサイト連動インターネットサービス装置５００をダウンロードするように誘導することができる。
【０３１７】
本発明の場合、リンクされたウェブページの該当位置に移動して標識を含んだインターネットサービスを提供することは、前記サーバー１００が前記使用者コンピュータに表示される前記使用者コンピュータがアクセスしたウェブサイトのウェブページに対して出力される、インターネットサービスと関連して行なうことができる。
【０３１８】
この場合、前記サーバー１００により前記使用者コンピュータに出力されるサービスデータは、リンクＵＲＬ及びリンクＵＲＬでの位置座標情報を含んでいる。さらに、前記リンクＵＲＬと関連するインターネットサービス情報を含むことができる。他の場合、リンクＵＲＬと、前記リンクＵＲＬに対して位置座標と関連インターネットサービスを識別する識別データを含み得る。
【０３１９】
これによって、使用者が、前記使用者コンピュータに表示された前記使用者コンピュータがアクセスしたウェブサイトのウェブページに出力されたサービスデータに対して、前記リンクコードをクリックすると、前記情報は、前記アクセスウェブサイト連動インターネットサービス装置５００によってフッキングされて、ウェブブラウザは、前記リンクＵＲＬにアクセスして標識したり、他の場合、前記サーバー１００は、ウェブブラウザによって表示されたリンクウェブページに対して、該当の座標にインターネットサービスを提供したりすることができる。
【０３２０】
他の場合、リンクＵＲＬと識別データがフッキングされて前記サーバー１００に送信されると、今後、前記サーバー１００は、対応する位置座標とインターネットサービスを認識して、前記使用者コンピュータに表示されるリンクされたＵＲＬによるウェブページに対して、その位置座標に対して該当のインターネットサービスを提供することができる。
【０３２１】
前述のインターネットサービスは、前述の掲示板、ヘルプ、要請事項、広告、電子商取引などをすべて含み、その処理手続きは前述の手続きに相当する。
【０３２２】
図２０は、本発明によるアクセスウェブサイト連動インターネットサービス提供サーバー１００が、前記使用者コンピュータに出力するインターネットサービスと関連して、リンクされたウェブページの該当位置に移動してインターネットサービスを提供する例を示す。
【０３２３】
まず、図２０の（ａ）にみられるように、使用者コンピュータは、www.hani.co.krにアクセスして、水質計測機と関連する記事とが表示されている。ここで、最適の水質測定装置部分に対して、本発明によるアクセスウェブサイト連動インターネットサービス提供サーバー１００が、ふきだし形態でヘルプを表示しているが、前記ふきだしの内部には「こちらをご覧ください」（Ｄ−Ｉ）という文字が表示されている。前記「こちらをご覧ください」部分（Ｄ−Ｉ）は、内部的にそのｈｔｍｌコードが他のウェブページへのリンクコードとリンクされたウェブページでの関連位置座標及び関連インターネットサービス情報を含んでいる。
【０３２４】
例えば、前記「こちらをご覧ください」（Ｄ−Ｉ）のソースコードは、“<a href=“http://www.water.com pos=200_400&id=1_1234”>‘こちらをご覧ください’</a>”のように成り立つことができる。これによって「こちらをご覧ください」（Ｄ−Ｉ）をクリックした時、この情報を前記アクセスウェブサイト連動インターネットサービス装置５００は、フックキングして前記サーバー１００に送信して、ウェブブラウザをwww.water.comにアクセスさせる。
【０３２５】
以後、前記使用者コンピュータに表示されるwww.water.comのウェブページで該当位置に標識され、また、水質計測機を販売物品として陳列するようになる。すなわち、図２０の（ｂ）のＤ−ＩＩを見ると、関連する「最適の水質測定」部分に標識が成り立ち、水質計測機が販売物品として陳列されている。以後、水質計測機部分をクリックして、電子商取引を進行して陳列された水質計測機を購入することができる。
【０３２６】
もちろん、この場合、単純に標識のみをしたり、または販売物品の陳列のみをしたりすることもできる。
【０３２７】
他の場合、前記「こちらをご覧ください」（Ｄ−Ｉ）のソースコードは、“<a href=“http://www.water.com id=1_p2_1234”>‘こちらをご覧ください’</a>”のように識別情報を含んで成り立つことができ、前記アクセスウェブサイト連動インターネットサービス装置５００の設置を誘導するために、“<a href=“http://webcoor.com/go.php?website=www.water.com&id=1_p2_1234”>‘こちらをご覧ください’</a>”のように成り立つこともできる。
【０３２８】
また、他の場合、そのリンクされるウェブサイトのＵＲＬも識別情報に対応してすでに保存され、単に識別情報のみを含むことができる。すなわち、“<a href=“http://webcoor.com/go.php id=35_1_p2_1234”>‘こちらをご覧ください’</a>”のように成り立つこともできる。ここで、id35はwww.water.comに対応する。
【０３２９】
本発明の場合、前記アクセスウェブサイト連動インターネット提供サーバー１００は、前記使用者コンピュータ（５０ａ，５０ｂ，．．．，５０ｎ）がアクセスするウェブサイト（１０ａ，１０ｂ，．．．，１０ｎ）の移動ログを記録して、それを統計資料として活用することができる。
【０３３０】
本発明の場合、使用者コンピュータがアクセスしたウェブサイトのウェブページで、特定位置と関連してウェブページの更新有無を判断することができる。
【０３３１】
この場合、前記ウェブサイト連動インターネットサービス装置５００は、使用者が前記使用者コンピュータに表示された前記ウェブサイトのウェブページに対して特定位置をポインティングして特定位置を指定する時、その周辺の特定領域をキャプチャしてデータサイズを演算し、その位置座標とともに前記サーバー１００に送信する。この場合、特定領域は、ポインティングされた位置座標に対して上下左右に特定長さだけ離れた領域で定義することができる。
【０３３２】
前記サーバー１００は、このように送信された位置座標に対する特定領域のデータサイズを保存して、以後、送信される該当位置の座標データサイズを比べて、その位置座標に対してウェブページが更新されたかどうかを判断することができる。
【０３３３】
このような更新有無は、前記使用者コンピュータに表示されたウェブページに対して位置別に表示することができる。
【０３３４】
本発明の場合、使用者コンピュータがアクセスしたウェブサイトに連動して、前記使用者コンピュータに連結されたハードウェアを制御することができる。すなわち、本発明によって提供されるアクセスウェブサイト連動インターネットサービス提供サーバー１００は、前記使用者コンピュータ（５０ａ，５０ｂ，．．．，５０ｎ）がアクセスするウェブサイト（１０ａ，１０ｂ，１０ｃ，．．．，１０ｎ）に連動して、前記使用者コンピュータに連結されたハードウェアを制御することができる。このような場合、使用者は、個々のウェブサイトを訪問する時、ウェブサイトごとにハードウェアの動作を変えることができるのである。
【０３３５】
例えば、Ａ、Ｂ、Ｃ三つのウェブサイトがある場合、同一の使用者コンピュータで、Ａサイトを訪問する時の使用者コンピュータのハードウェアの動作と、Ｂサイトを訪問する時の使用者コンピュータのハードウェアの動作と、Ｃサイトを訪問する時の使用者コンピュータのハードウェアの動作が異なるようにすることができるのである。具体的に、Ａサイトを訪問する場合はラジオがついて、Ｂサイトを訪問する場合はスタンドが点灯し、Ｃサイトを訪問する場合は報知機が鳴るように制御できるのである。
【０３３６】
図２１は、使用者コンピュータがアクセスしたウェブサイトに連動して、前記使用者コンピュータのハードウェアを制御する場合の処理手続きを示す図である。
【０３３７】
まず、前記サーバー１００は、アクセスするウェブサイトの各々のＵＲＬに対応して、個々の使用者コンピュータに連結設置されたハードウェアを認識することができる固有値を保存している。
【０３３８】
これらの値は、各々の使用者コンピュータが前記アクセスウェブサイト連動インターネットサービス提供サーバー１００にアクセスして、記録して設定することができる。
【０３３９】
例えば、個々の使用者コンピュータに連結設置された各々のハードウェアを認識することができる固有値は、個々の使用者コンピュータのＩＰアドレスと、Ｍａｃアドレスと、前記ハードウェアへ連結されたポート番号とになり得る。
【０３４０】
下記は、このような場合のデータベースの例である。
【０３４１】
【表１】
2014053025.tif 000003
【０３４２】
【表２】
2014053025.tif 000004
【０３４３】
前記ハードウェア情報データベースには、そのＩＰアドレスとＭａｃアドレスが、202.131.30.83及び00-16-EC-F7-5A-B1の使用者コンピュータの各々のポート１及び２に、ラジオとスタンドが設置されていることを記録している。また、前記ハードウェア制御データベースは、各々のアクセスするウェブサイトのＵＲＬに対応したハードウェアＩＤを記録していて、さらに、制御方式を記録することができるのである。ここで、制御方式は、基本的にＯＮ／ＯＦＦ制御になり得るが、それ以外の比例制御など多くの種種多様な方式を記録し得る。
【０３４４】
このような状態で、前記使用者コンピュータ５０が、インターネット８００を通じて特定ウェブサイト１０にアクセスする（工程Ｓ１）。
【０３４５】
そうすると、前記使用者コンピュータ５０に設置されたアクセスウェブサイト連動インターネットサービス装置５００は、前記ウェブサイトのＵＲＬを読んで前記サーバー１００に送信し、前記サーバー１００にハードウェアの作動を制御する制御命令を要請する（工程Ｓ２）。
【０３４６】
そうすると、前記サーバー１００は、送信受けたＵＲＬによって特定コンピュータのハードウェアを認識して、前記使用者コンピュータのアクセスウェブサイト連動インターネットサービス装置５００に、前記ＵＲＬによる特定ハードウェアの動作を定義する制御コードを送信する（工程Ｓ３）。これによって、前記使用者コンピュータ５０は、前記ＵＲＬによるハードウェアに対して前記制御コードによって制御を行なうようになり、それによって、特定ハードウェアが作動するのである。
【０３４７】
この場合、個々の会員に対して各々のＵＲＬに対応して前記会員の使用者コンピュータに連結されたハードウェアを認識することができる固有値を記録して、個々の会員によってアクセスされるウェブサイトに連動してハードウェアを制御できることが好ましい。このような場合、本発明によって提供される掲示板、ヘルプ、要請事項、広告、ゲームなどのサービスを一体として統合使用できるようになる。例えば、前記ハードウェア情報データベースは、各々のハードウェアＩＤに対応して会員ＩＤを記録することができる。
【０３４８】
本発明の場合、使用者コンピュータに設置されて作動するアクセスウェブサイト連動サービス装置５０００を提供して、前記アクセスウェブサイト連動サービス装置５０００が、前記使用者コンピュータがアクセスしたウェブサイトに連動してサービスを提供することができる。
【０３４９】
図２２は、使用者コンピュータに設置されて作動するアクセスウェブサイト連動サービス装置が、前記使用者コンピュータがアクセスしたウェブサイトに連動してサービスを提供する場合の概略的な構成を示す。
【０３５０】
まず、使用者コンピュータ（５０ａ，５０ｂ，．．．，５０ｎ）は、ウェブブラウザを有してインターネット８００を通じてウェブサイト（１０ａ，１０ｂ，１０ｃ，．．．，１０ｎ）に接続することができる。このような使用者コンピュータ（５０ａ，５０ｂ，．．．，５０ｎ）には、本発明によるアクセスウェブサイト連動サービス装置（５０００ａ，５０００ｂ，．．．，５０００ｎ）が設置される。
【０３５１】
前記アクセスウェブサイト連動サービス装置（５０００ａ，５０００ｂ，．．．，５０００ｎ）は、本人が提供するサービスによるサービスデータを、前記使用者コンピュータ（５０ａ，５０ｂ，．．．，５０ｎ）がアクセスするウェブサイト（１０ａ，１０ｂ，１０ｃ，．．．，１０ｎ）のＵＲＬと前記使用者コンピュータ（５０ａ，５０ｂ，．．．，５０ｎ）に表示される前記ウェブサイトのウェブページでの位置座標によって保存する、サービスデータ保存手段を有する。
【０３５２】
このような前記アクセスウェブサイト連動サービス装置（５０００ａ，５０００ｂ，．．．，５０００ｎ）は、ＣＤまたはＵＳＢメモリーなどに記録して、前記使用者コンピュータに設置することができるし、また他の場合、特定ウェブサイトの特定ウェブページからダウンロードして設置することができる。
【０３５３】
また、前記アクセスウェブサイト連動サービス装置（５０００ａ，５０００ｂ，．．．，５０００ｎ）は、ＵＳＢのような移動式メモリー装置に設置して、前記移動式メモリー装置が前記使用者コンピュータに接続されると、例えば、自動実行で実行するものであり得る。
【０３５４】
図２３は、前記アクセスウェブサイト連動サービス装置５０００が行なう、処理動作を示す手順図である。
【０３５５】
まず、前記使用者コンピュータ（５０ａ，５０ｂ，．．．，５０ｎ）が、特定のウェブサイトにアクセスする。そうすると、前記アクセスウェブサイト連動サービス装置（５０００ａ，５０００ｂ，．．．，５０００ｎ）は、前記使用者コンピュータ（５０ａ，５０ｂ，．．．，５０ｎ）がアクセスする前記ウェブサイトのＵＲＬを認識する（工程Ｓ１）。
【０３５６】
前記使用者コンピュータが前記ウェブサイトにアクセスして、それによって前記使用者コンピュータには前記ウェブサイトのウェブページが表示される。この段階において、前記アクセスウェブサイト連動サービス装置（５０００ａ，５０００ｂ，．．．，５０００ｎ）は、本人が提供するサービスによるサービスインターフェースを前記使用者コンピュータに表示された前記ウェブサイトのウェブページに対して表示する（工程Ｓ２）。
【０３５７】
次に、前記アクセスウェブサイト連動サービス装置（５０００ａ，５０００ｂ，．．．，５０００ｎ）は、前記サービスインターフェースによって前記アクセスするウェブサイトのＵＲＬに対応したサービスデータを、前記使用者コンピュータに表示された前記ウェブサイトのウェブページで該当位置座標に対して表示する（工程Ｓ３）。
【０３５８】
例えば、前記アクセスウェブサイト連動サービス装置（５０００ａ，５０００ｂ，．．．，５０００ｎ）の行なうサービスは、前記使用者コンピュータがアクセスしたウェブサイトで使用するヘルプサービスである。すなわち、前記アクセスウェブサイト連動サービス装置（５０００ａ，５０００ｂ，．．．，５０００ｎ）を設置した使用者コンピュータが特定ウェブサイトにアクセスすると、表示されるウェブページの特定位置に対してヘルプを与えることができる。このような場合のインターフェースは、前述のアクセスウェブサイト連動インターネットサービス提供サーバー１００が行なうヘルプサービスの場合に相当する。
【０３５９】
他の場合、前記アクセスウェブサイト連動サービス装置（５０００ａ，５０００ｂ，．．．，５０００ｎ）の行なうサービスは、前記使用者コンピュータがアクセスしたウェブサイトのウェブページに対して行なう広告サービスであり得る。すなわち、前記アクセスウェブサイト連動サービス装置（５０００ａ，５０００ｂ，．．．，５０００ｎ）を設置した使用者コンピュータが、特定ウェブサイトにアクセスすると、表示されるウェブページの特定位置に対して広告が表示されるようにすることができるのである。このような場合のインターフェースは、前述のアクセスウェブサイト連動インターネットサービス提供サーバー１００が行なう広告サービスの場合に相当する。
【０３６０】
本発明の場合、アクセスしたウェブサイトに連動して使用者コンピュータの遠隔制御またはホームオートメーションを行なうことができる。
【０３６１】
この場合、前記アクセスウェブサイト連動インターネットサービス提供サーバー１００は、個々のウェブサイトのＵＲＬに対応して、使用者コンピュータに連結設置されたハードウェアを認識することができる固有値とその制御方式とを保存している。このような固有値と制御方式は、使用者コンピュータ５０が前記サーバー１００にアクセスして記録設定することができる。
【０３６２】
図２４は、このような場合のデータベースの例を示す。
【０３６３】
まず、ハードウェア情報データベース１８０は、個々の使用者コンピュータに連結設置されたハードウェア情報を保存するものである。
【０３６４】
前記ハードウェア情報データベースには、そのＩＰアドレスとＭａｃアドレスが、202.131.30.83及び00-16-EC-F7-5A-B1の使用者コンピュータに対して、ハードウェアインターフェース装置のＭａｃアドレスが、00-16-EC-F2-5B-B2のものに対して、各々、そのスロット１と２に照明とボイラーが、保存されている。
【０３６５】
この場合、後述するように、前記ハードウェアインターフェース装置４８０は、多様なハードウェア装置を使用者コンピュータに連結するための一種のハブである。
【０３６６】
また、ハードウェア制御フィールドは、各々のウェブサイトのＵＲＬに対応して該当のハードウェアとその制御方式を記録するものであり、前述の掲示板データベース１３０、ヘルプデータベース１４０、要請事項データベース１５０、広告データベース１６０などのサービスデータベースにフィールドが拡張されて記録され得る。他の場合、独立したデータベースとして、ハードウェア制御フィールドを各々のＵＲＬに対応して記録することもできる。
【０３６７】
この場合、そのＩＰアドレスとＭａｃアドレスが、202.131.30.83及び00-16-EC-F7-5A-B1の使用者コンピュータに設置された照明及びボイラーのハードウェアに対して（ハードウェアＩＤ８０００及び８００１）、初期作動は各々ＯＮとＯＦＦであって、照明に対しては比例制御が可能であって、ボイラーに対しては不可能であることが記録されている。
【０３６８】
このようなハードウェアの制御方式は、基本的にＯＮ／ＯＦＦ及び比例制御を含み、それ以外の多様な方式で制御することができ、そのような制御方式が記録される。
【０３６９】
前記ハードウェア制御フィールドが、掲示板データベース１３０、ヘルプデータベース１４０、要請事項データベース１５０、広告データベース１６０などのサービスデータに拡張して記録される場合は、後述するように、これらサービスデータの位置と連動して使用者コンピュータまたは遠隔コンピュータに対して、遠隔制御またはホームオートメーション画面を構成することができ、必要に応じて、そのサービスデータと連動することもできる。
【０３７０】
特別に、図示しなかったが、個々の会員に対して、前記個々のウェブサイトのＵＲＬに対応して使用者コンピュータに連結設置されたハードウェアを認識することができる固有値とその制御方式を保存して、アクセスしたウェブサイトのＵＲＬに対応して、会員ＩＤによって特定ハードウェアを認識するようにできる。例えば、前記ハードウェア情報データベース１８０には、会員ＩＤが追加的なフィールドとして記録され得る。
【０３７１】
また、このように各々の会員に対して、ハードウェアを認識することができる固有値とその制御方式とを保存する場合、個々の会員に対して、ウェブページ移動時（言い換えると新しいＵＲＬにアクセスする時）ハードウェアを駆動する方法を記録することが好ましい。例えば、使用者コンピュータ５０が接続したウェブページから移動して特定ＵＲＬにアクセスした場合、自動でハードウェアを駆動する「自動」方式かあるいはハードウェアの駆動可否かを前記サーバー１００が使用者コンピュータに問い合わせて、その確認結果によって駆動をさせる「確認後実行」方式などを記録することができる。例えば、前記会員データベース１７０に対して、このようなウェブページ移動時のハードウェア駆動方法を追加フィールドとして記録することができる。
【０３７２】
図２５は、本発明による使用者コンピュータ５０に対する遠隔制御またはホームオートメーションの処理手続きを示す図である。
【０３７３】
まず、前記使用者コンピュータ５０は、ハードウェアインターフェース装置４８０を通じて多数のハードウェア（４００ａ，４００ｂ，４００ｃ，．．．，４００ｎ）が設置されている。このようなハードウェアインターフェース装置４８０は、一種のハブとして多数のハードウェア（４００ａ，４００ｂ，４００ｃ，．．．，４００ｎ）を前記使用者コンピュータに連結して制御可能にする。
【０３７４】
この場合、前記ハードウェアインターフェース装置４８０は、多数のスロットを有し、それを通じて前記ハードウェア装置を連結することができる。これによって、図２４のハードウェア装置データベース１８０は、使用者コンピュータのＩＰアドレス及びＭａｃアドレスと、ハードウェアインターフェース装置４８０のＭａｃアドレス及びスロットＩＤとをフィールドとして記録して、前記サーバー１００は、これら値を通じて特定のハードウェアを認識することができるのである。
【０３７５】
特に、前記ハードウェアインターフェース装置４８０は、内部的にＣＰＵを有し、前記使用者コンピュータ５０からの制御信号によって、前記ハードウェア（４００ａ，４００ｂ，４００ｃ，．．．， ４００ｎ）を制御することができる。
【０３７６】
また、前記使用者コンピュータ５０は、前記ハードウェアインターフェース装置４８０をモニタリングして動作させるためのデバイスドライバーを有することができ、また、前記サーバー１００に対して前述の個々のアクセスするウェブサイトのＵＲＬに対応して特定ハードウェア情報を設定し、その制御方式とウェブページ移動時のハードウェア駆動方法とを設定するようにする管理プログラムを設置することができる。前記ハードウェア（４００ａ，４００ｂ，４００ｃ，．．．， ４００ｎ）を、ワイヤーまたはワイヤレス接続で、前記使用者コンピュータ５０へ接続できることは明らかである。
【０３７７】
このような状況で、まず、遠隔コンピュータ５０’は、遠隔接続を通じて前記使用者コンピュータ５０に接続する（工程Ｓ１）。
【０３７８】
次に、前記遠隔コンピュータ５０’は、前記使用者コンピュータ５０が特定ウェブサイト１０にアクセスするようにする（工程Ｓ２）。
【０３７９】
そうすると、前記使用者コンピュータ５０に設置されたアクセスウェブサイト連動インターネットサービス装置５００は、前記ウェブサイトのＵＲＬを読んで前記サーバー１００に送信し、また、前記サーバー１００に特定ハードウェアを指定して、その作動を制御する制御命令を要請する（工程Ｓ３）。
【０３８０】
この場合、一つのＵＲＬに対してただ一つのハードウェアのみが記録された場合は、前記サーバー１００は、送信されたＵＲＬによってハードウェアを認識することができるが、一つのＵＲＬに対して多数のハードウェアが記録された場合、前記サーバー１００は、特定ハードウェアを指定することを要請することができる。
【０３８１】
そうすると、前記遠隔コンピュータ５０’は、前記使用者コンピュータ５０を制御して特定ハードウェアを指定する。例えば、ハードウェアＩＤを入力したり、前記遠隔コンピュータ５０’に出力される使用者コンピュータ５０の画面に前記ＵＲＬによる多数のハードウェア装置が示されていれば、前記遠隔コンピュータ５０’を選択することができる。ここで、その制御方式を指定することもできる。
【０３８２】
そうすると、前記サーバー１００は、前記使用者コンピュータ５０のアクセスウェブサイト連動インターネットサービス装置５００に指定されたハードウェアの動作を定義する制御コードを送る（工程Ｓ４）。これによって、前記使用者コンピュータ５０は、前記指定されたハードウェアに対して前記制御コードによって制御を行なうようになり、それによって、特定ハードウェアが作動する。
【０３８３】
図２６は、本発明によって使用者コンピュータ５０に対する遠隔制御またはホームオートメーションを具現する場合の他の処理手続きを示す図である。
【０３８４】
図２５の場合のように、前記使用者コンピュータ５０は、ハードウェアインターフェース装置４８０を通じて多数のハードウェア（４００ａ， ４００ｂ，４００ｃ，．．．， ４００ｎ）と連結している。
【０３８５】
また、遠隔コンピュータ５０”は、本発明によるアクセスウェブサイト連動インターネットサービス装置５００を有している。
【０３８６】
このような状況で、前記遠隔コンピュータ５０”は、特定ウェブサイト１０にアクセスする（工程Ｓ１）。
【０３８７】
そうすると、前記遠隔コンピュータ５０”に設置されたアクセスウェブサイト連動インターネットサービス装置５００は、前記ウェブサイトのＵＲＬを読んで前記サーバー１００に送信し、そして、前記サーバー１００に前記使用者コンピュータ５０に対するハードウェアを指定してその作動を制御する制御命令を要請する（工程Ｓ２）。
【０３８８】
この場合、前記サーバー１００が、特定ハードウェアを指定することを要請し、そして、前記遠隔コンピュータ５０”が、前記使用者コンピュータ５０に対するハードウェアを指定することができる。
【０３８９】
例えば、ハードウェアデータベース１８０によるハードウェアＩＤを入力することができる。
【０３９０】
他の場合、個々の会員に対して、前記個々のウェブサイトのＵＲＬに対応して使用者コンピュータに連結設置されたハードウェアを認識することができる固有値を保存した場合、会員ＩＤで前記遠隔コンピュータ５０”が前記サーバー１００にログインすると、前記遠隔コンピュータ５０”の画面に前記会員の使用者コンピュータ５０に対する前記ＵＲＬによる多数のハードウェア装置が表示される。前記遠隔コンピュータ５０”は、制御されるべきハードウェアを選択する。
【０３９１】
そうすると、前記サーバー１００は、前記使用者コンピュータ５０のアクセスウェブサイト連動インターネットサービス装置５００に指定されたハードウェアの動作を定義する制御コードを送る（工程Ｓ３）。それによって、前記使用者コンピュータ５０は、前記指定されたハードウェアに対して前記制御コードによる制御を行なう。
【０３９２】
この場合、制御コードはハードウェアのモニタリングを定義し、それによって、そのモニタリング結果がサーバー１００へ送信され、そして、前記サーバー１００が前記モニタリング結果を遠隔コンピュータ５０”へ出力する。このようにして、本発明の場合、特定ウェブサイトにアクセスし、それと連動して使用者コンピュータ５０に連結されたハードウェアを遠隔で制御することができるようになり、それによって、ホームオートメーションなどを具現することができるのである。
【０３９３】
特に、本発明の場合、前記使用者コンピュータ５０は、前記サーバーとインターネットを通じて情報を送受信することができる通信端末機なら充分である。したがって、遠隔制御用だけに前記ハードウェアインターフェース装置４８０と一体に結合したり、または、前記ハードウェアインターフェース装置４８０と分離して、構成したりすることができる。本発明によると、図２５及び２６に示される遠隔制御は、使用者コンピュータに設置されるハードウェアのモニタリングを含む。
【０３９４】
図２７は、特定ウェブサイトにアクセスして、前記使用者コンピュータ５０から前記サーバー１００に制御方式の設定をする画面例を示す。
【０３９５】
すなわち、使用者コンピュータ５０が、www.hani.co.krにアクセスし、そのウェブページが表示されていて、前記ウェブページに対してツールバー（Ｗ２）が表示されている。前記ツールバー（Ｗ２）で掲示板をクリックした時（Ｂ−Ｉ）掲示物が開かれるが、前記掲示物の下部にハードウェア使用項目があり、それをチェックすると（Ｂ−ＩＩ）、制御設定化画面（Ｗ４）が開かれる。これによって、自身のコンピュータ５０に設置されたハードウェアによってその制御方式を設定する。
【０３９６】
図２８は、本発明によって遠隔制御を行なう場合の画面例を示す。
【０３９７】
まず、図２８の（ａ）は、遠隔コンピュータ５０’、５０”に表示される画面の例である。
【０３９８】
ここで、遠隔コンピュータ５０’の画面は、遠隔で接続した使用者コンピュータ５０の画面が遠隔接続プログラムを通じて見える様子であり、遠隔コンピュータ５０”は、自身の画面に見える様子である。
【０３９９】
ここで、前記サーバー１００から出力されるツールバー（Ｗ２）に対して遠隔制御項目をクリックすると（Ｃ−Ｉ）、図に示されたように、会員ＩＤとパスワード（ＰＷ）を入力するウィンドウ（Ｗ５）が出力される。
【０４００】
次に、前記ウィンドウ（Ｗ５）に対して会員ＩＤとパスワードを入力してログインをすると、図２８の（ｂ）にみられるように、前記サーバー１００は、前記ＵＲＬと会員ＩＤとによるハードウェアに対して現在状態をモニタリングして示し、また、その制御命令を入力することを要請するウィンドウ（Ｗ６）を出力する。この図の場合、ＯＦＦとＯＮの制御ボタンが表示されている。
【０４０１】
これによって、前記遠隔コンピュータ５０’、５０”は、その制御方式を入力して、それによって、図２８の（ｃ）にみられるように、使用者コンピュータ５０に対して制御が成立して、ウィンドウ（Ｗ７）にそのモニタリング結果が表示される。
【０４０２】
特に、本発明の場合、前記遠隔制御またはホームオートメーションと関連して、他人が設定した制御方式を利用することが可能である。すなわち、前述のように個々の会員に対して特定ハードウェアの制御方式が設定された場合、同一のハードウェアに対して他の会員の制御方式を利用するのである。
【０４０３】
この場合、前述のウェブページ移動時にハードウェアを駆動する方法には、「他人の設定利用」があって、これを選択する場合、遠隔制御の対象になる使用者コンピュータのハードウェアと同一なハードウェアに対する他人の制御方式の設定が、遠隔コンピュータ５０’、５０”に表示され、その中で特定他人の設定を選択すると、その他人の設定によってハードウェアが駆動されるのである。
【０４０４】
このように本発明の場合、遠隔コンピュータ５０’が、使用者コンピュータ５０を制御して前記使用者コンピュータがアクセスしたウェブページまたは遠隔コンピュータ５０”がアクセスしたウェブページによって、遠隔制御を行なうことができ、これによって、使用者は、外部のコンピュータから特定ウェブページにアクセスして便利に遠隔でハードウェアを制御することができるのである。
【０４０５】
特に、本発明の場合、前述の遠隔制御は、アクセスするＵＲＬによって表示されるウェブページの特定位置を基に成り立つ。このような場合、例えば、前記アクセスするＵＲＬによって表示されるウェブページの特定位置に対して、前記使用者コンピュータに連結されたハードウェアのモニタリング結果を表示するか、またはその位置と関連してハードウェアの制御方式を設定したりして、ハードウェアの制御を命令できる。
【０４０６】
このような場合、使用者は、特定ウェブページの特定位置と関連したハードウェアであることを、即時に認知することができるようになり、非常に有用である。
【０４０７】
このような場合、例えば、前述の前記ハードウェア制御フィールド（図２４参照）を、掲示板データベース１３０、ヘルプデータベース１４０、要請事項データベース１５０、広告データベース１６０などのサービスデータに拡張して記録することができる。この場合、その位置座標と関連するサービスデータと連動して使用者コンピュータ５０に設置されたハードウェア（４００ａ，４００ｂ，．．．，４００ｎ）の遠隔制御を行うことができる。
【０４０８】
他の場合、各々のウェブサイトのＵＲＬに対応して、該当のハードウェアとその制御方式を記録する独立したハードウェア制御データベース（未図示）を提供することができ、ここで、その位置座標を一緒に記録することができる。
【０４０９】
または、ハードウェア情報データベース１８０で、各々のハードウェアＩＤに対して位置座標を記録することができる。
【０４１０】
このような位置座標の設定は、使用者コンピュータ５０が、前記サーバー１００にアクセスして行なうことができ、また他の場合、前記使用者コンピュータ５０がアクセスしたウェブページ１０に対して前記サーバー１００が設定インターフェースを提供し、使用者が設定インターフェースに従って設定を行うことができる。
【０４１１】
図２９は、このような遠隔制御またはホームオートメーションにおいて、位置座標と連動してハードウェア制御方式を設定する場合の画面例を示す。
【０４１２】
まず、使用者コンピュータ５０がアクセスしたウェブサイトのＵＲＬは、www.buildingcontrol.net/sechang_3F_C1.htmlである。このようなＵＲＬによってウェブページ（Ｗ３）が使用者コンピュータ５０に出力されるが、それに対して、前記サーバー１００がサービスインターフェースとしてツールバー（Ｗ２）を出力している。
【０４１３】
前記ツールバー（Ｗ２）のヘルプ項目をクリックして開かれる項目の中で、ハードウェア設定項目をクリックして（Ｋ−Ｉ）、次に、前記ウェブページ（Ｗ３）でマウスを特定位置（Ｋ−ＩＩ）に位置させてクリックして位置を指定することができる。この場合、まず、ログインをして特定会員に対して設定値が保存されるようにできる。
【０４１４】
そうすると、前記位置に対してハードウェアの制御方式を設定する画面（Ｗｃ）が出力され、それによって、ハードウェアと制御方式を指定することができる。
【０４１５】
これによって、サーバー１００は、前記ＵＲＬの特定位置（Ｋ−ＩＩ）に対して前記設定されたハードウェアの制御方式を保存する。
【０４１６】
図３０は、位置と関連して遠隔制御を行なう画面の例を示す。
【０４１７】
まず、図３０の（ａ）にみられるように、前記サーバー１００が出力するツールバー（Ｗ２）のヘルプの項目の中で、遠隔制御ログイン項目（Ｍ−Ｉ）をクリックする。そうすると、ログインウィンドウ（Ｗ８）が出力され、使用者はログインをする。
【０４１８】
そうすると、図３０の（ｂ）にみられるように、前記ウェブページの画面（Ｗ３）での特定位置（Ｐ１）（Ｐ２）に対して、ハードウェアのモニタリング結果が表示され、また、制御命令を入力することができるインターフェースが表示される。
【０４１９】
これによって、使用者は必要な場合に、前記表示されたハードウェアに対して制御命令を下すことができる。
【０４２０】
図３０の（ｃ）は、制御命令によって制御が成り立ち、そのモニタリング結果が表示されたことを示す。
【０４２１】
図３０の場合、特定建物の３階の位置図が、アクセスされたウェブサイトによって表示されるが、ここで、アクセスされたウェブサイトwww.buildingcontrol.net/sechang_3F_C1.html.によって、特定位置（Ｐ１）（Ｐ２）と関連してその事務室に設置されたエアコン及び戸締り装置のモニタリング結果が表示され、これらを各々制御することができるのである。
【０４２２】
このように、本発明の場合、遠隔制御またはホームオートメーションは、アクセスするＵＲＬによって表示されるウェブページの特定位置を基に成り立つので、使用者は、外部のコンピュータから特定ウェブページにアクセスして特定位置で関連ハードウェアを直感的に認識して便利に制御することができる。
【０４２３】
このように、本発明は、アクセスするウェブサイトに連動して使用者コンピュータに表示される前記ウェブサイトのウェブページの特定位置に対して、多様にインターネットサービスを提供するアクセスウェブサイト連動インターネットサービスシステム及びその方法を示す。
【０４２４】
以上で、本発明の目的が達成されたことを理解することができるであろう。
【０４２５】
本発明は、特定の実施態様を中心に説明したが、これに限定されるものではなく、本発明の思想にしたがって、その権利範囲は特許請求の範囲によるものである。
【図１】
2014053025.tif 000005
【図２】
2014053025.tif 000006
【図３】
2014053025.tif 000007
【図４】
2014053025.tif 000008
【図５】
2014053025.tif 000009
【図６】
2014053025.tif 000010
【図７】
2014053025.tif 000011
【図８】
2014053025.tif 000012
【図９】
2014053025.tif 000013
【図１０】
2014053025.tif 000014
【図１１】
2014053025.tif 000015
【図１２】
2014053025.tif 000016
【図１３】
2014053025.tif 000017
【図１４】
2014053025.tif 000018
【図１５】
2014053025.tif 000019
【図１６】
2014053025.tif 000020
【図１７】
2014053025.tif 000021
【図１８】
2014053025.tif 000022
【図１９】
2014053025.tif 000023
【図２０】
2014053025.tif 000024
【図２１】
2014053025.tif 000025
【図２２】
2014053025.tif 000026
【図２３】
2014053025.tif 000027
【図２４】
2014053025.tif 000028
【図２５】
2014053025.tif 000029
【図２６】
2014053025.tif 000030
【図２７】
2014053025.tif 000031
【図２８】
2014053025.tif 000032
【図２９】
2014053025.tif 000033
【図３０】
2014053025.tif 000034
【手続補正書】
【提出日】平成25年10月9日(2013.10.9)
【手続補正１】
【補正対象書類名】特許請求の範囲
【補正対象項目名】全文
【補正方法】変更
【補正の内容】
【特許請求の範囲】
【請求項１】
サーバーとウェブブラウザを内蔵した多数の使用者コンピュータがインターネットを通じてサーバークライアント関係で連結され、前記使用者コンピュータがアクセスしたウェブサイトに連動して前記使用者コンピュータに設置されたハードウェアを制御する方法であって、
ここで、前記サーバーまたは前記サーバーが管理するサービスサーバーは、前記使用者コンピュータがアクセスするウェブサイトの各々のＵＲＬに対応して個々の使用者コンピュータに連結設置されたハードウェアを認識することができる固有値を保存しているものとする、
（ａ）前記使用者コンピュータがインターネットを通じてウェブサイトにアクセスすると、前記ウェブサイトのＵＲＬを前記サーバーに送信するウェブサイトアドレス送信工程と；
（ｂ）前記使用者コンピュータが、前記サーバーまたはサービスサーバーにハードウェアの作動を制御する制御命令を要請する制御命令要請工程と；
（ｃ）前記サーバーまたはサービスサーバーが、前記ＵＲＬによるハードウェアの動作を定義する制御コードを前記使用者コンピュータに送信する制御命令工程と；
を含むことを特徴とする、前記アクセスウェブサイト連動ハードウェア制御方法。
【請求項２】
ウェブブラウザを内蔵した使用者コンピュータに設置されて作動するアクセスウェブサイト連動サービス装置が実施する方法であって、
ここで、前記アクセスウェブサイト連動サービス装置は、本人が提供するサービスによるサービスデータを前記使用者コンピュータがアクセスするウェブサイトのＵＲＬと前記使用者コンピュータに表示される前記ウェブサイトのウェブページでの位置座標とによって保存するサービスデータ保存手段を有しているものとする、
（ａ）前記使用者コンピュータがインターネットを通じてウェブサイトにアクセスする時、前記使用者コンピュータがアクセスする前記ウェブサイトのＵＲＬを認識する、アクセスウェブサイトアドレス認識工程と；
（ｂ）サービスインターフェースを前記使用者コンピュータに表示された前記ウェブサイトのウェブページに対して表示するサービスインターフェース表示工程と；
（ｃ）前記サービスインターフェースによって前記サービスデータを前記使用者コンピュータに表示された前記ウェブサイトのウェブページで相当する位置座標に対して表示するサービスデータ表示工程と；
を含むことを特徴とする、使用者コンピュータに設置されて作動するアクセスウェブサイト連動サービス装置の前記アクセスウェブサイト連動サービス方法。
【請求項３】
サーバーとウェブブラウザを内蔵した多数の使用者コンピュータがインターネットを通じてサーバークライアント関係で連結され、遠隔コンピュータを通じて前記使用者コンピュータがアクセスしたウェブサイトに連動して前記使用者コンピュータに設置されたハードウェアを遠隔で制御する方法であって、
ここで、前記サーバーまたは前記サーバーが管理するサービスサーバーは、前記使用者コンピュータがアクセスするウェブサイトのＵＲＬに対応して個々の使用者コンピュータに連結設置されたハードウェアを認識することができる固有値を保存しているものとする、
（ａ）遠隔コンピュータが遠隔接続を通じて前記使用者コンピュータに接続する、遠隔コンピュータの使用者コンピュータへの遠隔接続工程と；
（ｂ）前記遠隔コンピュータの制御によって、前記使用者コンピュータがウェブサイトにアクセスすると、前記使用者コンピュータが前記ウェブサイトのＵＲＬを前記サーバーに送信するウェブサイトアドレス送信工程と；
（ｃ）前記遠隔コンピュータの制御によって、前記使用者コンピュータが、前記サーバーまたは前記サービスサーバーでハードウェアを指定して、その指定ハードウェアの作動を制御するための制御命令を要請する制御命令要請工程と；
（ｄ）前記サーバーまたはサービスサーバーが、前記使用者コンピュータに指定されたハードウェアの動作を定義する制御コードを送信する制御命令工程と；
を含むことを特徴とする、前記遠隔ハードウェア制御方法。
【請求項４】
サーバーとウェブブラウザを内蔵した多数の使用者コンピュータが、インターネットを通じてサーバークライアント関係で連結されて、遠隔コンピュータを通じて前記遠隔コンピュータがアクセスしたウェブサイトに連動して、前記使用者コンピュータに設置されたハードウェアを遠隔で制御する方法であって、
ここで、前記サーバーまたは前記サーバーが管理するサービスサーバーは、前記使用者コンピュータがアクセスするウェブサイトのＵＲＬに対応して個々の使用者コンピュータに連結設置されたハードウェアを認識することができる固有値を保存しているものとする、
（ａ）遠隔コンピュータがアクセスしたウェブサイトのＵＲＬを、前記サーバーに送信するウェブサイトアドレス送信工程と；
（ｂ）前記遠隔コンピュータが、前記サーバーまたはサービスサーバーに前記使用者コンピュータに対するハードウェアを指定して、その作動を制御するための制御命令を要請する制御命令要請工程と；
（ｃ）前記サーバーまたはサービスサーバーが、前記使用者コンピュータに指定されたハードウェアの動作を定義する制御コードを送信する制御命令工程と；
を含むことを特徴とする、前記遠隔ハードウェア制御方法。
【請求項５】
サーバーとウェブブラウザを内蔵した多数の使用者コンピュータがインターネットを通じてサーバークライアント関係で連結されて、前記サーバーまたは前記サーバーが管理するサービスサーバーが、前記使用者コンピュータがアクセスしたウェブサイトに連動して前記使用者コンピュータに設置されたハードウェアを制御する方法であって、
ここで、前記サーバーまたは前記サーバーが管理するサービスサーバーは、前記使用者コンピュータがアクセスするウェブサイトの各々のＵＲＬに対応して個々の使用者コンピュータに連結設置されたハードウェアを認識することができる固有値を保存しているものとする、
（ａ）前記使用者コンピュータがインターネットを通じてウェブサイトにアクセスする時、前記使用者コンピュータが送信した前記ウェブサイトのＵＲＬを読むウェブサイトアドレス認識工程と；
（ｂ）前記使用者コンピュータが要請したハードウェアの作動を制御する制御命令要請によって、前記サーバーまたはサービスサーバーが、前記ＵＲＬによるハードウェアの動作を定義する制御コードを前記使用者コンピュータに送信する制御命令工程と；
を含むことを特徴とする、前記アクセスウェブサイト連動ハードウェア制御方法。
【請求項６】
サーバーとウェブブラウザを内蔵した多数の使用者コンピュータがインターネットを通じてサーバークライアント関係で連結され、前記サーバーまたは前記サーバーが管理するサービスサーバーが、前記使用者コンピュータがアクセスしたウェブサイトに連動して前記使用者コンピュータに設置されたハードウェアを遠隔で制御する方法であって、
ここで、前記サーバーまたは前記サーバーが管理するサービスサーバーは、前記使用者コンピュータがアクセスするウェブサイトのＵＲＬに対応して個々の使用者コンピュータに連結設置されたハードウェアを認識することができる固有値を保存しているものとする、
（ａ）前記使用者コンピュータに遠隔で接続した遠隔コンピュータの制御によって、前記使用者コンピュータがウェブサイトにアクセスする時、前記使用者コンピュータが送信した前記ウェブサイトのＵＲＬを読むウェブサイトアドレス認識工程と；
（ｂ）前記遠隔コンピュータの制御によって前記使用者コンピュータがハードウェアを指定して、そのハードウェアの作動を制御する制御命令を要請すると、前記サーバーまたはサービスサーバーが、前記使用者コンピュータに指定されたハードウェアの動作を定義する制御コードを送信する制御命令工程と；
を含むことを特徴とする、前記アクセスウェブサイト連動ハードウェア遠隔制御方法。
【請求項７】
サーバーとウェブブラウザを内蔵した多数の使用者コンピュータがインターネットを通じてサーバークライアント関係で連結され、前記サーバーまたは前記サーバーが管理するサービスサーバーが、遠隔コンピュータを通じて前記遠隔コンピュータがアクセスしたウェブサイトに連動して、前記使用者コンピュータに設置されたハードウェアを遠隔で制御する方法であって、
ここで、前記サーバーまたは前記サーバーが管理するサービスサーバーは、前記使用者コンピュータがアクセスするウェブサイトのＵＲＬに対応して個々の使用者コンピュータに連結設置されたハードウェアを認識することができる固有値を保存しているものとする、
（ａ）遠隔コンピュータがウェブサイトにアクセスする時、前記遠隔コンピュータが送信した前記ウェブサイトのＵＲＬを読むウェブサイトアドレス認識工程と；
（ｂ）前記遠隔コンピュータが前記使用者コンピュータに対するハードウェアを指定して、その作動を制御する制御命令を要請すると、前記サーバーまたはサービスサーバーが、前記使用者コンピュータに指定されたハードウェアの動作を定義する制御コードを送信する制御命令工程と；
を含む、前記遠隔ハードウェア制御方法。